(57)【特許請求の範囲】
【請求項１】
遊技球が流下可能な遊技領域が画成された遊技盤を備えた遊技機において、
前記遊技領域に対して第１始動口を閉鎖する閉鎖位置および該第１始動口を開放する開放位置に変位可能な開閉部材を有する第１可変始動入球部と、
前記遊技領域に対して前記第１可変始動入球部より上流側に位置するよう配置され、前記遊技領域に対して第２始動口を閉鎖する閉鎖位置および該第２始動口を開放する開放位置に変位可能な開閉部材を有する第２可変始動入球部と、
前記第１始動口および第２始動口の何れかへの遊技球の入球を契機として当り判定を実行する当り判定手段と、
前記当り判定手段による当り判定の判定結果が当りの場合に、複数種類の当り遊技から当り遊技を決定する当り遊技決定手段とを備え、
前記当り遊技には、当り遊技後に前記第１可変始動入球部の開閉部材を開放する第１遊技状態を付与する第１当り遊技と、当り遊技後に前記第２可変始動入球部の開閉部材を開放する第２遊技状態を付与する第２当り遊技とが設定され、
前記当り遊技決定手段は、前記第１可変始動入球部の第１始動口への入球を契機とした当り判定で当りの判定結果となる場合に、前記第１当り遊技または第２当り遊技の何れかを決定すると共に、前記第２可変始動入球部の第２始動口への入球を契機とした当り判定で当りの判定結果となる場合に、前記第２当り遊技を決定するよう構成され、
前記遊技領域を流下する遊技球が入賞可能な特別入賞口を開閉する開閉手段を備え、前記当り遊技決定手段が決定した当り遊技に応じて開閉部材を開放する特別入賞部が、前記遊技盤における前記第２可変始動入球部より上流側に配置され、
前記遊技領域を画成する前記遊技盤の前面に沿う取付ベース部を前後に貫通するよう設けられた入球口を閉鎖する閉鎖位置および該入球口を開放する開放位置に変位可能な開閉部材を有する可変入球部と、
前記入球口に入球した遊技球を前記第１可変始動入球部に対応する第１分岐通路および前記第２可変始動入球部に対応する第２分岐通路に振り分ける振分手段とを備え、
前記可変入球部は、前記開閉部材と連繋する連繋部に電動式駆動手段が接続されて、当該電動式駆動手段の駆動に伴い開閉部材が開放動作および閉鎖動作するよう構成されると共に、前記連繋部と連繋する作動部材が当該電動式駆動手段の駆動に伴い前後方向に往復移動するよう構成され、
前記第１可変始動入球部および第２可変始動入球部の夫々は、対応する前記分岐通路を通過する遊技球の接触により作動する作動部材を備え、当該遊技球との接触に伴い作動した前記作動部材が対応する可変始動入球部の開閉部材の開閉状態を切り替えるよう構成されると共に、
前記第１遊技状態では、前記入球口に入球した遊技球を前記振分手段により前記第１分岐通路に振り分け、前記第２遊技状態では、前記入球口に入球した遊技球を前記振分手段により前記第２分岐通路に振り分けるよう構成され、
前記電動式駆動手段は、前記遊技領域を流下する遊技球の特定入球部への入球を契機として行われる開放判定の結果に基づいて、前記可変入球部の開閉部材を開放動作するように駆動されるよう構成され、
前記可変入球部には、前記電動式駆動手段の駆動に伴い開閉部材が開放動作する場合に前記作動部材の傾斜面との摺接により前記開閉部材から離間する上方へ揺動することで、該開閉部材が前記開放位置にある場合に、前記取付ベース部の前面より後側で前記入球口への遊技球の入球を許容する許容状態となり、前記電動式駆動手段の駆動に伴い開閉部材が閉鎖動作する場合に前記作動部材の傾斜面との摺接により前記開閉部材に接近するよう下方へ揺動することで、該開閉部材が前記開放位置と閉鎖位置との間にある場合に、前記取付ベース部の前面より後側で前記入球口への遊技球の入球を規制する規制状態となる規制手段を備えた
ことを特徴とする遊技機。
【発明の詳細な説明】
【技術分野】
【０００１】
本発明は、遊技盤の前面側に画成された遊技領域を遊技球が流下して遊技が行われる遊技機に関するものである。
【背景技術】
【０００２】
代表的な遊技機であるパチンコ機は、機内にセットされる遊技盤の盤面に画成した遊技領域の略中央位置に、図柄表示装置等の各種演出装置が配置されると共に、該演出装置の下方や側方等に、パチンコ球(遊技球)が入球可能な入球口等を備えた入球部が設けられており、遊技者のハンドル操作に応じて遊技領域に向けて発射されたパチンコ球を入球口に入球させることで、演出装置において適宜の遊技が行われるよう構成されている。例えば、前記演出装置として複数の図柄を変動表示する液晶式やドラム式等の図柄表示装置を備えたパチンコ機では、前記遊技領域に打ち出されたパチンコ球が遊技領域内に植設された遊技釘等との接触により跳ね返りながら次第に自重により流下し、該遊技領域を流下する過程で前記入球口としての始動入賞口に入球することにより、所定数の賞球が払い出されると共に、図柄表示装置での図柄変動演出に伴うリーチ演出等の各種の遊技演出がなされ、該図柄表示装置に図柄が所定の組み合わせで停止することにより所謂大当りが発生して多数の賞球を獲得可能な機会が得られるよう構成されている(例えば、特許文献１参照)。
【先行技術文献】
【特許文献】
【０００３】
【特許文献１】特開２００６−２４７１０７号公報
【発明の概要】
【発明が解決しようとする課題】
【０００４】
ところで、従来のパチンコ機の多くには、前記始動口を開閉部材により開閉するよう構成された可変始動入球部が設けられており、常には開閉部材により入球部へのパチンコ球の入球を規制し、所定の開放条件が成立した際にソレノイド等の電動式駆動手段を駆動して開閉部材を開放動作させて当該始動口へのパチンコ球の入球を許容するようにすることで、入球口へのパチンコ球の入球に対する関心を高めるようにしたものがある。しかしながら、従来のパチンコ機では、大当り遊技に伴って前記可変始動入球部の始動口の開放時間を長くしたり、短くするよう変化させることで、可変始動入球部への入賞の容易さを変化させて遊技の興趣を高めるよう構成されるものの、当該可変始動入球部の開閉による遊技性の変化は限られたものであった。
【０００５】
すなわち本発明は、従来の技術に内在する前記課題に鑑み、これらを好適に解決するべく提案されたものであって、開閉部材により始動口が開閉される可変始動入球部を用いて新たな遊技性を創出可能な遊技機を提供することを目的とする。
【課題を解決するための手段】
【０００６】
前記課題を解決し、所期の目的を達成するため、本願の請求項１に係る発明は、
遊技球(P)が流下可能な遊技領域(21)が画成された遊技盤(20)を備えた遊技機において、
前記遊技領域(21)に対して第１始動口(102)を閉鎖する閉鎖位置および該第１始動口(102)を開放する開放位置に変位可能な開閉部材(165)を有する第１可変始動入球部(161)と、
前記遊技領域(21)に対して前記第１可変始動入球部(161)より上流側に位置するよう配置され、前記遊技領域(21)に対して第２始動口(103)を閉鎖する閉鎖位置および該第２始動口(103)を開放する開放位置に変位可能な開閉部材(166)を有する第２可変始動入球部(162)と、
前記第１始動口(102)および第２始動口(103)の何れかへの遊技球(P)の入球を契機として当り判定を実行する当り判定手段(60a)と、
前記当り判定手段(60a)による当り判定の判定結果が当りの場合に、複数種類の当り遊技から当り遊技を決定する当り遊技決定手段(60a)とを備え、
前記当り遊技には、当り遊技後に前記第１可変始動入球部(161)の開閉部材(165)を開放する第１遊技状態を付与する第１当り遊技と、当り遊技後に前記第２可変始動入球部(162)の開閉部材(166)を開放する第２遊技状態を付与する第２当り遊技とが設定され、
前記当り遊技決定手段(60a)は、前記第１可変始動入球部(161)の第１始動口(102)への入球を契機とした当り判定で当りの判定結果となる場合に、前記第１当り遊技または第２当り遊技の何れかを決定すると共に、前記第２可変始動入球部(162)の第２始動口(103)への入球を契機とした当り判定で当りの判定結果となる場合に、前記第２当り遊技を決定するよう構成され、
前記遊技領域(21)を流下する遊技球(P)が入賞可能な特別入賞口(41)を開閉する開閉部材(43)を備え、前記当り遊技決定手段(60a)が決定した当り遊技に応じて開閉部材(43)を開放する特別入賞部(40)が、前記遊技盤(20)における前記第２可変始動入球部(162)より上流側に配置され、
前記遊技領域(21)を画成する前記遊技盤(20)の前面に沿う取付ベース部(106)を前後に貫通するよう設けられた入球口(101)を閉鎖する閉鎖位置および該入球口(101)を開放する開放位置に変位可能な開閉部材(260)を有する可変入球部(240)と、
前記入球口(101)に入球した遊技球(P)を前記第１可変始動入球部(161)に対応する第１分岐通路(81,345)および前記第２可変始動入球部(162)に対応する第２分岐通路(83,346)に振り分ける振分手段(350)とを備え、
前記可変入球部(240)は、前記開閉部材(260)と連繋する連繋部(262)に電動式駆動手段(261)が接続されて、当該電動式駆動手段(261)の駆動に伴い開閉部材(260)が開放動作および閉鎖動作するよう構成されると共に、前記連繋部(262)と連繋する作動部材(264)が当該電動式駆動手段(261)の駆動に伴い前後方向に往復移動するよう構成され、
前記第１可変始動入球部(161)および第２可変始動入球部(162)の夫々は、対応する前記分岐通路(81,345/83,346)を通過する遊技球(P)の接触により作動する作動部材(176)を備え、当該遊技球(P)との接触に伴い作動した前記作動部材(176)が対応する可変始動入球部の開閉部材(65,161)の開閉状態を切り替えるよう構成されると共に、
前記第１遊技状態では、前記入球口(101)に入球した遊技球(P)を前記振分手段(350)により前記第１分岐通路(81,345)に振り分け、前記第２遊技状態では、前記入球口(101)に入球した遊技球(P)を前記振分手段(350)により前記第２分岐通路(83,346)に振り分けるよう構成され、
前記電動式駆動手段(261)は、前記遊技領域(21)を流下する遊技球(P)の特定入球部(34)への入球を契機として行われる開放判定の結果に基づいて、前記可変入球部(240)の開閉部材(260)を開放動作するように駆動されるよう構成され、
前記可変入球部(240)には、前記電動式駆動手段(261)の駆動に伴い開閉部材(260)が開放動作する場合に前記作動部材(264)の傾斜面(307)との摺接により前記開閉部材(260)から離間する上方へ揺動することで、該開閉部材(260)が前記開放位置にある場合に、前記取付ベース部(106)の前面より後側で前記入球口(101)への遊技球(P)の入球を許容する許容状態となり、前記電動式駆動手段(261)の駆動に伴い開閉部材(260)が閉鎖動作する場合に前記作動部材(264)の傾斜面(307)との摺接により前記開閉部材(260)に接近するよう下方へ揺動することで、該開閉部材(260)が前記開放位置と閉鎖位置との間にある場合に、前記取付ベース部(106)の前面より後側で前記入球口(101)への遊技球(P)の入球を規制する規制状態となる規制手段(263)を備えたことを要旨とする。
【０００７】
このように、開閉部材により始動口が開閉される複数の可変始動入球部を上下の関係で配置し、当り判定が行われる契機となる可変始動入球部の種類によって、該当り遊技後に開放される可変始動入賞部が変化するようにしたので、新たな遊技性を創出して遊技の興趣を高めることが可能となる。更に、第１始動口および第２始動口への入球を契機として当り遊技が付与された際に開放する特別入賞部を第２可変始動入球部より上流側に配置したので、当り遊技が付与された場合には可変始動入球部よりも特別入賞部に対して遊技球を優先的に入賞させ得るようになり、当り遊技の進行を速めることができる。
また、電動式駆動手段の駆動により可変入球部における開閉部材が開放動作するのに伴って入球口に入球した遊技球が、当該入球口に連通する何れかの分岐通路を通過する過程で作動部材に接触することにより、第１可変始動入球部または第２可変始動入球部の開閉部材の開閉状態が切り替わるから、当該電動式駆動手段により作動される可変入球部と、当該可変入球部の開閉動作に関連して作動される可変始動入球部とにより新たな遊技性を創出して遊技の興趣を高めることが可能となる。また、電動式駆動手段により作動される開閉部材により開閉される入球口に入球した後の遊技球をそのまま排出するだけでなく、第１または第２可変始動入球部の開閉部材の開閉状態を切り替え得るようにすることで、可変入球部および各可変始動入球部に対する遊技者の関心を高められる。
更に、可変入球部の開閉部材が開放位置から閉鎖位置へ変位する際に、規制手段が許容状態から規制状態へ切り換わることで、入球口への遊技球の入球が該規制手段により規制される。これにより、開閉部材と入球口との間に遊技球が噛み込まれることが防止され、開閉部材を作動させる電動式駆動手段に負荷がかかることが回避されて、可変入球部が故障することを防止し得る。また、可変入球部の開閉部材が開放位置から閉鎖位置へ変位する際に遊技球が入球口へ入球することを防止するので、入球口に規定数以上の遊技球が入球することも防止し得る。
【０００８】
本願には、次のような技術的思想が含まれている。
前記遊技盤(20)の遊技領域(21)に、遊技球(P)が流下可能な第１球流下経路(21a)および第２球流下経路(21b)が設けられて、
前記第１可変始動入球部(161)と第２可変始動入球部(162)とが設けられた可変入球ユニット(100)および前記特別入賞部(400)は、前記第１球流下経路(21a)および第２球流下経路(21b)における同じ球流下経路に配置されていることを要旨とする。
このように、第１可変始動入球部、第２可変始動入球部および特別入賞部を同じ球流下経路に設けたので、遊技球を打ち出す球流下経路を変えることなく第１始動口、第２始動口および特別入賞口に遊技球を入球させることができる。
【０００９】
本願には、次のような技術的思想が含まれている。
前記第１始動口(102)および第２始動口(103)の何れかへの入球を契機として図柄を変動させる図柄変動を行い得る表示手段(17)と、
前記第１可変始動入球部(161)の第１始動口(102)への入球を契機として取得した入球情報および前記第２可変始動入球部(162)の第２始動口(103)への入球を契機として取得した入球情報を記憶する記憶手段(60c)と、
前記記憶手段(60c)に記憶されている入球情報に基づいて図柄変動を前記表示手段(17)で実行させる変動表示実行制御手段(60a)とを備え、
前記変動表示実行制御手段(60a)は、前記記憶手段(60c)に記憶されている前記第２始動口(103)への入球を契機とした入球情報より前記第１始動口(102)への入球を契機とした入球情報に基づく図柄変動を前記表示手段(17)で優先して実行させるよう構成され、
前記当り遊技には、遊技者に与える遊技価値が異なる複数種類が設定され、
前記当り遊技決定手段(60a)は、前記第２可変始動入球部(162)の第２始動口(103)への入球を契機とした当り判定で当りの場合に、前記第１可変始動入球部(161)の第１始動口(102)への入球を契機とした当り判定で当りの場合より遊技価値が高い当り遊技を決定し易く設定されていることを要旨とする。
このように、遊技者に与える遊技価値が高い当り遊技が当り易い第２可変始動入球部を該第１可変始動入球部より上側に配置して、当該第２可変始動入球部への入賞する機会を高めるようにすることで、遊技の興趣を向上し得る。
【００１１】
本願には、次のような技術的思想が含まれている。
前記可変入球部(240)の開閉部材(260)の動作態様を特定する複数種類の開閉動作パターン(P1〜P3)から開閉動作パターンを決定する動作パターン決定手段(60a)と、
前記動作パターン決定手段(60a)が決定した開閉動作パターンで前記可変入球部(240)の開閉部材(260)が動作するように前記電動式駆動手段(261)を駆動制御する駆動制御手段(60a)とを備え、
前記開閉動作パターンには、前記入球口(101)に入球した遊技球(P)が前記第１分岐通路(81,345)および第２分岐通路(83,346)の振分位置まで移動した際に前記振分手段(350)が第１振分位置に位置するよう前記可変入球部(240)の開閉部材(260)を開放動作する第１開閉動作パターン(P1)と、前記入球口(101)に入球した遊技球(P)が前記振分位置まで移動した際に前記振分手段(350)が第２振分位置に位置するよう前記可変入球部(240)の開閉部材(260)を開放動作する第２開閉動作パターン(P2)とが設定され、
前記動作パターン決定手段(60a)は、前記第１当り遊技が決定された際に前記第１開閉動作パターン(P1)を決定すると共に、前記第２当り遊技が決定された際に前記第２開閉動作パターン(P2)を決定するよう構成されることを要旨とする。
このように、当り遊技の種類に応じた開閉動作パターンで開閉部材を動作させることで、入球口に入球した遊技球を適切な分岐通路に通出し得る。
【発明の効果】
【００１２】
本発明に係る遊技機によれば、開閉部材により始動口を開閉可能な複数の可変始動入球部を用いた新たな遊技性を創出して、遊技の興趣を高めることができる。
【図面の簡単な説明】
【００１３】
【図１】本発明の実施例に係るパチンコ機を示す正面図である。
【図２】実施例に係る遊技盤を示す正面図であって、特図表示部、普図表示部を拡大して示している。
【図３】実施例に係る遊技盤を縦断した正面図であって、特別入賞部の配設位置を拡大して示す。
【図４】実施例に係る遊技盤を縦断した正面図であって、第１の複合入球部および第２の複合入球部の配設位置を拡大して示す。
【図５】(a)は第１の複合入球部を前側から見た分解斜視図であり、(b)は第１の複合入球部を後側から見た分解斜視図である、
【図６】実施例に係る第２の複合入球部を示す正面図である。
【図７】(a)は第２の複合入球部の斜視図であり、(b)は球通路ユニットの斜視図である。
【図８】実施例に係る第２の複合入球部を示す背面図であって、(a)は第１分岐通路を破線で示し、(b)は第２分岐通路を破線で示す。
【図９】実施例に係る作動入球振分ユニットを前側から見た状態で示す分解斜視図である。
【図１０】(a)は、作動口開閉部材が開放位置にあると共に規制部材が許容位置にある可変作動入球部を本体ケースを省略して前方右斜め上方から見た斜視図であり、(b)は、作動口開閉部材が開放位置にあると共に規制部材が許容位置にある可変作動入球部を本体ケースを省略して後方左斜め上方から見た斜視図である。
【図１１】前方右斜め上方から見た可変作動入球部の分解斜視図である。
【図１２】後方左斜め上方から見た可変作動入球部の分解斜視図である。
【図１３】(a)は、作動口開閉部材が閉鎖位置にあると共に規制部材が規制位置にある可変作動入球部を本体ケースを省略して示す平面図であり、(b)は、(a)のＸ１−Ｘ１線位置で破断した可変作動入球部の縦断側面図である。
【図１４】(a)は、作動口開閉部材が開放位置にあると共に規制部材が許容位置にある可変作動入球部を本体ケースを省略して示す平面図であり、(b)は、(a)のＸ２−Ｘ２線位置で破断した可変作動入球部の縦断側面図である。
【図１５】(a)は、作動口開閉部材が開放位置から閉鎖位置への移動途中に、作動口開閉部材の球誘導片の上縁と作動口の開口上縁との間にパチンコ球が挟まれる直前の状態を示す説明断面図であり、(b)は、(a)の状態から更に作動口開閉部材が閉鎖位置側へ移動するに伴って規制部材が規制位置に向けて移動開始したことで、パチンコ球が作動口側へ移動することを規制する状態を示す説明断面図である。
【図１６】作動入球振分ユニットを第１および第２の分岐流入通路の形成位置(振分位置)で縦断した断面図である。
【図１７】実施例に係る始動口開閉部材を省略して可変始動入賞部を示す斜視図であって、(a)は前側から見た状態を示し、(b)は後側から見た状態を示す。
【図１８】始動口開閉部材を省略した可変始動入賞部の分解斜視図である。
【図１９】実施例に係る可変始動入賞部の作動機構と始動口開閉部材とを示す斜視図であって、(a)は前側から見た状態を示し、(b)は後側から見た状態を示す。
【図２０】実施例に係る回転規制部を示す側面図である。
【図２１】(a)は閉鎖位置に保持された始動口開閉部材と可変始動入賞部の作動機構との関係を示す正面図であり、(b)はその平面図であり、(c)はその右側面図である。
【図２２】(a)は、図２１において第１の作動部材が基準位置から作動位置に変位して始動口開閉部材が開放位置に揺動すると共に第２の作動部材が第１入球作動位置に変位した状態を示す正面図であり、(b)は平面図であり、(c)は右側面図である。
【図２３】(a)は、図２１において第２の作動部材が第２入球作動位置に変位した状態を示す斜視図であり、(b)は正面図であり、(c)は右側面図である。
【図２４】(a)は図２１のＡ−Ａ線断面図であり、(b)は図２２のＢ−Ｂ線断面図であって、第１の作動部材が基準位置に復帰した状態を示し、(c)は図２３のＣ−Ｃ線断面図である。
【図２５】パチンコ機の制御構成を示すブロック図である。
【図２６】固定始動入賞部または第１可変始動入賞部への入賞を契機とする大当り遊技の種類を示す説明図である。
【図２７】第２可変始動入賞部への入賞を契機とする大当り遊技の種類を示す説明図である。
【図２８】普図当りにおける作動口開閉部材の開閉動作パターンと、振分体の動作パターンとの関係を示すタイミングチャートである。
【発明を実施するための形態】
【００１４】
次に、本発明に係る遊技機につき、好適な実施例を挙げて、添付図面を参照しながら以下詳細に説明する。なお、遊技機としては、遊技媒体としてパチンコ球(遊技球)を用いて遊技が行われるパチンコ機を例にして説明する。また、以下の説明において、「前」、「後」、「左」、「右」とは、特に断りのない限り、図１に示すようにパチンコ機１０を前側(遊技者側)から見た状態で指称する。なお、各図において符号Ｐはパチンコ球を示している。
【実施例】
【００１５】
(パチンコ機１０について)
実施例に係るパチンコ機１０は、図１に示すように、前方へ開口するよう形成されて遊技店の図示しない設置枠台に設置される基体１１,１２と、前記基体１１,１２の前側開口を覆うよう当該基体１１,１２に対して開閉可能に支持され遊技機前面を形成する前面部材１３とを備えており、当該基体１１,１２や装飾体１３を設置基材として各種部材を設置することで遊技機が構成されるようになっている。具体的に、パチンコ機１０の基体は、前後に開口する矩形枠状に形成されて遊技店の図示しない設置枠台に縦置き姿勢で設置される固定枠としての外枠１１の開口前面側に、本体枠としての中枠１２を開閉および着脱可能に組み付けて構成されており、当該中枠１２に遊技盤２０が着脱可能に配設されている。また、前記遊技盤２０の裏側には、所定条件の成立(後述する第１の複合入球部３０の入球口(以下固定始動口)３２または第２の複合入球部１００の入球口(以下各可変始動口)１０２,１０３へのパチンコ球の入賞)を契機として演出用の図柄(以下飾図という)を変動表示させて図柄変動演出を行う演出実行手段としての図柄表示装置(図柄表示手段)１７が着脱可能に配設されている。なお、実施例では、前記図柄表示装置１７としては、液晶パネルを収容ケースに収容した液晶表示装置が採用されているがこれに限られるものではなく、ドラム式の図柄表示装置１７やドットマトリックス式の表示装置等の各種飾図を停止および変動表示可能な従来公知の各種の表示装置を採用し得る。
【００１６】
そして、前記中枠１２の前面側には、前記遊技盤２０の遊技領域２１と対応する位置に前後に開口する窓口１３ａが形成された前記前面部材としての前枠１３が開閉可能に組み付けられている。そして、前枠１３には、ガラス板や透明な合成樹脂材で形成された透視保護板１８が窓口１３ａを覆うよう配設されており、遊技盤２０を前側から目視可能な状態で保護している。また、前記前枠１３における窓口１３ａの下方位置には、パチンコ球を貯留可能な球受け皿１４,１５が設けられており、当該前枠１３と一体的に球受け皿１４,１５を開閉し得るようになっている。実施例の前枠１３には、上球受け皿１４および下球受け皿１５が上下の位置関係で組み付けられている。なお、前記上下の球受け皿１４,１５の一方および両方を、前枠１３とは個別に中枠１２に組み付けるようにしてもよい。また、１つの球受け皿１４,１５のみを備える構成とすることもできる。
【００１７】
また、前記パチンコ機１０(実施例では前枠１３)の右下方位置には、該中枠１２に配設された打球発射装置を作動する操作ハンドル１６が設けられている。前記操作ハンドル１６は、左回転方向に付勢された操作レバー１６ａを備えており、該操作レバー１６ａを右回転するよう遊技者が回動操作することで打球発射装置(図示せず)が作動されて、前記上球受け皿１４に貯留されたパチンコ球が前記遊技盤２０の遊技領域２１に向けて１球ずつ発射されるようになっている。ここで、前記操作レバー１６ａの回動量に応じて前記打球発射装置によるパチンコ球の打球力が強弱変化するよう構成されており、遊技者が操作レバー１６ａの回動量を調節することで、前記遊技領域２１においてパチンコ球が到達可能な位置(発射位置)を任意に変更し得るようになっている。
【００１８】
(遊技盤２０について)
前記遊技盤２０は、図２に示すように、ベニヤ材や合成樹脂材により形成された板状の部材であって、遊技盤２０の裏面側に前記図柄表示装置１７が配置されている。前記遊技盤２０の前面には、略円形状に湾曲形成した案内レール２２が配設されており、該案内レール２２によりパチンコ球が流下可能な遊技領域２１が画成されている。なお、前記打球発射装置により発射されたパチンコ球が遊技領域２１内に打ち出される発射口２４は、当該遊技領域２１の左上部位置において右上方へ向けて開口するよう形成されている。また、前記遊技盤２０には、前後に貫通する装着口(図示せず)が適宜位置に開設されており、各装着口に対して各種の遊技盤設置部品が取り付けられると共に、遊技領域２１の最下部位置には、該遊技領域２１に打ち出されたパチンコ球を排出するアウト口２３が開設されている。ここで、実施例の遊技盤２０には、図柄表示装置１７の表示部が前面側から視認可能に臨む装飾部材２５や、遊技領域２１を流下するパチンコ球が入球可能な入球部等が前記遊技盤設置部品として配設されている。ここで、実施例の遊技盤２０には、複数の入球部３１,３４／２４０,１６１,１６２を備えた複合入球部３０,１００を配設するよう構成されており、各入球部３１,３４／２４０,１６１,１６２を個別に配設する構成に比べて、遊技盤２０に対する装着口の開設作業性や部材の配設作業性を高めている、なお、実施例では、第１の複合入球部３０および第２の複合入球部１００が遊技盤２０に配設されている。
【００１９】
前記装飾部材２５は、図２に示すように、前記案内レール２２で囲まれた遊技領域２１の略中央に配設されたセンター役とも称される部材であって、前後に開口する表示窓口２５ａを有する枠状に形成されている。そして、前記装飾部材２５の表示窓口２５ａの後方に表示部が位置するよう前記図柄表示装置１７が遊技盤２０の裏側に配設されて、当該表示窓口２５ａを介して遊技盤２０の前側から図柄表示装置１７の表示部を視認し得るよう構成される。なお、以下の説明では、図柄表示装置１７の表示部が臨む前記装飾部材を枠状装飾体２５と指称するものとする。具体的に、前記枠状装飾体２５は、前記遊技盤２０の前面より前方に突出すると共に表示窓口２５ａを囲むよう延在し、前記遊技領域２１と図柄表示装置１７の表示部１７ａを区切る区画壁部２６と、該区画壁部２６の後縁から外方に延出する薄板状の台板部２７とを備える。そして、前記台板部２７を遊技盤２０の前面に当接した状態で、ネジ等の固定手段により前側から台板部２７を遊技盤２０に固定することで、枠状装飾体２５が遊技盤２０に取り付けられて、該枠状装飾体２５の外側(具体的には区画壁部２６と案内レール２２との間)に、パチンコ球が流下する遊技領域２１が画成されるようになっている。なお、前記台板部２７は、枠状装飾体２５を遊技盤２０に取り付けた状態で前面側をパチンコ球が通過可能な厚みで形成されている。なお、前記枠状装飾体２５の区画壁部２６は、枠状装飾体２５(台板部２７)の左側縁の略中間位置から上縁および右下縁に亘って連続して延在するよう設けられており、前記図柄表示装置１７における表示部１７ａの前面側を横切ってパチンコ球が流下(落下)するのを規制している。なお、枠状装飾体２５は、前後に表示窓口２５ａが開口する形態に限らず、当該表示窓口２５ａの全部または一部を透明板等で塞ぐ形態とすることも可能である。
【００２０】
すなわち、実施例の遊技盤２０に画成される遊技領域２１は、打ち出されたパチンコ球が前記枠状装飾体２５の左側部を流下してアウト口２３に至る第１球流下経路２１ａと、当該打ち出されたパチンコ球が枠状装飾体２５の右側部を流下してアウト口２３に至る第２球流下経路２１ｂとに区画されている。これにより、操作ハンドル１６の操作レバー１６ａを回動操作して打球力を調節することで、発射口２４から打ち出されたパチンコ球が第１球流下経路２１ａを流下する遊技形態（左打ち）および当該パチンコ球が第２球流下経路２１ｂを流下する遊技形態(右打ち)の何れかを遊技者が任意に選択し得るようになっている。また、前記遊技領域２１は、前記枠状装飾体２５の下方位置において第１および第２球流下経路２１ａ,２１ｂが合流するようになっており、当該第１および第２球流下経路２１ａ,２１ｂが合流する領域に位置するよう前記アウト口２３が設けられている。
【００２１】
また、前記遊技盤２０には、前記遊技領域２１内に多数の遊技釘Ｇが設けられると共に、遊技領域２１２を流下するパチンコ球の接触に伴って回転する回転案内部材Ｋが回転自在に支持されており、遊技釘Ｇや回転案内部材Ｋとの接触によりパチンコ球の流下方向が不規則に変化するよう構成されている。前記回転案内部材Ｋは、回転中心から放射状に複数(例えば３つ)の接触片(図示せず)を有する所謂「風車」とも称される部材であって、該接触片に対するパチンコ球の接触に伴って回転案内部材Ｋが回転することでパチンコ球を弾くように左右方向へ放出するようになっている。実施例では、前記枠状装飾体２５の左側方(すなわち第１球流下経路２１ａ)に回転案内部材Ｋを配設してある。
【００２２】
ここで、前記枠状装飾体２５は、図２に示すように、当該枠状装飾体２５の上部から右側部の間で前記案内レール２２に近接するよう構成されている。すなわち、前記第２球流下経路２１ｂは、前記枠状装飾体２５の上方位置で前記第１球流下経路２１ａに接続する上側流路ＲＡと、当該上側流路ＲＡの下端部に接続すると共に上側流路ＲＡより幅広な通路幅に形成された下側流路ＲＢとに分けられて、当該下側流路ＲＢに複数の入球部(実施例では第１の複合入球部３０のゲート部３４や、第２の複合入球部１００の可変始動入賞部１６１,１６２、可変作動入球部２４０、普通入賞部２２０等)が配置されている。ここで、前記上側流路ＲＡは、前記枠状装飾体２５の区画壁部２６と案内レール２２との間にパチンコ球が一列で通過し得る通路幅で形成された整列流路ＲＡ１と、当該整列流路ＲＡ１の下流部に設けられて区画壁部２６と案内レール２２との間に通路幅が拡大した拡大流路ＲＡ２とから構成されており、当該拡大流路ＲＡ２に位置するよう特別入賞部４０(後述)が配設されている。具体的には、整列流路ＲＡ１は、パチンコ球の直径より大きく、パチンコ球の直径の２倍よりも狭い通路幅に形成され、拡大流路ＲＡ２は、パチンコ球の直径の２倍よりも広い通路幅に形成されている。
【００２３】
また、図２、図３に示すように、前記遊技盤２０には、前記第２球流下経路２１ｂにおける上側流路ＲＡ(拡大流路ＲＡ２)の下流端部に、下流側に向かうにつれて案内レール２２から離間して枠状装飾体２５の区画壁部２６に近接するよう湾曲する誘導部２５ｂが設けられている。すなわち、第２球流下経路２１ｂに打ち出されて上側流路ＲＡ(拡大流路ＲＡ２)を流下するパチンコ球は、前記特別入賞部４０に入賞するか、或いは前記誘導部２５ｂと区画壁部２６との間の間隙(上側流路ＲＡの球出口)Ｓを介して下側流路ＲＢに流下するようになっている。ここで、上側流路ＲＡの球出口Ｓは、１個のパチンコ球が通過可能な開口幅に形成されており、上側流路ＲＡ(拡大流路ＲＡ２)から下側流路ＲＢへ殆ど同じ位置をパチンコ球が流下するようになっている。具体的には、前記上側流路ＲＡの球出口Ｓは、パチンコ球の直径より大きく、パチンコ球の直径の２倍よりも狭い開口幅で形成されている。
【００２４】
また、前記枠状装飾体２５には、図２、図４に示すように、前記表示窓口２５ａの下側(枠状装飾体２５の内周下縁部)にステージ２８が配設されると共に、当該表示窓口２５ａの左側部(第１球流下経路２１ａ側の側部)を形成する区画壁部２６に、前記遊技領域２１に開口すると共にステージ２８に連通する球導入部２９が設けられ、前記遊技領域２１(第１球流下経路２１ａ)を流下するパチンコ球を、当該球導入部２９の枠状装飾体２５の内側(ステージ２８)に取り込み得るよう構成されている。そして、前記ステージ２８の上面を形成する転動面２８ａに、前方(遊技領域２１)へ向けて下方傾斜する排出部２８ｂ〜２８ｃが形成されて、当該転動面２８ａを転動するパチンコ球を排出部２８ｂ〜２８ｃから遊技領域２１に排出するよう構成される。ここで、前記ステージ２８には、後述する第１の複合入球部３０の上方位置に複数の排出部２８ｂ〜２８ｃが形成されて、何れかの排出部２８ｂ〜２８ｃからパチンコ球が排出されるようになっている。具体的には、前記第１の複合入球部３０における固定始動口３２(後述)の鉛直上方に位置する１つの第１排出部２８ｂと、当該第１排出部２８ｂの左右側方に位置する２つの第２排出部２８ｃ,２８ｃとが設けられており、ステージ２８上のパチンコ球が第１排出部２８ｂから排出されることで、第２排出部２８ｃ,２８ｃから排出される場合よりも固定始動口３２に入賞(入球)し易くなるよう構成されている。すなわち、ステージ２８によりパチンコ球を第１の複合入球部３０(固定始動口３２)の配設位置上方まで誘導することで、球導入部２９に取り込まれずに第１球流下経路２１ａを流下したパチンコ球よりも、球導入部２９に取り込まれたパチンコ球の方が固定始動口３２に入賞する確率が高くなるようにしている。
【００２５】
(入球部について)
図２〜図４に示すように、前記遊技盤２０には、遊技領域２１を流下するパチンコ球が入球可能な複数の入球部(具体的には、後述する固定始動入賞部３１、ゲート部３４、特別入賞部４０、普通入賞部４８,２２０、可変作動入球部２４０、可変始動入賞部１６１,１６２)が設けられており、パチンコ球が入球した入球部に応じた制御が実行されることで所定の遊技を行い得るようになっている。具体的に、実施例のパチンコ機１０では、前記入球部としての固定始動入賞部３１が前記第１球流下経路２１ａを流下するパチンコ球が入球可能な位置に設けられると共に、前記入球部としてのゲート部３４、特別入賞部４０、可変作動入球部２４０および可変始動入賞部１６１,１６２が、前記第２球流下経路２１ｂを流下するパチンコ球が入球可能な位置に設けられている。なお、実施例の遊技盤２０には、前記第１および第２球流下経路２１ａ,２１ｂの夫々に位置するよう入球部としての普通入賞部４５,２２０が配置されており、第１および第２球流下経路２１ａ,２１ｂを流下させたパチンコ球が普通入賞部４５,２２０に入賞し得るようになっている。ここで、実施例のパチンコ機１０では、前記固定始動入賞部３１およびゲート部３４が前記第１の複合入球部３０に設けられると共に、前記可変作動入球部２４０および可変始動入賞部１６１,１６２が前記第２の複合入球部１００として遊技盤２０に配設されている。
【００２６】
(第１の複合入球部３０について)
前記第１の複合入球部３０は、図２、図４、図５に示すように、前記遊技盤２０に配設される取着部材４００に、第１球流下経路２１ａを流下するパチンコ球が入球可能な位置で入球口としての固定始動口３２が常に開口するよう前記固定始動入賞部３１が設けられると共に、第２球流下経路２１ｂを流下したパチンコ球が入球可能な位置で入球口としてのゲート入口３５が常に開口するよう前記ゲート部３４が設けられている。すなわち、第１の複合入球部３０の配設位置まで第１球流下経路２１ａを流下したパチンコ球が常時開口する固定始動入賞部３１の固定始動口３２に一定の確率で入球し得ると共に、第１の複合入球部３０の配設位置まで第２球流下経路２１ｂを流下したパチンコ球が常時開口するゲート部３４のゲート入口３５に一定の確率で入球し得るようになっている。このように、前記第１の複合入球部３０には、パチンコ球の入賞確率が変化しない複数(実施例では２つ)の入球部(記固定始動入賞部３１およびゲート部３４)が設けられると共に、当該固定始動入賞部３１とゲート部３４とでパチンコ球が入球し易い球流下経路２１ａ,２１ｂが異なるように配置されている。
【００２７】
ここで、前記第１の複合入球部３０において、前記固定始動入賞部３１(固定始動口３２)に入賞したパチンコ球は、メイン制御基板６０に配線接続された球検出センサ７５に検出されるよう構成されており(図２５参照)、当該球検出センサ７５がパチンコ球を検出してメイン制御基板６０に検出信号が入力されることを契機として後述する特図当り判定(当り判定)が実行されるよう設定されている。また、前記第１の複合入球部３０において、前記ゲート部３４(ゲート入口３５)に入球したパチンコ球は、メイン制御基板６０に配線接続された球検出センサ７６に検出されるよう構成されており(図２５参照)、当該球検出センサ７６がパチンコ球を検出してメイン制御基板６０に検出信号が入力されることを契機として後述する普図当り判定(可変作動入球部２４０の開放判定)が実行されるよう設定されて、当該普図当り判定の結果に基づいて可変作動入球部２４０の作動口開閉部材２６０を開放動作するように第１ソレノイド２６１(後述)が駆動されるようになっている。すなわち、第１の複合入球部３０は、前記遊技盤２０に配設される取着部材４００に、パチンコ球の入賞(入球)を契機として特図当り遊技を生起させるか否かを判定する特図当り判定条件が成立する入球部(具体的には固定始動入賞部３１)と、パチンコ球の入球を契機として普図当り判定条件(可変作動入球部２４０の開閉部材２６０を開放動作させるかを判定する開放判定条件)が成立する入球部(具体的にはゲート部３４)とを備えたユニット部材として構成されている。
【００２８】
以下の説明では、前記固定始動入賞部３１に入賞したパチンコ球を検出する球検出センサを固定始動検出センサ７５と指称し、前記ゲート部３４に入球したパチンコ球を検出する球検出センサをゲートセンサ７６と指称するものとする。なお、前記ゲート部３４は、遊技領域２１(具体的には第２球流下経路２１ｂ)内で球出口が常に開口するよう形成されて、当該ゲート部３４のゲート入口３５に入球したパチンコ球がそのまま遊技領域２１(第２球流下経路２１ｂ)に排出されるようになっている。また、実施例のパチンコ機１０では、前記固定始動入賞部３１にパチンコ球が入賞すること(固定始動検出センサ７５によるパチンコ球の検出)を契機として賞球の払出条件が成立するよう設定されており、固定始動検出センサ７５からメイン制御基板６０への検出信号の入力に伴って所定数(実施例では３個)の賞球が払い出されるようになっている。なお、実施例では、前記ゲート部３４にパチンコ球が入球することを契機としては賞球の払出条件が成立しないよう設定されているが、当該ゲート部３４にパチンコ球が入球することを契機として賞球の払出条件が成立するようにしてもよい。
【００２９】
(第２の複合入球部１００について)
前記第２の複合入球部１００は、図２、図６に示すように、前記第１球流下経路２１ａおよび第２球流下経路２１ｂの何れか一方に偏って位置するよう前記遊技盤２０に配設されて、当該第１および第２球流下経路２１ａ,２１ｂの何れかを流下するパチンコ球が入球可能な位置で作動口(入球口)１０１および可変始動口(入球口)１０２,１０３が開口するよう前記可変作動入球部２４０および可変始動入賞部１６１,１６２が設けられている。実施例では、前記遊技盤２０における前記第１の複合入球部３０の右側方に位置するよう前記第２の複合入球部１００が前記第２球流下経路２１ｂ(具体的には下側流路ＲＢ)に配設されて、当該第２球流下経路２１ｂを流下するパチンコ球のみが可変作動入球部２４０および可変始動入賞部１６１,１６２に入球し得るよう構成されている。
【００３０】
ここで、図６に示すように、前記可変作動入球部２４０および可変始動入賞部１６１,１６２の夫々は、パチンコ球が入球可能な入球口１０１,１０２,１０３を開閉部材２６０,１６５,１６６により開閉可能に構成されており、開閉部材２６０,１６５,１６６の開閉に伴ってパチンコ球の入賞確率が変化(可変)する可変入球部として構成されている。前記可変作動入球部２４０は、開閉部材２６０にソレノイド(電動式駆動手段)２６１が接続されて、当該ソレノイド２６１の駆動に伴い開閉部材２６０が開閉動作する第１の可変入球部として構成されると共に、前記可変始動入賞部１６１,１６２は、当該可変作動入球部(第１の可変入球部)２４０の入球口１０１に入球したパチンコ球との接触に伴い作動して開閉部材１６５,１６６の開閉状態を切り替え可能な第２の可変入球部として構成されており、各対応の開閉部材２６０,１６５,１６６の開閉状態に応じて、第２球流下経路２１ｂを流下するパチンコ球が可変作動入球部２４０や可変始動入球部１６１,１６２に入球し得るようになっている。すなわち、実施例の遊技盤２０には、電気的に作動される第１の可変入球部としての可変作動入球部２４０のと、該電気的に作動する第１の可変入球部２４０に入球したパチンコ球により機械的に作動される第２の可変入球部としての可変始動入賞部１６１,１６２とが設けられている。
【００３１】
ここで、前記可変始動入賞部１６１,１６２に入球したパチンコ球は、メイン制御基板６０に配線接続された球検出センサ７７,７８に検出されるよう構成されており(図２５参照)、当該球検出センサ７７,７８がパチンコ球を検出してメイン制御基板６０に検出信号が入力されることを特図変動表示(後述)の開始条件および賞球の払出条件として設定されている。そこで、以下の説明では、第２の複合入球部１００において前記可変始動入賞部(第２の可変入球部)１６１,１６２の開閉作動条件となる可変作動入球部(第１の可変入球部)２４０の入球口を作動口１０１と指称するものとする。また、第２の複合入球部１００において前記可変始動入賞部１６１,１６２の入球口を可変始動口１０２,１０３と指称し、当該可変始動入賞部１６１,１６２に入球したパチンコ球を検出する球検出センサを可変始動検出センサ７７,７８と指称する。ここで、前記第２の複合入球部１００には、上下に離間する位置に複数(実施例では２つ)の可変始動入賞部１６１,１６２が設けられており、下側に位置する可変始動入賞部を第１可変始動入賞部１６１と指称すると共に、上側に位置する可変始動入賞部を第２可変始動入賞部１６２と指称して、可変始動入賞部１６１,１６２を区別する場合がある。すなわち、第２の複合入球部１００は、前記第２球流下経路２１ｂ(下側流路ＲＢ)において、第１可変始動入賞部１６１よりも上流側に第２可変始動入賞部１６２が位置するよう配置されて、当該第１可変始動入賞部１６１の配設位置までパチンコ球が流下する前に、第２可変始動入賞部１６２の開閉状態に応じて第２可変始動口１０３に入賞し得るよう構成されている。
【００３２】
すなわち、実施例に係るパチンコ機１０では、前記第１球流下経路２１ａをパチンコ球が流下する場合(左打ち遊技の場合)に、パチンコ球が第２球流下経路２１ｂを流下する場合に較べて、第１の複合入球部３０の固定始動入賞部３１(固定始動口３２)にパチンコ球が入球(入賞)する可能性が高くなるよう構成されている。また、前記第２球流下経路２１ｂをパチンコ球が流下する場合(右打ち遊技の場合)に、パチンコ球が第１球流下経路２１ａを流下する場合に較べて、第１の複合入球部３０のゲート部３４(ゲート入口３５)や第２の複合入球部１００の可変作動入球部２４０(作動口１０１)、可変始動入賞部１６１,１６２(可変始動口１０２,１０３)、特別入賞部４０(特別入賞口４１)にパチンコ球が入球(入賞)する可能性が高くなるよう構成されている。従って、操作レバー１６ａの回動操作により左打ち遊技および右打ち遊技に遊技者が能動的に切り替えることで、パチンコ球が入賞可能な入賞部を切り替え得るようになっている。具体的には、実施例のパチンコ機１０では、前記枠状装飾体２５の形状や遊技釘Ｇの配置等により、前記第２球流下経路２１ｂを流下したパチンコ球が固定始動入賞部３１に略入賞し得ないよう構成されると共に、前記第１球流下経路２１ａを流下したパチンコ球がゲート部３４(ゲート入口３５)や可変作動入球部２４０(作動口１０１)、可変始動入賞部１６１,１６２(可変始動口１０２,１０３)、特別入賞部４０(特別入賞口４１)に略入賞し得ないようになっている。
【００３３】
(特別入賞部４０について)
前記特別入賞部(特別入賞手段)４０は、図３に示すように、前記第１球流下経路２１ａおよび第２球流下経路２１ｂにおいて前記第２の複合入球部１００の配設側に偏って位置するよう設けられている。すなわち、実施例では、前記第２球流下経路２１ｂに位置するよう前記特別入賞部４０が設けられて、当該第２球流下経路２１ｂを流下するパチンコ球のみが特別入賞部４０に入賞し得るよう構成されている。ここで、前記特別入賞部４０は、前記枠状装飾体２５の右側部に、前記第２球流下経路２１ｂの上側流路ＲＡにおける拡大流路ＲＡ２に位置するよう設けられて、前記第２の複合入球部１００の配設位置より上流側に位置するよう構成されている。従って、前記特別入賞部４０に入賞することなく第２球流下経路２１ｂの拡大流路ＲＡ２を流下したパチンコ球が第２の複合入球部１００に向けて移動することで、前記可変作動入球部２４０や第１および第２可変始動入賞部１６１,１６２に入球し得るようになっている。
【００３４】
ここで、前記特別入賞部４０は、図３に示すように、遊技領域２１(拡大流路ＲＡ２)に開口する入球口としての特別入賞口４１を開閉自在に閉成する開閉部材(開閉手段)４３を備えており、駆動手段としての特別入賞ソレノイド４２(図２５参照)の駆動に伴って開閉部材４３が閉鎖する閉鎖位置と開放する開放位置に変位するよう構成されている。なお、実施例では、前記開閉部材４３が前後方向に延在する軸を中心に揺動することで特別入賞口４１を開閉するよう構成されており、該開閉部材４３により特別入賞口４１が閉鎖された状態を図３に実線で示す。また、前記特別入賞部４０には、前記特別入賞口４１に入球したパチンコ球を検出する特別入賞検出手段としての特別入賞検出センサ７９(図２５参照)が設けられて、当該特別入賞検出センサ７９が前記メイン制御基板６０に配線接続されている。そして前記特別入賞部４０にパチンコ球が入賞すること(特別入賞検出センサ７９によるパチンコ球の検出)を契機として賞球の払出条件が成立するよう設定されており、特別入賞検出センサ７９からメイン制御基板６０への検出信号の入力に伴って所定数(実施例では１５個)の賞球が払い出されるようになっている。ここで、前記特別入賞ソレノイド４２は、前記固定始動入賞部３１および可変始動入賞部１６１,１６２の何れかへのパチンコ球の入球を契機として特別入賞部４０を開放する大当り遊技が付与される場合に、大当り遊技の種類に応じた所定の開閉条件に従ってメイン制御基板６０によって駆動制御される。
【００３５】
(普通入賞部４５,２２０について)
図２に示すように、前記普通入賞部４５,２２０は、前記遊技領域２１の左右下部位置において、パチンコ球が入賞(入球)可能な普通入賞口４６,２２１が上方に常時開口するよう前記遊技盤２０に設けられており、第１球流下経路２１ａを流下するパチンコ球および第２球流下経路２１ｂを流下するパチンコ球の夫々が一定の確率で普通入賞口４６,２２０に入賞し得るようになっている。すなわち、普通入賞部４５,２２０は、パチンコ球の入賞確率が変化しない固定入賞部である。実施例では、遊技盤２０の第１球流下経路２１ａに３つの普通入賞部４５が設けられ、第２球流下経路２１ｂ(具体的には第２の複合入球部１００)に１つの普通入賞部２２０が設けられている。また、第１球流下経路２１ａに設けられた各普通入賞部４５は、各普通入賞口４６に入賞したパチンコ球を合流して通過させる排出経路(図示せず)に、当パチンコ球を検出する入賞検出手段としての普通入賞検出センサ４８(図２５参照)を備えると共に、前記第２の複合入球部１００の普通入賞部２２０は、普通入賞口２２１に入賞したパチンコ球を通過させる後述の排出経路(図８示参照)に、パチンコ球を検出する入賞検出手段としての普通入賞検出センサ２２２(図２５参照)を備えている。前記普通入賞検出センサ４８,２２２は、パチンコ機１０の裏側に配設された制御手段としてのメイン制御基板６０に配線接続されている。そして、前記普通入賞部４５,２２０にパチンコ球が入賞すること(普通入賞検出センサ４８,２２２によるパチンコ球の検出)を契機として賞球の払出条件が成立するよう設定されており、普通入賞検出センサ４８,２２２からメイン制御基板６０への検出信号の入力に伴って所定数(実施例では１０個)の賞球が払い出されるようになっている。
【００３６】
(球通路ユニット８０について)
また、前記遊技盤２０の裏側には、図７、図８に示すように、前記第２の複合入球部１００の後方位置に球通路ユニット８０が設けられており、当該第２の複合入球部１００の入球口(作動口１０１や可変始動口１０２,１０３、普通入賞口２２１)に入球したパチンコ球が球通路ユニット８０の球排出通路を介して遊技盤２０の外部に排出されるよう構成されている。ここで、前記球通路ユニット８０は、前記第２の複合入球部１００に前記作動口１０１に連通する作動口排出通路８１,８３と、前記可変始動口１０２,１０３に連通する始動口排出通路８８,８９とが形成されており、作動口１０１に入球したパチンコ球が作動口排出通路８１,８３を介して遊技盤２０の外部に排出されると共に、各可変始動口１０２,１０３に入賞したパチンコ球が始動口排出通路８８,８９を介して遊技盤２０の外部に排出されるようになっている。また、前記球通路ユニット８０には、前記第２の複合入球部１００の普通入賞口２２１に連通する普通入賞口排出通路９５が形成されており、普通入賞口２２１に入球したパチンコ球が普通入賞口排出通路９５を介して遊技盤２０の外部に排出されるようになっている。
【００３７】
前記作動口排出通路８１,８３は、図８に示すように、前記第２の複合入球部１００に形成された第１の分岐流入通路３４５(後述)に繋がる第１の分岐排出通路８１と、当該第２の複合入球部１００に形成された第２の分岐流入通路３４６(後述)に繋がる第２の分岐排出通路８３とが設けられており、各分岐流入通路３４５,３４６を通出したパチンコ球が対応する分岐排出通路８１,８３を介して排出される。すなわち、実施例のパチンコ機１０では、前記作動口１０１に接続する球通路は、前記第２の複合入球部１００に設けられた第１の分岐流入通路３４５および球通路ユニット８０に設けられた第１の分岐排出通路８１からなる第１分岐通路と、第２の複合入球部１００に設けられた第２の分岐流入通路３４６および球通路ユニット８０に設けられた第２の分岐排出通路８３からなる第２分岐通路とに分岐するようになっている。そして、前記第１および第２分岐通路の分岐位置に設けられた後述する通路振分部３５０により、前記作動口１０１に入球したパチンコ球が何れかの分岐通路に振り分けられるようになっている。
【００３８】
ここで、図８に示すように、前記第１の分岐排出通路８１(詳細には上流側分岐排出通路８２ａ)および第２の複合入球部１００に設けられた第２の分岐流入通路３４６には、対応する第１および第２分岐通路を通過するパチンコ球を検出する球検出センサ８５,８６が設置されている。以下の説明では、第１の分岐排出通路８１に設けられた球検出センサを第１通過検出センサ８５と指称し、第２の分岐流入通路３４６に設けられた球検出センサを第２通過検出センサ８６と指称する。そして、この第１および第２通過検出センサ８５,８６の夫々は、メイン制御基板６０に配線接続されており(図２５参照)、当該各通過検出センサ８５,８６がパチンコ球を検出してメイン制御基板６０に検出信号が入力されることで、各通過検出センサ８５,８６に対応した分岐排出通路８１,８３の可変始動入賞部１６１,１６２の作動を、メイン制御基板６０が把握し得るようになっている。
【００３９】
また、前記第１の分岐排出通路８１は、前記第１の分岐流入通路３４５の球出口および前記第１可変始動入賞部１６１(より具体的には後述する機構設置ケース１７０の作動球入口１７０ａ)に連通接続させてパチンコ球を第１可変始動入賞部１６１(具体的には球受け部１７９)へ案内する上流側分岐排出通路８２ａと、当該第２可変始動入賞部１６２(具体的には後述する機構設置ケース１７０の作動球出口１７０ｂ)に連通接続して遊技盤２０の下端部で開口する下流側分岐排出通路８２ｂとから構成されており、前記作動口１０１から離れた第１可変始動入賞部１６１(球受け部１７９)へパチンコ球を誘導しつつ、当該第１可変始動入賞部１６１(球受け部１７９)に誘導されたパチンコ球を遊技盤２０の外部へ排出するようになっている。一方で、前記第２の分岐排出通路８３は、第２可変始動入賞部１６２(具体的には後述する機構設置ケース１７０の作動球出口１７０ｂ)に接続すると共に遊技盤２０の下端部で開口するよう形成されており、第２の分岐流入通路３４６を介して第２可変始動入賞部１６２(球受け部１７９)に誘導されたパチンコ球を遊技盤２０の外部へ排出するようになっている。
【００４０】
前記始動口排出通路８８,８９は、図８に示すように、前記第１可変始動入賞部１６１の第１可変始動口１０２(具体的には第２の複合入球部１００に形成された第１取込口１１５ａ)に繋がる第１の始動口排出通路８８と、前記第２可変始動入賞部１６２の第２可変始動口１０３(具体的には第２の複合入球部１００に形成された第２取込口１１６ａ)に繋がる第２の始動口排出通路８９とが設けられており、各可変始動口１０２,１０３に入賞したパチンコ球が対応する始動口排出通路８８,８９を介して排出されるようになっている。そして、前記第１可変始動入賞部１６１に対応した第１可変始動検出センサ７７が前記第１の始動口排出通路８８に設置されると共に、前記第２可変始動入賞部１６２に対応した第２可変始動検出センサ７８が前記第２の始動口排出通路８９に設置されている。なお、前記球通路ユニット８０には、後述するアウト球取込通路１１９に連通するアウト通路９３が設けられており、当該アウト通路９３に対して、第１および第２の始動口排出通路８８,８９が合流するようになっている。
【００４１】
図７に示すように、前記球通路ユニット８０および前記第２の複合入球部１００を遊技盤２０に設置した状態で、前記第１可変始動入賞部１６１の配設位置に対応して、前後に開口する第１設置窓部９０が開設されるようになっている。前記球通路ユニット８０には、前記第２可変始動入賞部１６２の配設位置に対応して、前後に開口する第２設置窓部９１が開設されている。また、前記第１設置窓部９０および第２設置窓部９１は、対応する可変始動入賞部１６１,１６２(具体的に後述する機構設置ケース１７０)の外形よりも一回り大きな形状に形成されており、当該設置窓部９０,９１を介して可変始動入賞部１６１,１６２の後部が球通路ユニット８０の後方に露出するようになっている。
【００４２】
ここで、実施例のパチンコ機１０では、前記固定始動検出センサ７５、第１および第２可変始動検出センサ７７,７８の何れかがパチンコ球を検出した検出信号がメイン制御基板６０へ入力されることを契機として賞球の払出条件が成立するよう設定されており、所定数(実施例では３個)の賞球を払い出させるようメイン制御基板６０に設けられたメイン制御ＣＰＵ６０ａが図示しない球払出装置を制御するよう設定されている。また、前記固定始動検出センサ７５、第１および第２可変始動検出センサ７７,７８によるパチンコ球の検出に伴って各種入賞情報(入球情報、後述する各種乱数情報)がメイン制御ＣＰＵ６０ａに取得され、この取得した情報に基づいて特図当り判定(当り判定)が行われるよう構成されている。具体的には、センサ７５,７７,７８の検出に伴って取得された各種入賞情報がメイン制御ＲＡＭ６０ｃに第１特図始動保留情報または第２特図始動保留情報として一時的に記憶されて、所定の特図変動表示を開始するタイミングでメイン制御ＲＡＭ６０ｃに記憶された第１特図始動保留情報または第２特図始動保留情報に基づいて特図当り判定(当り判定)が行われるよう構成されている。そして、特図当り判定の結果に基づいて特図表示部５０Ａ,５０Ｂ(後述)において特図変動表示が実行されると共に、前記図柄表示装置１７において図柄変動演出が実行されるようになっている。そして、特図表示部５０Ａ,５０Ｂでの特図変動表示の結果、所定の当り表示となる図柄が確定停止表示されると共に、前記図柄表示装置１７での図柄変動演出の結果として、該図柄表示装置１７に所定の当り表示となる図柄組み合わせ(例えば同一飾図の３つ揃い等)で飾図が確定停止表示されることで、遊技者に有利な大当り遊技が付与され、大当り遊技の発生に伴って前記特別入賞部４０を所定の開放条件で開放して、遊技者が賞球を獲得し得る機会が与えられるよう構成されている。
【００４３】
(第１の複合入球部３０の具体的構成について)
次に、前記第１の複合入球部３０の具体的な構成につて説明する。前記前記第１の複合入球部３０の取着部材４００は、図４、図５に示すように、前記遊技盤２０の前面側に取り付けられる台板部４０１と、当該台板部４０１の前面側に配設された前側部材４０５とを備えており、当該取着部材４００の上部位置に前記固定始動口３２が設けられると共に、当該取着部材４００の右下部位置に前記ゲート部３４が設けられている。そして、前記台板部４０１の上部位置に、前後および上方に開口する樋状の後側球樋部４０２が形成されると共に、前記前側部材４０５において前記台板部４０１に対向する前面板４０６の上部位置に、後方および上方に開口する前側球樋部４０７が形成されており、台板部４０１と前側部材４０５とを組み付けた際に、後側球樋部４０２の前方開口と前側球樋部４０７の後方開口とが整列することで前記固定始動入賞部３１を形成するようになっている。そして、前記遊技盤２０の前面側で前記前側球樋部４０７が上方に開口するよう構成されており、当該前側球樋部４０７における上方開口が前記固定始動口３２を形成するようになっている。なお、前記台板部４０１は、前記遊技盤２０に取り付けた状態で、前面側をパチンコ球が通過可能な薄板状に形成されている。
【００４４】
また、前記台板部４０１の右下部位置には、図４、図５に示すように、前後に開口する横長矩形状の貫通孔４０１ａが形成されると共に、当該貫通孔４０１ａの開口縁から後方へ延在する筒状の支持筒部４０３が形成されており、当該支持筒部４０３の後方開口を介して後方から差し込んだ前記ゲートセンサ７６の後側部分を支持筒部４０３で支持するよう構成されている。更に、前記前側部材４０５には、前記貫通孔４０１ａの前側位置に、前記台板部４０１から前方へ突出する前記ゲートセンサ７６の前側左右側縁部を支持する支持受け部４０８が形成されている。前記左右の支持受け部４０８は、前後に延在するガイド凹部４０８ａ(図５(b)に一方のみ図示)が各対向面側に形成されており、当該ガイド凹部４０８ａにゲートセンサ７６の前側左右側縁部が嵌合することで、前記ゲートセンサ７６の前側部分を左右の支持受け部４０８で支持するよう構成されている。
【００４５】
また、前記左右の支持受け部４０８には、後方へ突出する係止爪部４０８ａが形成されて、前記台板部４０１の貫通孔４０１ａの前側から各係止爪部４０８ｂが挿入されて、前記支持筒部４０３の後端部に形成された係止部４０３ａに係止爪部４０８ｂが係合することで、支持筒部４０３および左右の支持受け部４０８が位置決めされるようになっている。ここで、前記係止爪部４０８ｂの間の間隔は、前記ゲートセンサ７６の幅と一致するよう設定されて、当該ゲートセンサ７６の左右位置を位置決めするようになっている。なお、前記支持筒部４０３には、ゲートセンサ７６の後端部に係合する抜け止め部４０３ｂが形成されて、当該抜け止め部４０３ｂの係合によりパチンコ球が通過する球通過孔７５ａが台板部４０１の前側に位置する状態で前記ゲートセンサ７６が位置決めされるよう構成されている。
【００４６】
また、図４、図５に示すように、前記取着部材４００には、前記左右の支持受け部４０８の上端部から取着部材４００の外縁部の間に延在する左右の第１通路壁部４１０,４１１が形成されている。前記第１通路壁部４１０,４１１は、１個のパチンコ球が通過可能な間隔(パチンコ球の直径より大きく２倍より小さい間隔)で対向するよう形成されて、両第１通路壁部４１０,４１１の間にパチンコ球が通過可能な第１球通路４１２が画成されると共に、当該第１球通路４１２の入口(上方開口)３５が遊技領域２１(第２球流下経路２１ｂ)内で開口するよう形成されている。従って、遊技領域２１(第２球流下経路２１ｂ)を流下するパチンコ球が第１球通路４１２の入口３５に流入することで、前記ゲートセンサ７６まで導かれるよう構成されている。すなわち、前記取着部材４００において、前記台板部４０１、前側部材４０２および左右の第１通路壁部４１０,４１１により前記ゲート部３４が形成されると共に、当該左右の第１通路壁部４１０,４１１間の第１球通路４１２の入口が前記ゲート入口３５を形成するようになっている。このように、実施例のパチンコ機１０では、前記第１の複合入球部３０における前記取着部材４００の上部に前記固定始動入賞部３１が配置されると共に、当該固定始動口３２の下側に、前記ゲート部３４にパチンコ球が入球し易い第２球流下経路２１ｂ側に偏倚する位置に当該ゲート部３４が配置されている。すなわち、実施例の第１の複合入球部３０は、第１球流下経路２１ａおよび第２球流下経路２１ｂの一方の球流下経路２１ｂの下流に位置するようゲート部３４が配置されると共に、当該ゲート部３４が位置する第２球流下経路２１ｂから外れた位置に固定始動入賞部３１が配置されている。
【００４７】
ここで、前記左右の第１通路壁部４１０,４１１は、上方へ向かうにつれて第２の複合入球部１００の配設側(実施例では右側)に湾曲するよう形成されて、前記ゲート入口３５が第２球流下経路２１ｂの上流側に傾いて開口するよう構成されている。すなわち、前記第２球流下経路２１ｂを流下したパチンコ球がゲート部３４のゲート入口３５に入球し易くなるよう構成されている。また、図４、図５に示すように、左側の第１通路壁部４１０には、前記左側の支持受け部４０８の上方位置に、当該第１通路壁部４１０から突出する突起部４１０ａが形成されており、第１球通路４１２を通過するパチンコ球が支持受け部４０８に接触するのを防ぐよう構成されている。具体的に、前記突起部４１０ａは、左側の支持受け部４０８の右端部と上下に整列する位置に設けられて、第１球通路４１２を通過するパチンコ球を突起部４１０ａがゲートセンサ７６の球通過孔７５ａへ向けて誘導するようになっており、当該第１球通路４１２を通過するパチンコ球が支持受け部４０８に接触することによりゲートセンサ７６が損傷するのを防止している。
【００４８】
また、図４、図５に示すように、前記第１の複合入球部３０(取着部材４００)には、前記固定始動口３２の固定始動口３２より一方(第２球流下経路２１ｂ側となる右側)に偏った位置に、前記左側の第１通路壁部４１０に対して１個のパチンコ球が通過可能な間隔(パチンコ球の直径より大きく２倍より小さい間隔)で対向する第２通路壁部４１５が設けられており、当該左側の第１通路壁部４１０および第２通路壁部４１５の間にパチンコ球が通過可能な第２球通路４１６が画成されている。前記第２球通路４１６は、入口(上方開口)４１７が前記遊技領域２１(第２球流下経路２１ｂ)内で開口すると共に、出口(下方開口)４１８が前記アウト口２３の上方において遊技領域２１内で開口するよう形成されており、当該第２球通路４１６の入口４１７に入球したパチンコ球をアウト口２３(ゲート部３４とは異なる位置)に向けて誘導するようになっている。すなわち、前記第２球通路４１６の入口４１７は、前記ゲート部３４のゲート入口３５に隣接するよう第１の複合入球部３０に設けられて、当該第２球通路４１６の入口４１７およびゲート部３４のゲート入口３５が同じ球流下経路２１ｂ内で開口するよう構成されており、第２球流下経路２１ｂを第１の複合入球部３０に向けて流下するパチンコ球がゲート入口３５や第２球通路４１６の入口４１７に入球し得るようになっている。このように、実施例の遊技盤２０には、前記ゲート部３４にパチンコ球が入球し易い第２球流下経路２１ｂを流下して前記前記第１の複合入球部３０(取着部材４００)に到来するパチンコ球を、当該ゲート部３４へ向けて案内する第１球通路４１２およびゲート部３４とは異なる位置へ案内する第２球通路４１６が設けられている。
【００４９】
また、前記第１の複合入球部３０には、図４、図５に示すように、前記固定始動入賞部３１の下方において前記ゲート部３４の配置側と反対側となる左側部に、当該ゲート部３４の配置側へのパチンコ球の移動を規制する規制壁部４２０が設けられている。すなわち、前記固定始動入賞部３１に入賞することなく第１の複合入球部３０の左側を流下したパチンコ球がゲート部３４側に移動するのを前記規制壁部４２０が防止するようになっている。このように、第１球流下経路２１ａを流下するよう打ち出されたパチンコ球がゲート部３４に入球し難くすることで、ゲート部３４にパチンコ球を入球させることで所定の遊技が実現される変短状態において第１球流下経路２１ａにパチンコ球を打ち出して遊技が行われた場合に所定の遊技が実現されないようにすることにより、前記左打ちから右打ちへ遊技形態を変更することを間接的に促すようにしている。
【００５０】
また、図５に示すように、前記遊技盤２０には、前記第２の複合入球部１００に形成された第４の球転動面１２４の傾斜下端から前記ゲート入口３５の右側開口端部(第２の複合入球部１００側の開口端部)に向けて連続する複数の遊技釘Ｇからなる第１案内連釘Ｇ１と、当該第４の球転動面１２４および第１案内連釘Ｇ１の上方に位置するよう設けられ、前記ゲート入口３５の左側開口端部(第２球通路４１６の入口４１７)に向けて連続する複数の遊技釘Ｇからなる第２案内連釘Ｇ２とが設けられている。すなわち、前記第２の複合入球部１００に形成された入球部(可変作動入球部２４０、可変始動入賞部１６１,１６２等)に入球することなく第２球流下経路２１ｂを流下したパチンコ球を、前記第１案内連釘Ｇ１により前記第１の複合入球部３０のゲート部３４(ゲート入口３５)へ向けて誘導することで、当該ゲート部３４に入球する機会を高めている。また、前記第１球流下経路２１ａを流下して第１の複合入球部３０の右側に流下したパチンコ球が前記第２案内連釘Ｇ２に接触することで、当該パチンコ球がゲート部３４よりも第２球通路４１６に誘導される割合を高めるようになっており、第１球流下経路２１ａを流下したパチンコ球がゲート部３４に入球し難くしている。
【００５１】
また、前記遊技盤２０には、前記枠状装飾体２５における表示窓口２５ａの右側の開口縁を形成する区画壁部２６の下端部から前記固定始動入賞部３１の下方へ向けて連続する複数の遊技釘Ｇからなる第３案内連釘Ｇ３が設けられている。すなわち、前記第２球流下経路２１ｂを流下するパチンコ球が固定始動入賞部３１に向かうのを第３案内連釘Ｇ３により規制することで、当該第２球流下経路２１ｂを流下したパチンコ球が固定始動入賞部３１に入球し難くなるようにしてある。なお、前記第１〜第３案内連釘Ｇ１〜Ｇ３には、各案内連釘Ｇ１〜Ｇ３の適宜位置に、パチンコ球が通過可能な隙間を形成するよう複数の遊技釘Ｇが設けられて、各案内連釘Ｇ１〜Ｇ３により案内されるパチンコ球が下方へ流下し得るようになっている。
【００５２】
このように、前記第１球流下経路２１ａを流下するパチンコ球が固定始動口３２に入球し得る一方で、遊技盤２０に設けられた前記枠状装飾体２５や遊技釘Ｇにより、第１球流下経路２１ａを流下するパチンコ球が固定始動口３２に入球する割合よりも、前記第２球流下経路２１ｂを流下するパチンコ球が固定始動口３２へ入球する割合が低くなるよう構成されている。実施例では、前記第３案内連釘Ｇ３により第２球流下経路２１ｂを流下するパチンコ球の固定始動口３２への入球が略不可能となっている。すなわち、実施例のパチンコ機１０では、固定始動入賞部３１とゲート部３４とで入球し易い球流下経路２１ａ,２１ｂが異なるように第１の複合入球部３０を遊技盤２０に配置することで、遊技状態に応じてパチンコ球を流下させる球流下経路２１ａ,２１ｂを遊技者が能動的に切り替える遊技を実現し得るようになっている。なお、前記枠状装飾体２５の区画壁部２６の下端部と第３案内連釘Ｇ３との間をパチンコ球が通過し得るよう構成することで、第２球流下経路２１ｂを流下するパチンコ球が固定始動口３２へ入球し得るようにすることができる。
【００５３】
なお、前記固定始動入賞部３１の固定始動口３２は、遊技盤２０の裏側に設けられた球排出通路(図示せず)に連通するよう構成されており、当該固定始動口３２に入球したパチンコ球が球排出通路を介して遊技盤２０の外部に排出されるよう構成されている。そして、この球排出通路に固定始動検出センサ７５が配設されており、球排出通路を介して排出される過程で固定始動検出センサ７５がパチンコ球を検出し得るようになっている。
【００５４】
(第２の複合入球部１００の具体的構成について)
前記第２の複合入球部１００は、図６〜図８に示すように、遊技盤２０に固定される本体部材１０５の裏側に、前記可変作動入球部２４０、第１および第２可変始動入賞部１６１,１６２の夫々が配設されて、当該本体部材１０５が遊技盤２０の前面から固定される。また、前記第２の複合入球部１００は、前記第２球流下経路２１ｂにおいて前記可変作動入球部２４０が第１および第２可変始動入賞部１６１,１６２より上流側に配置されると共に、当該可変作動入球部２４０の作動口１０１に入球したパチンコ球を、複数の球通路(具体的には第１および第２の分岐流入通路３４５,３４６)に振り分けて通出させる通路振分部(振分手段)３５０が設けられている。ここで、実施例の通路振分部３５０は、第１可変始動入賞部１６１に連通する前記第１分岐通路および第２可変始動入賞部１６２に連通する前記第２分岐通路の何れかにパチンコ球を振り分けるよう構成されており、当該通路振分部３５０での通路振分により、作動口１０１に入球したパチンコ球が第１または第２可変始動入賞部１６１,１６２の何れかへ誘導されるようになっている。すなわち、第２の複合入球部１００は、可変作動入球部２４０、第１および第２の可変始動入賞部１６１,１６２、通路振分部３５０を備えた単一のユニット部材として遊技盤２０に着脱し得るよう構成されている。
【００５５】
(本体部材１０５について)
前記本体部材１０５は、図６〜図８に示すように、前記遊技盤２０の前面側に取り付けられる取付ベース部１０６と、該取付ベース部１０６の前面側に配設されたカバー部１０８とから形成されている。そして、本体部材１０５の上部位置に可変作動入球部２４０および通路振分部３５０が配置され、本体部材１０５の下部位置に第１可変始動入賞部１６１が配置され、該可変作動入球部２４０および第１可変始動入賞部１６２の間に位置するよう第２可変始動入賞部１６２が配置されている。ここで、実施例の第２の複合入球部１００では、前記可変作動入球部２４０および通路振分部３５０をケース体２４１,３４０に組み付けてユニット化した作動入球振分ユニット２３０が前記本体部材１０５の上部裏側に配設されている。
【００５６】
また、前記本体部材１０５は、後方を透視可能な部材により形成されており、前記作動口１０１や固定始動口３２、可変始動口１０２,１０３を介して装置内部に流入したパチンコ球を前側(遊技者側)から目視し得るよう構成されている。なお、前記本体部材１０５の全体が透視可能に形成されている必要はなく、パチンコ球の通過経路を透視可能に構成するようにしてもよい。また、パチンコ球の流通経路の全体を透視可能に形成されている必要はなく、作動口１０１に入球したパチンコ球が前記通路振分部３５０により第１および第２の分岐流入通路３４５,３４６に振り分けられる様子を透視し得る構成であってもよい。このように、作動口１０１に入球したパチンコ球の第１および第２の分岐流入通路３４５,３４６への振分態様を視認し得るようにすることで、作動口１０１に入球したパチンコ球の通過経路に対する関心を高めることができる。
【００５７】
図６〜図８に示すように、前記本体部材１０５には、パチンコ球が通過可能な大きさで遊技領域２１内に開口する開口部(具体的には球流入口１１０ａ、球流出口１１０ｂ、第１可変始動口１０２、第２可変始動口１０３、第２のアウト口１０４)が外周の複数箇所に開設されると共に、前記取付ベース部１０６の適宜位置には、パチンコ球が通過可能な大きさで前後に貫通する通孔(具体的には作動口１０１、第１取込口１１５ａ、第２取込口１１６ａ)が複数箇所に開設されている。そして、前記本体部材１０５に、外周面に設けた開口部１０２,１０３と取付ベース部１０６の通孔１１５ａ,１１６ａとを連通させた球通路(以下、取込通路１１５,１１６という)や、外周面に設けた開口部１１０ａ,１１０ｂを連通させた球通路(以下、通出通路１１０という)が画成されている。ここで、実施例の第２の複合入球部１００には、本体部材１０５の上部に上下に開口する１つの開口部１１０ａが形成されると共に、遊技領域２１(第２球流下経路２１ｂ)に露出する左側部に左右に開口する４つの開口部１０２,１０３,１０４,１１０ｂが形成され、前記取付ベース部１０６には、前記可変作動入球部２４０、第１および第２可変始動入賞部１６１,１６２の配設位置に合わせて、前後に貫通する通孔１０１,１１５ａ,１１６ａが夫々形成されている。なお、実施例の第２の複合入球部１００では、後述するように前記可変作動入球部２４０の配設位置に対応して形成された通孔が前記作動口１０１となっている。また以下の説明において、第１可変始動入賞部１６２の配設位置に対応して形成された通孔を第１取込口１１５ａと指称し、第２可変始動入賞部１６１の配設位置に対応して形成された通孔を第２取込口１１６ａと指称する場合がある。
【００５８】
(通出通路１１０について)
前記通出通路１１０は、図６に示すように、前記本体部材１０５の上部に形成された開口部１１０ａと、当該本体部材１０５の左側部の上部位置に形成された開口部１１０ｂとを連通するよう構成されており、遊技領域２１(第２球流下経路２１ｂ)を流下するパチンコ球が、当該開口部１１０ａから通出通路１１０に流入して、開口部１１０ｂから遊技領域２１(第２球流下経路２１ｂ)に通出し得るようになっている。ここで、前記通出通路１１０は、開口部１１０ａから下方に延在する縦通路１１１と、当該縦通路１１１の下端部に連通すると共に左側面の開口部１１０ｂへ向けて下方傾斜する傾斜通路１１２とから構成されて、当該通出通路１１０(具体的には縦通路１１１)に開口するよう前記取付ベース部１０６に通孔１０１が形成されている。この通出通路１１０に開口する通孔は、前記可変作動入球部２４０の作動口開閉部材(開閉部材)２６０の作動により開閉されるようになっている。すなわち、通出通路１１０に開口するよう設けられた通孔が、前記可変作動入球部２４０の作動口１０１となっており、可変作動入球部２４０の作動口開閉部材２６０の開放に伴って、パチンコ球が作動口１０１に入球し得るようになっている。なお、以下の説明において、本体部材１０５の上面に形成された開口部を球流入口１１０ａと指称し、本体部材１０５の左側面の上部位置に形成された開口部を球流出口１１０ｂと指称して区別する場合がある。
【００５９】
ここで、図３に示すように、前記球流入口１１０ａは、前記第２球流下経路２１ｂにおける上側流路ＲＡの球出口Ｓの下方に整列する位置に設けられており、当該上側流路ＲＡの球出口Ｓを通過したパチンコ球が、球流入口１１０ａに通入して通出通路１１０に導入されるようになっている。すなわち、第２球流下経路２１ｂに打ち出されて上側流路ＲＡの球出口Ｓを通過し、下側流路ＲＢに移動したパチンコ球が高確率で球流入口１１０ａに通入するよう構成されている。また、前記通出通路１１０における縦通路１１１の側面を画成する左右の側壁部１１１ａは、上端面１１１ｂが球流入口１１０ａへ向けて下方傾斜する傾斜状に形成されており、前記上側流路ＲＡの球出口Ｓを通出した際に縦通路１１１から左右に逸れたパチンコ球を、当該左右の側壁部１１１ａにおける上端面１１１ｂの傾斜により略確実に球流入口１１０ａへ誘導するようになっている。すなわち、前記通出通路１１０における縦通路１１１の側面を画成する左右の側壁部１１１ａの上端面１１１ｂを傾斜状に形成することで、可変作動入球部２４０の作動口開閉部材２６０が開放した際における遊技領域２１(第２球流下経路２１ｂ)を流下するパチンコ球の作動口１０１への入球割合を高めている。
【００６０】
また、図３に示すように、前記縦通路１１１の側面を画成する左右の側壁部１１１ａは、前記作動口１０１の左右の開口縁に沿って延在するよう形成されており、作動口１０１の開放時に縦通路１１１を通過するパチンコ球が入球し易くしている。なお、実施例の本体部材１０５では、前記作動口１０１の左右の開口縁から前方へ突出するよう前記左右の側壁部１１１ａが取付ベース部１０６に形成されているが、当該縦通路１１１における左右の側壁部１１１ａを前記カバー部１０８の裏面に形成することも可能である。
【００６１】
(取込通路１１５,１１６について)
また前記本体部材１０５には、図６に示すように、本体部材１０５の左側面に形成された開口部１０２と、取付ベース部１０６の第１可変始動入賞部１６１の配設位置に形成された第１取込口１１５ａとを連通する第１取込通路１１５が設けられていると共に、本体部材１０５の左側面に形成された開口部１０３と前記取付ベース部１０６の第２可変始動入賞部１６２の配設位置に形成された第２取込口１１６ａとを連通する第２取込通路１１６が設けられる。すなわち、遊技領域２１(第２球流下経路２１ｂ)を流下する過程で、前記本体部材１０５の左側面に形成された開口部１０２,１０３から第１または第２取込通路１１５,１１６に流入したパチンコ球を、各取込通路１１５,１１６に対応する第１取込口１１５ａまたは第２取込口１１６ａから取り込み得るようになっている。なお、実施例では、前記本体部材１０５の左側面の最下方に位置する開口部１０３に前記第１取込通路１１５が連通し、前記球流出口１１０ｂの下方に隣接して位置する開口部１０２に前記第２取込通路１１６が連通するよう構成されている。
【００６２】
ここで、前記第１取込通路１１５に対応する開口部１０２は、前記第１可変始動入賞部１６１の第１始動口開閉部材(開閉部材)１６５により開閉されるよう構成されており、当該第１取込通路１１５に対応した開口部が第１可変始動入賞部１６１の第１可変始動口１０２として機能するようになっている。そして、前記第２取込通路１１６に対応する開口部１０３は、前記第２可変始動入賞部１６２の第２始動口開閉部材(開閉部材)１６６により開閉されるよう構成されており、当該第２取込通路１１６に対応した開口部が第２可変始動入賞部１６２の第２可変始動口１０３として機能するようになっている。すなわち、第１可変始動入賞部１６１の第１始動口開閉部材１６５の開放に伴ってパチンコ球が第１取込通路１１５に流入し得ると共に、第２可変始動入賞部１６２の第２始動口開閉部材１６６の開放に伴ってパチンコ球が第２取込通路１１６に流入し得るようになっている。換言すれば、前記第１取込通路１１５は、第１可変始動入賞部１６１の第１可変始動口１０２に入賞したパチンコ球が流下する入賞経路を構成すると共に、前記第２取込通路１１６は、第２可変始動入賞部１６２の第２可変始動口１０３に入賞したパチンコ球が流下する入賞経路を構成している。なお、実施例の第１取込通路１１５および第２取込通路１１６は、基本的に同一形態に形成されていることから、同一の機能を有する構成に関しては同じ符号を付して説明する。
【００６３】
ここで、前記第１および第２可変始動入賞部１６１,１６２を構成する後述の機構設置ケース１７０の前方開口部１７１が対応する取込口１１５ａ,１１６ａに突出するよう構成されており、各取込通路１１５,１１６をパチンコ球が通過する過程で、対応する可変始動入賞部１６１,１６２の入球作動部２０６,２０７にパチンコ球が接触するようになっている。
【００６４】
また、前記本体部材１０５には、図６に示すように、前記第１可変始動口１０２と第２可変始動口１０３との間に位置する開口部としての第２アウト口１０４と、前記取付ベース部１０６における第２取込口１１６ａ(第２可変始動入賞部１６２)の下方に形成された通孔(アウト球取込口１１９ａ)とを連通するアウト球取込通路１１９が設けられている。ここで、前記アウト球取込口１１９ａは、遊技盤２０(本体部材１０５)の裏側において前記球通路ユニット８０に形成されたアウト通路９３に連通するよう構成されており、前記遊技領域２１(第２球流下経路２１ｂ)を流下する過程で第２アウト口１０４に通入したパチンコ球が遊技盤２０の外部へ排出されるようになっている。
【００６５】
ここで、前記第２の複合入球部１００には、図６に示すように、前記通出通路１１０における傾斜通路１１２を形成する第１の球転動面１２１の傾斜下端の下方で前記第２可変始動口１０３が開口し、当該第２可変始動口１０３の開口縁から左方向に下方傾斜する第２の球転動面１２２の傾斜下端の下方で前記アウト球取込口１１９ａが開口すると共に、当該アウト球取込口１１９ａの開口縁から左方向に下方傾斜する第３の球転動面１２３の傾斜下端の下方で前記第１可変始動口１０２が開口するよう構成されている。すなわち、前記作動口１０１に入球することなく流下したパチンコ球が前記第２可変始動入賞部１６２の開閉態様に応じて第２可変始動口１０３に入賞し得ると共に、当該第２可変始動入賞部１６２入賞することなく流下したパチンコ球が前記第１可変始動入賞部１６１の開閉態様に応じて第１可変始動口１０２に入賞し得るようになっている。このように、第２の複合入球部１００は、前記作動口１０１、第２可変始動口１０３および第１可変始動口１０２の形成位置の順で前記上側流路ＲＡの球出口Ｓを通過したパチンコ球が辿るように流下するよう構成されて、上流側に位置する入球口(作動口１０１、第２可変始動口１０３および第１可変始動口１０２)への入球機会を高めている。
【００６６】
また、前記第１可変始動口１０２の開口縁から左方向に下方傾斜する第４の球転動面１２４の傾斜下端に、パチンコ球が通過不能な間隔で前記第１案内連釘Ｇ１の傾斜上端が連なるよう構成されており、第１可変始動入賞部１６１に入賞することなく第４の球転動面１２４を流下したパチンコ球を前記第１の複合入球部３０のゲート部３４に向けて誘導し得るようになっている。すなわち、前記第２球流下経路２１ｂに打ち出されたパチンコ球は、前記特別入賞部４０、第２の複合入球部１００の可変作動入球部２４０(作動口１０１)、第２可変始動入賞部１６２(第２可変始動口１０３)、第１可変始動入賞部１６１(第１可変始動口１０２)およびゲート部３４(ゲート入口３５)の順で辿るように流下するよう構成されて、各入球部への入球機会を高めている。なお、前記第３の球転動面１２３は、前記アウト球取込口１１９ａの開口縁側の端部(すなわち右端部)において傾斜角度が大きくなるよう構成されており、第３の球転動面１２３上のパチンコ球がアウト球取込口１１９ａに入球する割合を低減させて、第１可変始動口１０２へ向けて流下するよう構成されている。なお、前記第２の複合入球部１００には、前記第１可変始動口１０２(第３の球転動面１２３)の上方位置に、上方および後方へ開口する樋状の普通入賞部２２０が形成されており、当該普通入賞部２２０の上方開口がパチンコ球の入賞口(普通入賞口２２１)となっている。
【００６７】
(作動入球振分ユニット２３０について)
前記作動入球振分ユニット２３０は、図９に示すように、前記可変作動入球部２４０が配設される第１の本体ケース２４１と、前記通路振分部３５０が配設される第２の本体ケース３４０とを備え、両本体ケース２４１,３４０を組み付けることで、可変作動入球部２４０および通路振分部３５０を単一のユニットとして取り扱い可能に構成されている。具体的に、前記第２の本体ケース３４０の後方上部位置に前記第１の本体ケース２４１を固定した状態で、前記第２の複合入球部１００の本体部材１０５の裏側上部位置に、当該第２の本体ケース３４０が取り付けられる。
【００６８】
(第１の本体ケース２４１について)
前記第１の本体ケース２４１は、図９に示すように、前記第２の本体ケース３４０に固定される第１の前側ケース体１２２と、該第１の前側ケース体１２２の裏側に固定される第１の後側ケース体１２３とから構成されいる。そして、前記第１の本体ケース２４１を取り付けた第２の本体ケース３４０を前記第２の複合入球部１００の本体部材１０５(取付ベース部１０６)に固定することで、作動入球振分ユニット２３０が本体部材１０５に配設されるよう構成されている。
【００６９】
図１１に示すように、第１の本体ケース２４１には、可変作動入球部２４０の構成部材が収容される収容部２５０,２５１,２５２が画成されている。すなわち、第１の本体ケース２４１内には、駆動手段としての第１ソレノイド２６１を収容する第１収容部２５０と、作動部材(リンク手段)２６４および規制部材(規制手段)２６３を収容する第２収容部２５１と、作動口開閉部材２６０の後部分を収容する第３収容部２５２とが画成されている。ここで、第１の後側ケース体２４５は、前方へ開口する矩形箱状に形成され、該第１の後側ケース体２４５の内部上側に第１収容部２５０が画成されると共に、該第１の後側ケース体２４５の内部下側に第３収容部２５２が画成されている。また、第１の前側ケース体２４４は、上側部分が矩形筒状に形成され、この上側部分に第２収容部２５１が画成されている。そして、第１の前側ケース体２４４における矩形筒状部分の下側には、作動口１０１に整合する空間２４８を画成する壁部２５３,２５３が、左右に離間すると共に前後に延在している。この壁部２５３,２５３の下縁は、該第３収容部２５２に配設される作動口開閉部材２６０における側壁２７２の上縁と上下方向に対向するようになっている(図１３(b)参照)。なお、第１の後側ケース体２４５は、第１の前側ケース体２４４に画成された第３収容部２５２の前側部分を塞がないように構成される(図１３(b)参照)。
【００７０】
そして、図１１〜図１３(b)に示すように、取付ベース１０６における作動口１０１の上側に、上下方向に延在すると共に前後に開口して該作動口１０１に連通する第１スリット部２５７が設けられている。この第１スリット部２５７には、規制部材２６３に設けられた球当て部３１３が収容可能となっている(図１４(b)参照)。また、第１の前側ケース体２４４における矩形筒状部分の底部に、規制部材２６３が上下方向に通過可能な第２スリット部２５８が形成されている。規制部材２６３は、後述する規制位置および許容位置の間を姿勢変して規制状態および許容状態に切り替わる際に、第２スリット部２５８を通過するようになっている(図１３(b)参照)。また、第１の前側ケース体２４４における矩形筒状部分の上部に、規制部材２６３の上縁部が収容可能な第３スリット部２５９が形成されている。規制部材２６３は、後述する許容位置に姿勢変位した際に、上縁部が第３スリット部２５９へ収容されるようになっている(図１３(b)参照)。
【００７１】
(可変作動入球部２４０について)
前記可変作動入球部２４０は、前記作動口１０１を閉鎖する閉鎖位置(図１０(a)参照)および該作動口１０１を開放する開放位置(図１０(b)参照)に変位可能な作動口開閉部材２６０と、該作動口開閉部材２６０を駆動する電動式駆動手段としての第１ソレノイド２６１と、当該第１ソレノイド２６１を作動口開閉部材２６０に連繋接続する第１連繋部(連繋部)２６２とを備え、第１ソレノイド２６１が駆動制御することで作動口開閉部材２６０が開放位置および閉鎖位置に変位するよう構成されている。すなわち、前記第１ソレノイド２６１の駆動に伴って前記作動口開閉部材２６０を閉鎖位置および開放位置に変位させることで、前記通出通路１１０(縦通路１１１)を流下するパチンコ球の作動口１０１への入球が許容された状態と、入球が阻止された状態と切り替わるよう構成されている。ここで、作動口開閉部材２６０が作動口１０１を閉鎖する状態としては、当該作動口開閉部材２６０により作動口１０１が完全に塞がれて前記通出通路１１０(縦通路１１１)に開口しない状態である必要はなく、当該作動口１０１をパチンコ球が入球不能な程度に塞ぐ状態であれば、作動口１０１が通出通路１１０(縦通路１１１)に開口している状態であってもよい。
【００７２】
前記可変作動入球部２４０は、図１２に示すように、作動口１０１へのパチンコ球の入賞を規制する規制位置(規制状態；図１３(b)参照)および該作動口１０１へのパチンコ球の入賞を許容する許容位置(許容状態；図１３(b)参照)に変位可能な規制部材(規制手段)２６３を備えている。この規制部材２６３は、リンク手段としての作動部材２６４を介して第１連繋部２６２に連係しており、第１ソレノイド２６１が駆動制御することで規制位置および許容位置に変位するよう構成されている。すなわち、可変作動入球部２４０は、第１ソレノイド２６１の作動に伴って変位する第１連繋部２６２および作動部材２６４により規制部材２６３を規制位置および許容位置に変位させることで、パチンコ球が作動口１０１へ入賞するのを許容する許容状態と、入賞するのを規制する規制状態と切り替わるよう構成されている。ここで、規制部材２６３が作動口１０１へのパチンコ球の入賞を規制する状態としては、当該規制部材２６３により作動口１０１が完全に塞がれて第２球流下経路２１ｂに開口しない状態である必要はなく、当該作動口１０１をパチンコ球が入賞不能な程度に塞ぐ状態であれば、作動口１０１が遊技領域２１に開口している状態であってもよい。
【００７３】
(作動口開閉部材２６０について)
作動口開閉部材２６０は、図１０〜図１４に示すように、前後方向に長尺な平板状に形成されている。作動口開閉部材２６０は、前側部分２７０と該前側部分２７０の後側に連設される後側部分２７１とを備え、第１の後側ケース体２４５に形成された第３収容部２５２に後側部分２７１が摺動可能に挿入され、当該第３収容部２５２の前方開口から前側部分２７０が延出するよう構成されている。すなわち、作動口開閉部材２６０は、前側部分２７０が第３収容部２５２から前方へ突出した状態で、前後方向に往復移動し得るよう構成されている。そして、作動口開閉部材２６０の後側部分２７１に、第１連繋部２６２の第１リンク係合部２９５と係合する開閉係合部２８０が設けられている。
【００７４】
作動口開閉部材２６０の前側部分２７０は、図１０〜図１４に示すように、前後に長い矩形枠状に形成されている。前側部分２７０は、パチンコ球の直径より大きい間隔で左右に離間すると共に前後に延在する左右一対の側壁２７２,２７２を備えている。また、前側部分２７０の前端部は、後方へ向かうにつれて下方傾斜する傾斜状に形成された球誘導片(球受け部)２７３が上方へ突出するよう形成されている。この球誘導片２７３は、左右中央が前方へ尖っていて、左右中央から左側部分が後方に向かうにつれて後方へ変位して左の側壁２７２に連設されると共に、左右中央から右側部分が後方へ向かうにつれて後方へ変位して右の側壁２７２に連設されている。また、前側部分２７０の底部は、前述した球誘導片２７３に連設する前部が、後方に向かうにつれて僅かに下方へ傾斜する傾斜状に形成された球受け面(球受け部)２７４が設けられると共に、底部における球受け面２７４の後方は、パチンコ球の下方への通過を許容する球通過孔２７５が形成されている。更に、前側部分２７０の底部後端における左右には、下方へ突出した支持突部２７６,２７６が形成されており、第１の後側ケース体２４５の第３収容部２５２における底部上面に該支持突部２７６,２７６が摺接すると共に、前側部分の球誘導片２７３および球受け面２７４にパチンコ球が落下した際に、該支持突部２７６,２７６および後述するガイド部２７７により、パチンコ球の衝突による衝撃を支持するようになっている(図１３(b)および図１４(b)参照)。また、球通過孔２７５は、左右幅がパチンコ球の直径より僅かに大きく、前後幅がパチンコ球の直径の２倍程度とした矩形状とされているが、球通過孔２７５の開口形状は、パチンコ球の通過を許容するものであれば円形、楕円形、多角形であってもよい。
【００７５】
作動口開閉部材２６０の前側部分２７０は、該作動口開閉部材２６０が開放位置に移動した状態(図１４(b)参照)では、球誘導片２７３および球受け面２７４が作動口１０１を介して遊技盤２０の前側(通出通路１１０の内側)に突出するようになっている。すなわち、作動口開閉部材２６０が開放位置に移動した状態では、通出通路１１０(縦通路１１１)を流下するパチンコ球が球誘導片２７３および球受け面２７４で受け止められて、該球誘導片２７３および球受け面２７４の傾斜により該パチンコ球が後方(すなわち作動口１０１側)へ案内されるようになっている。また、作動口開閉部材２６０が閉鎖位置に移動した状態(図１３(b)参照)では、球誘導片２７３および球受け面２７４が作動口１０１を介して遊技盤２０の裏側(通出通路１１０の外側)に退避すると共に、当該作動口開閉部材２６０により作動口１０１の下部側が塞がれて、作動口１０１の上下幅がパチンコ球の直径より小さくなることで、当該作動口１０１へのパチンコ球の入賞を阻止するよう構成されている。そして、作動口開閉部材２６０が閉鎖位置にある状態では、作動口１０１から空間２４８へ入ったパチンコ球が、球通過孔２７５を介して後述する連絡通路３４４へ移動して入球検出センサ２４７で検出され、該入球検出センサ２４７で検出された後に通路振分部３５０へ移動するようになっている。
【００７６】
作動口開閉部材２６０の後側部分２７１は、図１０〜図１２に示すように、前後に長い矩形ブロック状に形成されている。後側部分２７１の上部に、第１の後側ケース体２４５の第３収容部２５２に形成されたガイドレール２５４に係合するガイド部２７７が形成されている。ガイド部２７７は、前後方向に延在すると共に後側部分２７１の上面から下方へ凹んでおり、下方へ突出したガイドレール２５４に嵌合した状態で摺接可能となっている。後側部分２７１の底部には、前後に細長に延在すると共に下方に突出した当接縁部２７８が、該底部における左縁および右縁の夫々に設けられており、第１の後側ケース体２４５の第３収容部２５２に収容された当該後側部分２７１は、夫々の当接縁部２７８,２７８が該第３収容部２５２の底部に接触して摺動するようになっている。なお、当接縁部２７８は、その短手方向での断面形状が下方へ凸となる半円形状となっていて、第３収容部２５２の底部に線状に接触するようになり、第３収容部２５２の底部との摩擦が軽減されるようになっている。また、後側部分２７１の後端部には、後方に突出したストッパ２７９が該後端部における左縁および右縁の夫々に設けられており、夫々のストッパ２７９,２７９が第３収容部２５２の後部に当接することで(図１３(b)参照)、作動口開閉部材２６０の閉成位置が規定されると共に、該作動口開閉部材２６０が閉成位置より後方へ移動することが規制されるようになっている。
【００７７】
図１０〜図１４に示すように、作動口開閉部材２６０の後側部分２７１における前部両側に、第１連繋部２６２における第１リンク係合部２９５,２９５が係合する開閉係合部２８０,２８０が設けられている。各開閉係合部２８０,２８０は、作動口開閉部材２６０の側方および上下に開口した凹状に形成されている。これにより各開閉係合部２８０,２８０は、第１連繋部２６２の姿勢変位に伴う第１リンク係合部２９５,２９５の上下方向の移動を許容すると共に、該第１リンク係合部２９５,２９５が上下方向へ移動しても常に係合状態を維持し得るよう構成されている。
【００７８】
(第１ソレノイド)
第１ソレノイド２６１は、図５〜図１４に示すように、前側にプランジャ２８６を位置させた姿勢でソレノイド本体２８５が第１の本体ケース２４１の第１収容部２５０に設置され、該プランジャ２８６は第２収容部２５１に向けて前方へ延出している。第１ソレノイド２６１は、前記メイン制御基板６０のメイン制御ＣＰＵ６０ａの制御に基づいて励磁・非励磁が制御されると共にプランジャ２８６にスプリング２８７が配設されており、励磁時にはプランジャ２８６がソレノイド本体２８５内に後退移動し、非励磁時にはプランジャ２８６がスプリング２８７の付勢によりソレノイド本体２８５から前進移動するよう構成されている。
【００７９】
(第１連繋部２６２)
前記第１連繋部２６２は、図５〜図１４に示すように、第１の本体ケース２４１に揺動可能に支持されて、第１ソレノイド２６１により揺動変位するようになっている。第１連繋部２６２は、第１ソレノイド２６１のプランジャ２８６に連繋接続されて当該プランジャ２８６と一体的に前後移動する連結部２９０と、該連結部２９０の左右両端部に設けられ、作動口開閉部材２６０および作動部材２６４の夫々に連係接続される揺動アーム２９１,２９１とを備えている。ここで、各揺動アーム２９１,２９１は、作動口開閉部材２６０に連係接続される第１アーム部２９２と、作動部材２６４に連係接続される第２アーム部２９３とを備えると共に、第１の本体ケース２４１の左右側壁に設けられた支持部２５５,２５５に係合される軸部２９４,２９４を備えている。第１アーム部２９２は、揺動アーム２９１における軸部２９４の形成位置から下方へ延出した部分であると共に、第２アーム部２９３は、該揺動アーム２９１における軸部２９４の形成位置から上方へ延出した部分であり、第２アーム部２９３,２９３の間に連結部２９０が一体に設けられている。そして、第１連繋部２６２は、各軸部２９４,２９４と支持部２５５,２５５との係合により第１の本体ケース２４１に揺動可能に支持されると共に、連結部２９０が第１ソレノイド２６１のプランジャ２８６に連係接続されていることで、該第１ソレノイド２６１の励磁時には、各第１アーム部２９２,２９２が前方へ移動すると共に各第２アーム部２９３,２９３が後方へ移動するように揺動変位する一方、該第１ソレノイド２６１の非励磁時には、各第１アーム部２９２,２９２が後方へ移動すると共に各第２アーム部２９３,２９３が前方へ移動するように揺動変位する。
【００８０】
図１３および図１４に示すように、各第１アーム部２９２,２９２の下端部には、作動口開閉部材２６０に設けられた前述の開閉係合部２８０に係合する第１リンク係合部２９５が形成されている。第１リンク係合部２９５,２９５は、第１アーム部２９２の下端部内側から棒状に延出しており、開閉係合部２８０に対して横方向から係合して摺動可能となっている。また、各第２アーム部２９３,２９３の上端部には、作動部材２６４に設けられた作動係合部３０３が係合する第２リンク係合部２９６が形成されている。第２リンク係合部２９６,２９６は、第２アーム部２９３の上端部外側に、側外方へ開口した長溝状に形成され、作動係合部３０３が横方向から係合すると共に摺動が可能となっている。
【００８１】
(作動部材)
前記作動部材２６４は、図１０〜図１４に示すように、第１の本体ケース２４１における第２収容部２５１内を前後方向へ往復移動可能に配設されている。作動部材２６４は、前後方向に延在する左右一対の板状をなす側体部３００,３００と、両側体部３００,３００の上縁に夫々連設され、該側体部３００,３００を左右に離間させた連結板部３０１とを備えた部材である。作動部材２６４は、下方および前後に開口する収容部３０２が両側体部３００,３００間に画成されており、該収容部３０２には、規制部材２６３の上部分および第１連繋部２６２の上部分が下方から収容可能に構成されている。各側体部３００,３００の後端部には、第１連繋部２６２の第２アーム部２９３に設けられた第２リンク係合部２９６に係合する作動係合部３０３が設けられている。各作動係合部３０３,３０３は、各側体部３００,３００の後端部内側から突出したピン状に形成され、溝状に形成された第２リンク係合部２９６に対して側方から係合すると共に、該第２リンク係合部２９６に摺動可能となっている。
【００８２】
また、図１０〜図１４に示すように、作動部材２６４における各側体部３００,３００の前側部分には、規制部材２６３に設けられた規制係合部３１２が摺接するガイド部３０５が設けられている。この規制係合部３１２は、作動部材２６４の往復移動時にガイド部３０５の上面に沿って摺動するようになっており、ガイド部３０５の形状によって該規制係合部３１２が上下方向に移動することで、第１の本体ケース２４１に揺動可能に支持された規制部材２６３の規制位置および許容位置の間の姿勢変位を規定するようになっている。各ガイド部３０５は、図１１、図１３および図１４に示すように、側体部３００の前端部に隣接して位置する第１ガイド面３０６と、該第１ガイド面３０６の後縁から後方へ延在する第２ガイド面３０７と、該第２ガイド面３０７の後縁から後方へ延在する第３ガイド面３０８とから構成されている。ここで、第１ガイド面３０６は、前後方向に水平な平坦面であり、第２ガイド面３０７は、後方に向かうにつれて下方傾斜した平坦面に形成され、第３ガイド面３０８は、前後方向に水平な平坦面である。すなわち、第１ガイド面３０６は、第３ガイド面３０８より上方に位置している。
【００８３】
(規制部材)
前記規制部材２６３は、図１１〜図１４に示すように、第１の本体ケース２４１における第２収容部２５１内に設けられた規制部材支持部２５６に後部が枢支され、前部が上下方向に往復移動するように該第１の本体ケース２４１に配設されている。規制部材２６３は、作動口１０１に延出してパチンコ球が該作動口１０１に入賞するのを規制する規制部３１０と、該規制部３１０から後方へ延出して規制部材支持部２５６に連結される連結部３１１と、ガイド部３０５に摺接する規制係合部３１２とを備えている。実施例の規制部材２６３は、左右幅より上下幅が大きい板状に形成された部材である。但し、規制部材２６３の形状はこれに限定されるものではなく、規制位置において作動口１０１へのパチンコ球の入賞を規制し得るよう構成されていれば様々な形状とすることができる。
【００８４】
前記規制部３１０は、図１３(b)および図１４(b)に示すように、前端から後方に向かうにつれて上下幅が徐々に小さくなる扇形状に形成されている。規制部３１０の前端は、上下方向において前方へ凸となる湾曲状に形成されていると共に、該規制部３１０の上端３１４および下端３１５は直線状に形成されている。そして、規制部３１０の前端は、上下方向の略中間から下側部分が上側部分より前方へ突出しており、該下側部分が、作動口１０１へ延出してパチンコ球に接触する球当て部３１３となっている。ここで、規制部３１０は、規制部材２６３が許容位置となると作動口１０１および空間２４８から退避し、下端３１５が第２スリット部２５８に位置すると共に上端３１４が第３スリット部２５９に位置し、球当て部３１３が第１スリット部２５７に位置するようになる(図１４(b)参照)。一方、規制部３１０は、規制部材２６３が規制位置となると、球当て部３１３が作動口１０１へ延出すると共に下端３１５が空間２４８内へ延出する(図１３(b)参照)。
【００８５】
図１１および図１２に示すように、連結部３１１の後端部には、左右方向に貫通する連結孔３１６が形成され、左右方向に軸心が向いた状態で規制部材支持部２５６に支持される支持軸３１７が、該連結孔３１６に貫通するようになっている(図１４(a)参照)。従って、規制部材２６３は、支持軸３１７に回転自在に支持された規制部３１０が支持軸３１７を中心として上下方向へ移動することで、許容位置および規制位置の間を姿勢変位可能となる。また、規制部材２６３は、連結部３１１の後端部で支持軸３１７に支持されているので、当該規制部材２６３の自重により許容位置側から規制位置側に向けて常に付勢されている。
【００８６】
規制係合部３１２は、図１０、図１３、図１４に示すように、規制部３１０の後上部から左右方向へ延出している。すなわち、規制係合部３１２は、規制部材２６３の回転中心である支持軸３１７から前方へ離間した位置に、規制部材２６３の左右方向へ延出したピン状の突出部である。規制係合部３１２は、規制部材２６３から左方へ延出した部分が、作動部材２６４の左側体部３００に設けられたガイド部３０５に上方から係合するようになり、規制部材２６３から右方へ延出した部分が、作動部材２６４の右側体部３００に設けられたガイド部３０５に上方から係合するようになっている。
【００８７】
(規制部材と作動部材との関係について)
図１３および図１４に示すように、第１の本体ケース２４１における第２収容部２５１内に配設された規制部材２６３は、該第２収容部２５１内に配設された作動部材２６４の収容部３０２内に規制部３１０および連結孔３１６が位置している。そして、規制部材２６３における規制係合部３１２の下方に、作動部材２６４に設けられたガイド部３０５,３０５が位置しており、第１ソレノイド２６１の励磁制御によるプランジャ２８６の前進・後退変位に伴って作動部材２６４が第２収容部２５１内を前後に往復移動する際に、ガイド部３０５,３０５が規制係合部３１２の下方を前後に移動するように構成されている。そして、規制部材２６３は、前述したように自重により規制位置側へ付勢されていることで、規制係合部３１２はガイド部３０５,３０５のガイド面に常に上方から押し付けられるようになっている。
【００８８】
ここで、第１ソレノイド２６１が非励磁によりプランジャ２８６が最前進位置となっている場合では、図１３に示すように、作動部材２６４が第２収容部２５１内で最前進位置となっており、規制係合部３１２の下方にはガイド部３０５の第３ガイド面３０８が位置するように構成されている。そして、第１ソレノイド２６１が非励磁状態から励磁されて、プランジャ２８６が最前進位置から最後退位置に向けて後退移動する際には、作動部材２６４が第２収容部２５１内を後方へ移動することでガイド部３０５,３０５が後退移動するため、規制部材２６３の規制係合部３１２は、第３ガイド面３０８,３０８から第２ガイド面３０７,３０７に移動し、該第２ガイド面３０７,３０７を摺動することに伴って徐々に上方へ移動するようになる。更に作動部材２６４が第２収容部２５１内を後方へ移動すると、規制部材２６３の規制係合部３１２は、第２ガイド面３０７,３０７から第１ガイド面３０６,３０６に移動し、該第１ガイド面３０６,３０６を摺動するようになる。そして、プランジャ２８６が最後退位置まで移動して作動部材２６４が最後退位置まで移動した場合には、規制部材２６３の規制係合部３１２は、ガイド部３０５の第１ガイド面３０６,３０６上に位置している(図１４参照)。
【００８９】
すなわち、実施例の規制部材２６３は、規制係合部３１２がガイド部３０５の第３ガイド面３０８,３０８上に位置している際に、規制部材２６３が規制位置に保持されるよう構成されている。また、規制部材２６３は、規制係合部３１２がガイド部３０５の第１ガイド面３０６,３０６上に位置している際に、規制部材２６３が許容位置に保持されるよう構成されている。
【００９０】
(作動口開閉部材２６０と規制部材２６３との動作タイミングについて)
実施例の可変作動入球部２４０は、開閉係合部２８０と第１リンク係合部２９５とが、前後方向におけるがたつきを最小限に設定してある(１３(b)参照)。従って、第１ソレノイド２６１が励磁制御されてプランジャ２８６が最先進位置から最後退位置に向けて移動開始すると同時に作動口開閉部材２６０が閉鎖位置から開放位置に向けて移動開始すると共に、第１ソレノイド２６１の励磁制御が停止されてプランジャ２８６が最後退位置から最前進位置に向けて移動開始すると同時に作動口開閉部材２６０が開放位置から閉鎖位置に向けて移動開始するようになっている。
【００９１】
(第２の本体ケース３４０について)
前記第２の本体ケース３４０は、図９に示すように、前記第２の複合入球部１００の本体部材１０５(取付ベース部１０６)に固定される第２の前側ケース体３４１と、該第２の前側ケース体３４１の裏側に固定される第２の後側ケース体３４２とから構成され、当該第２の本体ケース３４０に、パチンコ球が通過可能な球通路(導入通路３４３、連絡通路３４４、第１および第２の分岐流入通路３４５,３４６)が画成されている。前記第２の前側ケース体３４１には、前後および上方へ開口する導入通路３４３が形成され、該第２の前側ケース体３４１を本体部材１０５に固定した際に、当該導入通路３４３が作動口１０１に連通するよう構成されている。なお、前記可変作動入球部２４０の作動口開閉部材２６０は、前記第１の本体ケース２４１と第２の本体ケース３４０とを組み付けた状態において、当該作動口開閉部材２６０の前側部分が前記導入通路３４３内に位置して、当該導入通路３４３に沿って前後に移動するよう構成される。
【００９２】
また、前記第２の前側ケース体３４１には、図９、図１６に示すように、前記導入通路３４３の後端位置に、下方へ延在すると共に上方および後方へ開口する前記連絡通路３４４が画成されて、導入通路３４３を通過したパチンコ球が連絡通路３４４の後方開口を介して第２の前側ケース体３４１の裏側に通出するようになっている。そして、前記連絡通路３４４の上流端に、当該連絡通路３４４を通過するパチンコ球を検出する球検出センサ２４７が配設されている。前記連絡通路３４４の上流端に設けられた球検出センサ２４７は、前記メイン制御基板６０に電気的に配線接続されており、当該球検出センサ２４７からの検出信号が入力されることで、作動口１０１へのパチンコ球の入球が発生したことをメイン制御ＣＰＵ６０ａが認識し得るようになっている。なお、以下の説明では、前記連絡通路３４４に配設された球検出センサを入球検出センサ２４７と指称する場合がある。すなわち、前記連絡通路３４４を通過するパチンコ球の通出口３４４ａは、入球検出センサ２４７の下方位置で後方に開口している。また、前記作動口１０１にパチンコ球が入賞すること(入球検出センサ２４７によるパチンコ球の検出)を契機として賞球の払出条件が成立するよう設定されており、入球検出センサ２４７からメイン制御基板６０への検出信号の入力に伴って所定数(実施例では２個)の賞球が払い出されるようになっている。
【００９３】
図１６に示すように、前記第２の本体ケース３４０には、前記第１および第２の分岐流入通路３４５,３４６が前記連絡通路３４４の通出口３４４ａから分岐するよう形成されている。すなわち、実施例では連絡通路３４４の通出口３４４ａが前記第１および第２の分岐流入通路３４５,３４６が分岐して振分体３５１が何れかの通路に振り分ける振分位置となっている。前記第１の分岐流入通路３４５は、前記連絡通路３４４の通出口３４４ａから側方(実施例では左側方)へ延在するよう形成されると共に、前記第２の分岐流入通路３４６は、連絡通路３４４の通出口３４４ａから下方へ延在するよう形成されている。すなわち、連絡通路３４４の通出口３４４ａを通出した領域が、第１および第２の分岐流入通路３４５,３４６にパチンコ球が振り分けられる振分位置となっている。なお、図１６において通出口３４４ａの開口位置を二点鎖線で示してある。
【００９４】
(通路振分部３５０について)
前記通路振分部３５０は、図１６に示すように、前記連絡通路３４４を通過したパチンコ球を第１および第２の分岐流入通路３４５,３４６の何れかに振り分けて通出させる振分体(振分手段)３５１と、該振分体３５１を駆動する電動式駆動手段としての第２ソレノイド３５２と、当該第２ソレノイド３５２を振分体３５１に連繋接続する第２連繋部３５６,３５７,３５８とを備えている。前記振分体３５１は、前記連絡通路３４４を通過したパチンコ球を第１の分岐流入通路３４５へ通出させる第１振分位置(図１６(a)参照)と、該連絡通路３４４を通過したパチンコ球を第２の分岐流入通路３４６へ通出させる第２振分位置(図１６(b)参照)との間を移動し得るよう設けられており、第２ソレノイド３５２を駆動制御することで振分体３５１が第１および第２振分位置に移動するようになっている。
【００９５】
(振分体３５１について)
前記振分体３５１は、前記第２の分岐流入通路３４６の球入口を閉塞可能な大きさに形成された板状に形成されて、前記第２の本体ケース３４０に形成された第２ガイド凹部３４８に左右方向に摺動可能に配設されている。また、前記振分体３５１には、後方へ突出する軸部３５１ａが後端部に形成されており、前記第２の後側ケース体３４２に形成された挿通孔３４２ａを介して当該軸部３５１ａが第２の本体ケース３４０の裏側に突出するようになっている。そして、前記挿通孔３４２ａから突出した振分体３５１の軸部３５１ａに前記第２連繋部３５６,３５７,３５８が接続されて、第２ガイド凹部３４８から振分体３５１が突出して第２の分岐流入通路３４６の球入口を閉塞する位置(第１振分位置)と、前記第２ガイド凹部３４８に振分体３５１が収容された位置(第２振分位置)との間を移動するようになっている。振分体３５１が第２振分位置にある状態では、第２の分岐流入通路３４６の球入口が振分体３５１により閉塞されることなく上方に開口するよう構成され、連絡通路３４４の通出口３４４ａを通出したパチンコ球がそのまま落下して第２の分岐流入通路３４６へ振り分けられるようになっている。そして、第２の分岐流入通路３４６の球入口に位置するよう前記第２通過検出センサ８６が配置されており、当該第２の分岐流入通路３４６に流入したパチンコ球を第２通過検出センサ８６で検出し得るようになっている。
【００９６】
前記第２ソレノイド３５２は、図９に示すように、下側にプランジャ３５２ａを位置させた下向き姿勢で前記第２の本体ケース３４０(第２の前側ケース体３４１)の前面に配設されている。すなわち、第２ソレノイド３５２を励磁駆動することで、プランジャ３５２ａが上下に進退移動するようになっている。また、前記第２ソレノイド３５２の前側には、当該第２ソレノイド３５２を第２の前側ケース体３４１との間で挟持する前側保護部材３５３が配置されており、当該前側保護部材３５３と第２の前側ケース体３４１により第２ソレノイド３５２が挟持固定されている。なお、第２ソレノイド３５２のプランジャ３５２ａは、図示しないバネ等の付勢手段により下方へ付勢されており、第２ソレノイド３５２を励磁することによりプランジャ３５２ａが引き込まれて上方移動し、励磁停止することによりプランジャ３５２ａが下方移動するようになっている。
【００９７】
前記第２連繋部３５６,３５７,３５８は、前記第２ソレノイド３５２のプランジャ３５２ａに取り付けられて当該プランジャ３５２ａと一体的に上下移動するスライダ３５６と、前記第２の本体ケース３４０に揺動可能に支持されると共にスライダ３５６に接続するアーム部３５７と、第２の本体ケース３４０に揺動可能に支持されると共にアーム部３５７の後端に接続する揺動部材３５８とから構成されて、当該揺動部材３５８と振分体３５１が連繋接続されており、スライダ３５６の上下移動に伴ってアーム部３５７が揺動すると共に揺動部材３５８が揺動することにより、当該振分体３５１が前記第１振分位置および第２振分位置に変位するようになっている。
【００９８】
(第１および第２可変始動入賞部１６１,１６２について)
前記第１可変始動入賞部１６１は、図６、図７に示すように、前記第１可変始動口１０２を閉鎖する閉鎖位置(図６の実線参照)および該第１可変始動口１０２を開放する開放位置(図６の二点鎖線参照)に変位可能な前記第１始動口開閉部材１６５(開閉部材)と、前記作動口１０１に連通した第１分岐通路を通過するパチンコ球が接触し得るよう設けられてパチンコ球の接触に伴い作動する第１作動機構１７５と、前記第１可変始動口１０２に連通した前記第１取込通路１１５を通過するパチンコ球が接触し得るよう設けられてパチンコ球の接触に伴い作動する第２作動機構２００とを備えている。そして、第１始動口開閉部材１６５が閉鎖位置にある状態で、前記作動口１０１に入球したパチンコ球との接触に伴い作動した第１作動機構１７５が、当該第１始動口開閉部材１６５を閉鎖位置から開放位置に変位させ、第１始動口開閉部材１６５が開放位置にある状態で、第１可変始動口１０２に入賞したパチンコ球との接触に伴い作動した第２作動機構２００が、当該第１始動口開閉部材１６５を開放位置から閉鎖位置に変位させるよう構成されている。
【００９９】
同様に、前記第２可変始動入賞部１６２は、図６、図７に示すように、前記第２可変始動口１０３を閉鎖する閉鎖位置(図６の実線参照)および該第２可変始動口１０３を開放する開放位置(図６の二点鎖線参照)に変位可能な前記第２始動口開閉部材１６６と、前記作動口１０１に連通した第２分岐通路を通過するパチンコ球が接触し得るよう設けられてパチンコ球の接触に伴い作動する第１作動機構１７５と、前記第２可変始動口１０３に連通した前記第２取込通路１１６を通過するパチンコ球が接触し得るよう設けられてパチンコ球の接触に伴い作動する第２作動機構２００とを備えている。そして、第２始動口開閉部材１６６が閉鎖位置にある状態で、前記作動口１０１に入球したパチンコ球との接触に伴い作動した第１作動機構１７５が、当該第２始動口開閉部材１６６を閉鎖位置から開放位置に変位させ、第２始動口開閉部材１６６が開放位置にある状態で、第２可変始動口１０３に入賞したパチンコ球との接触に伴い作動した第２作動機構２００が、当該第２始動口開閉部材１６６を開放位置から閉鎖位置に変位させるよう構成されている。
【０１００】
ここで、第１および第２可変始動入賞部１６１,１６２における第１および第２始動口開閉部材１６５,１６６、第１作動機構１７５および第２作動機構２００の夫々は、基本的に同一構成とされており、以下の説明では、主として第１可変始動入賞部１６１に関して詳細に説明し、必要に応じて第２可変始動入賞部１６２の説明を補足する。
【０１０１】
(第１始動口開閉部材１６５および第２始動口開閉部材１６６について)
前記第１および第２始動口開閉部材１６５,１６６は、図６、図９に示すように、上方に向かって徐々に薄肉となる所謂フラップ状に形成されおり、各始動口開閉部材１６５,１６６の下部に形成された軸孔１６５ａ,１６６ａに挿通された支軸１０５ａが、前記第２の複合入球部１００の本体部材１０５に支持されている。すなわち、各支軸１０５ａを中心にして、先端部(端部)を上方に指向させた閉鎖位置(図９参照)と、該先端部を斜め左上方に指向させた開放位置(図２２、図２３参照)との間で各始動口開閉部材１６５,１６６が揺動するように構成される。また、前記各始動口開閉部材１６５,１６６は、前記閉鎖位置において前記支軸１０５ａよりも左側方(対応する第１取込口１１５ａおよび第２取込口１１６ａから離間する方向)に錘部材１６８が設けられており、当該錘部材１６８により閉鎖位置から開放位置へ向けて自重により回転する方向へ付勢されている。
【０１０２】
また、前記各始動口開閉部材１６５,１６６の後端部には、図２２に示すように、対応する第１取込口１１５ａおよび第２取込口１１６ａ側の下端部に、揺動中心から径方向へ突出する係合片１６７が形成されている。前記各始動口開閉部材１６５,１６６の係合片１６７は、閉鎖位置においては対応する第１取込口１１５ａおよび第２取込口１１６ａの開口側縁(実施例では開口左側縁)の左側方に位置して当該取込口１１５ａ,１１６ａから離間すると共に、開放位置においては対応する第１取込口１１５ａおよび第２取込口１１６ａの開口前側に臨む大きさおよび形状で形成されている。そして、前記閉鎖位置では、対応の可変始動入賞部１６１,１６２の第２作動機構２００に設けられた閉鎖保持部２０４(後述)に係合片１６７が当接するよう構成されており(図２１参照)、当該係合片１６７および閉鎖保持部２０４の当接作用により、自重による閉鎖位置から開放位置への始動口開閉部材１６５,１６６の回転が規制されるようになっている。また、前記開放位置では、対応する可変始動入賞部１６１,１６２の第２作動機構２００における閉鎖作動部２０５(後述)の移動軌跡に各始動口開閉部材１６５,１６６の係合片１６７が位置するようになっており(図２２〜図２３参照)、当該第２作動機構２００の作動に伴って移動する閉鎖作動部２０５と係合片１６７との当接作用により、各始動口開閉部材１６５,１６６が開放位置から閉鎖位置へ向けて回転付勢されるよう構成されている。
【０１０３】
(ケース体１７０について)
前記第１作動機構１７５および第２作動機構２００は、図１８に示すように、前記本体部材１０５の裏側に配設されるケース体１７０に組み付けられている。ケース体１７０は、前方および下方へ開口する矩形箱状に形成されており、当該ケース体１７０の内部空間に、前記第１作動機構１７５および第２作動機構２００が配設されるようになっている。また、前記各ケース体１７０は、前記取付ベース部１０６(本体部材１０５)に形成された前記第１取込口１１５ａおよび第２取込口１１６ａにケース体１７０の前方開口部１７１が連通すると共に、ケース体１７０の下方開口部１７２が前記球通路ユニット８０の始動口排出通路８８,８９に連通する状態で、当該取付ベース部１０６の裏側に取り付けられている。すなわち、前記第１可変始動入賞部１６１のケース体１７０の下方開口部１７２が球通路ユニット８０の第１の始動口排出通路８８の球入口に連通し、前記第２可変始動入賞部１６２のケース体１７０の下方開口部１７２が球通路ユニット８０の第２の始動口排出通路８９の球入口に連通するよう構成され、前記第１および第２可変始動口１０２,１０３に入賞したパチンコ球は、対応する第１取込口１１５ａおよび第２取込口１１６ａから始動口排出通路８８,８９へ誘導されるようになっている。
【０１０４】
また、図１８に示すように、前記各ケース体１７０の上面には、上方へ開口する開口部１７０ａが形成されて、前記第１または第２の分岐流入通路３４５,３４６と連通するようになっている(図８参照)。なお、以下の説明において、各ケース体１７０において上方開口を作動球入口１７０ａと指称するものとする。すなわち、第１可変始動入賞部１６１におけるケース体１７０の作動球入口１７０ａに第１の分岐流入通路３４５(より正確には、上流側分岐排出通路８２ａ)が連通して、第１の分岐流入通路３４５に振り分けられたパチンコ球が当該第１可変始動入賞部１６１のケース体１７０の内部空間に流入すると共に、第２可変始動入賞部１６２におけるケース体１７０の作動球入口１７０ａに、第２の分岐流入通路３４６が連通して、第２の分岐流入通路３４６に振り分けられたパチンコ球が当該第２可変始動入賞部１６２のケース体１７０の内部空間に流入して、各ケース体１７０に収容された第１作動機構１７５と接触するよう構成されている。
【０１０５】
更に、前記各ケース体１７０の左側面には、図１７に示すように、左右方向へ開口する開口部１７０ｂが形成されており、前記作動球入口１７０ａを介して流入して第１作動機構１７５と接触したパチンコ球が、当該ケース体１７０の左側面の開口部１７０ｂから排出されるようになっている。なお、以下の説明において、各ケース体１７０において、パチンコ球が排出される開口部を作動球出口１７０ｂと指称するものとする。ここで、前記各ケース体１７０の作動球出口１７０ｂは、前記球通路ユニット８０に形成された第１または第２の分岐排出通路８１,８３の球入口と左右方向に略整列するよう構成されており、各ケース体１７０の第１作動機構１７５と接触して作動球出口１７０ｂから排出されたパチンコ球が、整列した第１または第２の分岐排出通路８１,８３に流入し得るようになっている。具体的には、第１可変始動入賞部１６１におけるケース体１７０の作動球出口１７０ｂに第１の分岐排出通路８１(正確には下流側分岐排出通路８２ｂ)の球入口が整列し、第２可変始動入賞部１６２におけるケース体１７０の作動球出口１７０ｂに第２の分岐排出通路８３の球入口が整列するようになっている。
【０１０６】
(第１作動機構１７５について)
前記可変始動入賞部１６１,１６２の第１作動機構１７５は、図２２に示すように、前記作動口１０１に連通した対応する分岐通路(分岐流入通路３４５,３４６)を通過するパチンコ球が接触し得るよう設けられてパチンコ球の接触に伴い基準位置から作動位置に変位可能な第１の作動部材１７６と、当該第１の作動部材１７６の基準位置から作動位置への変位を制止する制止部材１９０とを備えている。そして、前記第１の作動部材１７６が基準位置から作動位置へ変位することで、第２作動機構２００を作動させて始動口開閉部材１６５,１６６を閉鎖位置から開放位置へ変位させ得るよう構成されている。
【０１０７】
(第１の作動部材１７６)
前記第１の作動部材１７６は、図１８に示すように、前記ケース体１７０に揺動可能に支持される第１基体部１７７と、該第１基体部１７７に設けられて前記分岐流入通路３４５,３４６を通過するパチンコ球が接触する球受け部１７９と、当該第１基体部１７７に設けられ、基準位置から作動位置への変位に伴って前記第２作動機構２００を作動させる第１の押上げ部１８３とを備えており、球受け部１７９へのパチンコ球の接触に伴って第１の作動部材１７６が基準位置から作動位置へ変位することにより、始動口開閉部材１６５,１６６を閉鎖位置から開放位置へ変位させ得るようになっている。そして、前記第１基体部１７７の端部に偏った位置に左右に貫通するよう形成された軸孔１７７ａに、前記ケース体１７０の左右側壁に支持される支軸１７７ｃが挿通されて、当該支軸１７７ｃを中心に第１の作動部材１７６が枢支されている。また、前記第１基体部１７７の略中央位置に形成された嵌合孔１７７ｂに、当該第１基体部１７７より比重の大きな錘部材１７８が嵌め込まれて、当該第１基体部１７７の重心が支軸１７７ｃから偏るよう構成されている。すなわち、前記第１の作動部材１７６(第１基体部１７７)は、静止状態において揺動中心が上側に位置する姿勢で前記ケース体１７０に揺動自在に支持されている。また、静止状態は、前記球受け部１７９にパチンコ球が接触していない状態を基準としている。
【０１０８】
(球受け部１７９)
前記球受け部１７９は、図８、図２１〜図２３に示すように、前記第１の作動部材１７６が静止状態にある状態で、前記第１基体部１７７の上端部から後方へ延出する球受け片１８０と、当該球受け片１８０の後部から側方(左側方)へ延出する第１誘導片１８１と、当該球受け片１８０および第１誘導片１８１の後端部から上方へ延出する第２誘導片１８２とを備えており、前記ケース体１７０の作動球入口１７０ａの下方に、当該球受け片１８０が臨むようになっている。すなわち、前記第１および第２の分岐流入通路３４５,３４６を通出したパチンコ球が、ケース体１７０の作動球入口１７０ａを介して対応する可変始動入賞部１６１,１６２の球受け片１８０上に落下するようになっており、当該球受け部１７９(球受け片１８０)上に落下したパチンコ球の重みにより、前記第１の作動部材１７６が揺動するようになっている。また、前記第１の作動部材１７６は、パチンコ球の重みにより揺動した際に、前記第２誘導片１８２の下端部が前記ケース体１７０の下壁部１７３に当接して揺動規制されるようになっている。これにより、前記第１の作動部材１７６は、前記球受け部１７９(球受け片１８０)にパチンコ球が接触していない静止状態にある基準位置(図２１参照)と、球受け部１７９(球受け片１８０)上に落下したパチンコ球の重みにより揺動した作動位置(図２２参照)との間で変位するようになっている。そして、前記第１の作動部材１７６が作動位置に変位した状態では、前記第１および第２誘導片１８１,１８２の端縁部によりパチンコ球が支持されるよう構成されている。
【０１０９】
ここで、前記第２誘導片１８２は、図２１、図２２に示すように、前記第１誘導片１８１の延出端部(球受け片１８０から離間する端部)に向かうにつれて、当該第１誘導片１８１に近接する傾斜状に形成されており、作動位置に第１の作動部材１７６が変位した際に第１および第２誘導片１８１,１８２の端縁部で支持されたパチンコ球が、当該第２誘導片１８２の傾斜によって第１誘導片１８１の延出端部へ向けて移動するようになっている。そして、前記第１誘導片１８１の延出端部(第１および第２誘導片１８１,１８２により案内されるパチンコ球の下流端部)が、前記排出通路ユニットに設けられた第１または第２の分岐排出通路８１,８３の球入口に臨むよう構成されて、第２誘導片１８２の傾斜によって第１誘導片１８１の延出端部へ向けて移動したパチンコ球が、対応する第１または第２の分岐排出通路８１,８３に流入して遊技盤２０の外部に排出されるようになっている。すなわち、前記第１および第２誘導片１８１,１８２は、前記第１の作動部材１７６を作動位置に変位させたパチンコ球を対応する分岐排出通路へ案内するガイド部として機能している。
【０１１０】
また、前記第１の作動部材１７６には、図２１、図２２に示すように、前記球受け部１７９の右端面から側方(右側方)へ突出する操作部１７９ａが形成されて、前記ケース体１７０に開設された操作口１７０ｃを介して当該操作部１７９ａがケース体１７０の外部に突出するよう構成されている。すなわち、前記操作口１７０ｃを介してケース体１７０の外部に突出した操作部１７９ａが、前記第２の複合入球部１００(本体部材１０５)の裏側に露出している。また、前記第２の複合入球部１００(本体部材１０５)の裏側に露出した前記操作部１７９ａは、前記球通路ユニット８０に形成された各可変始動入賞部１６１,１６２に対応する設置窓部９０,９１に臨んでおり、当該設置窓部９０,９１を介して球通路ユニット８０(すなわち遊技盤２０)の裏側から操作可能に露出するようになっている。すなわち、前記設置窓部９０,９１を介して操作部１７９ａを操作することで、第１および第２可変始動入賞部１６１,１６２の第１の作動部材１７６を手動で操作して確認検査等を容易に行い得るよう構成されている。
【０１１１】
(第１の押上げ部１８３について)
前記第１の押上げ部１８３は、図１８、図２１に示すように、前記第１の作動部材１７６が基準位置にある状態で、前記第１基体部１７７の前側下部位置から前方へ突出するよう形成されており、該第１の作動部材１７６が基準位置から作動位置に揺動するのに伴い第１の押上げ部１８３が上方へ変位するよう構成されている。そして、前記第１の作動部材１７６の基準位置から作動位置への揺動に伴う前記第１の押上げ部１８３の移動軌跡Ｌ(図２４参照)に、前記第２作動機構２００における第２の作動部材２０１の開放作動部２０３(何れも後述)が位置する場合に、当該第１の押上げ部１８３が第２の作動部材２０１(開放作動部２０３)を上方へ押し上げて、当該第２の作動部材２０１が後述する閉鎖保持位置から第１入球作動位置へ回転変位されて、各可変始動入賞部１６１,１６２に対応の始動口開閉部材１６５,１６６が閉鎖位置から開放位置に変位するようになっている。すなわち、前記第１の作動部材１７６における第１の押上げ部１８３は、始動口開閉部材１６５,１６６を閉鎖位置から開放位置に変位させる作動部として機能する。
【０１１２】
(第２の押上げ部１８４について)
前記第１の作動部材１７６には、図１８、図２４に示すように、前記第１の押上げ部１８３から上方に離間した位置に、上方へ突出する第２の押上げ部１８４が形成されている。前記第２の押上げ部１８４は、前記第１の作動部材１７６の基準位置と作動位置の間の位置(以下、制止位置という)において前記制止部材１９０(具体的には後述の揺動制止部１９２)と当接するよう構成されており、当該第２の押上げ部１８４が制止部材１９０に接触することで、制止位置から作動位置への第１の作動部材１７６の揺動を抑制させるようになっている。ここで、前記第１の押上げ部１８３が第２作動機構２００の第２の作動部材２０１(開放作動部２０３)を押し上げる前(閉鎖保持位置から第１入球作動位置へ変位する前)に、前記第２の押上げ部１８４が制止位置まで移動して制止部材１９０に当接するよう構成され、当該制止部材１９０との当接により第１の作動部材１７６の揺動を抑制するようになっている。具体的には、前記第１の押上げ部１８３が第２作動機構２００の第２の作動部材２０１(開放作動部２０３)に当接する前に、前記第２の押上げ部１８４が制止位置に移動して制止部材１９０と当接するよう構成されている。
【０１１３】
(制止部材１９０について)
前記制止部材１９０は、図１８、図１９、図２１〜図２３に示すように、前記ケース体１７０に揺動可能に支持された揺動板１９１と、前記第１の作動部材１７６に形成された第２の押上げ部１８４に当接する揺動制止部１９２とを備えており、当接した第２の押上げ部１８４が揺動制止部１９２を押し上げることで、制止部材１９０が強制的に揺動されるよう構成される。前記揺動板１９１は、左右側端面の前端部に、前記ケース体１７０に枢支される軸部１９１ａが形成されている。
【０１１４】
そして、図１９、図２１に示すように、前記揺動板１９１の後端部が前記第１の作動部材１７６における第１基体部１７７の上面に載置されると共に、当該揺動板１９１の右端部に下方へ向けて突出するよう前記揺動制止部１９２が形成されて、前記第１の作動部材１７６が基準位置から作動位置へ揺動する際に前記第２の押上げ部１８４が移動する移動軌跡に揺動制止部１９２が臨むよう構成されている。前記揺動制止部１９２は、前記第１の作動部材１７６が基準位置から作動位置へ揺動する過程において当該第１の作動部材１７６が制止位置まで揺動した際に、前記第２の押上げ部１８４が当接するよう構成されており、第２の押上げ部１８４が揺動制止部１９２に当接することで、制止位置から第２作動位置へ向けての第１の作動部材１７６の揺動を抑制するようになっている。
【０１１５】
すなわち、パチンコ機１０に発生する振動等により前記第１の作動部材１７６が自然に揺動した場合に、前記制止位置において第２の押上げ部１８４が制止部材１９０の揺動制止部１９２に当接することで、当該制止部材１９０の重みが当該第１の作動部材１７６が揺動する抵抗となり、制止位置から第２作動位置への第１の作動部材１７６の揺動が規制されて、前記第２の作動部材２０１(開放作動部２０３)の作動を防止するようになっている。一方で、前記球受け部１７９に落下したパチンコ球により前記第１の作動部材１７６が強制的に揺動された場合には、前記制止位置において第２の押上げ部１８４が制止部材１９０の揺動制止部１９２に当接した後も第１の作動部材１７６が作動位置へ向けて揺動を継続し、第２の押上げ部１８４が揺動制止部１９２を押し上げて揺動板１９１(制止部材１９０)を揺動させることで、当該第１の作動部材１７６が作動位置に揺動することにより、前記第２の作動部材２０１(開放作動部２０３)を作動させ得るようになっている。なお、前記第１の作動部材１７６が基準位置にある状態では、前記第２の押上げ部１８４と揺動制止部１９２とが離間しており、パチンコ機１０に発生する振動等による第１の作動部材１７６の自然な揺動を許容している。
【０１１６】
また、前記制止部材１９０には、前記揺動板１９１の後端上部位置に、ネジやピン等の錘部材の錘取付部１９４が設けられている(図１８参照)。すなわち、前記揺動板１９１の錘取付部１９４に錘部材を取り付けることで、前記第２の押上げ部１８４が揺動制止部１９２に当接してから作動位置まで第１の作動部材１７６が揺動するための抵抗が高まり、パチンコ機１０の設置環境等によって大きな振動の発生が懸念される場合でも、前記第１の作動部材１７６が基準位置から作動位置へ自然に揺動するのを抑制し得る。
【０１１７】
また、前記制止部材１９０には、図１８、図２１〜図２３に示すように、前記揺動板１９１の下面に下方へ向けて突出するよう回転制止部１９３が設けられている。そして、前記第２作動機構２００の第２の作動部材２０１が回転変位する際に、前記制止部材１９０の回転制止部１９３に対して、当該第２の作動部材２０１に設けた入球作動部２０６,２０７(何れも後述)が当接し得るようになっており、当該第２の作動部材２０１(入球作動部２０６,２０７)と回転制止部１９３とが当接することで、第２の作動部材２０１の回転変位を抑制するようになっている。すなわち、実施例の制止部材１９０は、前記第１および第２の作動部材１７６,２０１の作動を制止する機能を備えている。
【０１１８】
ここで、前記回転制止部１９３は、図１９に示すように、前記第２作動機構２００の第２の作動部材２０１が回転する際に入球作動部２０６,２０７が移動する移動軌跡に臨むよう前記揺動板１９１の下面に設けられている。すなわち、前記第２作動機構２００の第２の作動部材２０１が順回転方向(閉鎖保持位置から第１入球作動位置へ向かう回転方向)へ回転する過程において、前記入球作動部２０６,２０７が前記回転制止部１９３に対して下方から当接し得るよう構成されており、当該入球作動部２０６,２０７が回転制止部１９３に当接することで、当該制止部材１９０の重みが当該第２の作動部材２０１の回転抵抗となるようになっている。また、前記回転制止部１９３の前面下部は、下方へ向かうにつれて後方へ退避するよう湾曲した曲面形状に形成されており、当該曲面形状をなす回転制止部１９３の曲面部に、前記第２の作動部材２０１の入球作動部２０６,２０７が下方から当接するよう構成される。すなわち、前記第２作動機構２００の第２の作動部材２０１が順回転方向に強制的に回転した場合には、前記入球作動部２０６,２０７が回転制止部１９３を押し上げて揺動板１９１を揺動させることにより、当該第２の作動部材２０１の順回転方向への回転を継続し得るようになっている。
【０１１９】
(第２作動機構２００について)   
前記第２作動機構２００は、図１８、図１９、図２１〜図２３に示すように、各可変始動入賞部１６１,１６２に対応する始動口開閉部材１６５,１６６を閉鎖位置に保持する閉鎖保持位置(基準位置、図２１参照)と、当該始動口開閉部材１６５,１６６の閉鎖位置での保持を解除して開放位置への変位を許容する入球作動位置(作動位置、図２２、図２３参照))との間で変位可能な第２の作動部材２０１を備えている。そして、前記第１作動機構１７５の第１の作動部材１７６により第２の作動部材２０１が作動されると共に、各可変始動入賞部１６１,１６２に対応する可変始動口１０２,１０３に連通した取込通路１１５,１１６を通過するパチンコ球との接触に伴って第２の作動部材２０１が作動されるようになっている。
【０１２０】
具体的に、前記第２の作動部材２０１は、前記閉鎖保持位置において、前記第１の作動部材１７６により作動可能で、かつ対応する取込通路１１５,１１６を通過するパチンコ球と非接触(作動不能)となるよう構成され、当該第１の作動部材１７６が基準位置から作動位置へ変位するのに伴って、当該第２の作動部材２０１を閉鎖保持位置から入球作動位置に変位させるよう構成されている。また、前記第２の作動部材２０１は、前記入球作動位置において、前記第１の作動部材１７６により作動不能で、かつ対応する取込通路１１５,１１６を通過するパチンコ球と接触可能(作動可能)となるよう構成され、当該第１の作動部材１７６が基準位置から作動位置へ変位した際には第２の作動部材２０１が作動されることなく入球作動位置に保持されると共に、対応する取込通路１１５,１１６を通過するパチンコ球との接触に伴って、当該第２の作動部材２０１を入球作動位置から閉鎖保持位置に変位させ得るよう構成されている。
【０１２１】
ここで、前記第２の作動部材２０１は、対応する取込通路１１５,１１６を通過するパチンコ球との接触可能な複数(実施例では２つ)の入球作動位置に変位し得るよう構成されている。すなわち、前記閉鎖保持位置において前記第１の作動部材１７６が基準位置から作動位置へ変位するのに伴って、前記第２の作動部材２０１が閉鎖保持位置から第１入球作動位置(図２２参照)に変位され、当該第１入球作動位置において、対応する取込通路１１５,１１６を通過するパチンコ球との接触に伴って、第２の作動部材２０１が第１入球作動位置から第２入球作動位置(図２３参照)に変位されると共に、当該第２入球作動位置において、対応する取込通路１１５,１１６を通過するパチンコ球との接触に伴って、第２の作動部材２０１が第２入球作動位置から閉鎖保持位置(図２１参照)に変位されるようになっている。このように、前記第２作動機構２００(第２の作動部材２０１)は、前記第１作動機構１７５(第１の作動部材１７６)の作動および各可変始動入賞部１６１,１６２に対応する可変始動口１０２,１０３へ入賞したパチンコ球との接触に伴って、閉鎖保持位置、第１および第２入球作動位置に順次切り替えられるよう構成されている。言い換えると、第１および第２可変始動入賞部１６１,１６２は、前記第１ソレノイド２６１の駆動に伴い開放した前記作動口１０１に入球したパチンコ球との接触に伴い入球作動位置に変位された前記第１の作動部材１７６が対応する始動口開閉部材１６５,１６６の開閉状態を切り替えるようになっている。ここで、第２の作動部材２０１は、ケース体１７０に回転可能に配設されており、閉鎖保持位置から第１入球作動位置へ向けて変位する第２の作動部材２０１の変位方向(図２０における右回転方向)を順回転方向(順方向)と指称し、第１入球作動位置から閉鎖保持位置へ向けて回転する第２の作動部材２０１の回転方向(図２０における左回転方向)を逆回転方向(逆方向)と指称している。
【０１２２】
(第２の作動部材２０１について)
前記第２の作動部材２０１は、図１８に示すように、前記ケース体１７０に回転可能に支持される第２基体部２０２と、前記閉鎖保持位置において前記第１作動機構１７５(第１の作動部材１７６)の作動に伴って第２の作動部材２０１を入球作動位置へ向けて順回転方向に変位させる開放作動部２０３と、閉鎖保持位置において対応する始動口開閉部材１６５,１６６を閉鎖位置に保持すると共に閉鎖保持位置から変位することで始動口開閉部材１６５,１６６の開放位置への変位を許容する閉鎖保持部２０４と、第２入球作動位置から閉鎖保持位置へ向けて順回転方向に変位する際に始動口開閉部材１６５,１６６を開放位置から閉鎖位置に変位させる閉鎖作動部２０５と、前記第１または第２入球作動位置において前記可変始動口１０２,１０３に連通した取込通路１１５,１１６を通過するパチンコ球と接触し得るよう設けられ、当該パチンコ球との接触に伴い第２の作動部材２０１を閉鎖保持位置へ向けて順回転方向に変位させる入球作動部２０６,２０７とを備えている。なお、実施例では、前記第２基体部２０２、開放作動部２０３、入球作動部２０６,２０７、閉鎖保持部２０４および閉鎖作動部２０５の夫々が合成樹脂材により一体形成されている。
【０１２３】
図１８に示すように、前記第２基体部２０２には、貫通する軸孔２０２ａが形成されて、当該軸孔２０２ａに挿通された支軸２０２ｂが前記ケース体１７０の左右側壁に支持されている。そして、前記第２基体部２０２の軸方向の一方端部(実施例では右側端部)に偏った位置に、当該第２基体部２０２から径方向外方へ突出するよう前記開放作動部２０３が形成されている。前記開放作動部２０３は、前記第２の作動部材２０１が閉鎖保持位置にある状態で、前記第１の作動部材１７６が基準位置から作動位置へ変位する際に前記第１の押上げ部１８３が移動する移動軌跡に延出して、当該第１の押上げ部１８３の上方に位置するようになっている。すなわち、前記第２の作動部材２０１が閉鎖保持位置にある状態では、前記第１の作動部材１７６の基準位置から作動位置への変位に伴って、前記開放作動部２０３の下側から当接する前記第１の押上げ部１８３が開放作動部２０３を押し上げることにより、前記第２の作動部材２０１が閉鎖保持位置から第１入球作動位置へ強制的に変位されるようになっている。また、前記第２の作動部材２０１が閉鎖保持位置以外にある状態(すなわち第１または第２入球作動位置にある状態)では、前記第１の押上げ部１８３の移動軌跡から開放作動部２０３が離脱して、開放作動部２０３に対して第１の押上げ部１８３が当接しないよう構成されている。すなわち、前記第２の作動部材２０１が閉鎖保持位置以外にある状態では、前記第１の作動部材１７６が基準位置から作動位置へ変位した際に、第２の作動部材２０１が第１または第２入球作動位置で保持されるようになっている。
【０１２４】
また、前記第２の作動部材２０１が閉鎖保持位置にある状態では、図２４に示すように、前記基準位置にある第１の作動部材１７６の第１の押上げ部１８３と、前記開放作動部２０３が所定間隔で離間するようになっている。この第１の押上げ部１８３と開放作動部２０３との離間間隔は、前記第１の作動部材１７６が基準位置から制止位置へ変位する間、第１の押上げ部１８３と開放作動部２０３との非当接状態が保たれる間隔に設定されており、パチンコ機１０の振動等により第１の作動部材１７６が基準位置および制止位置の間で自然に揺動した際に、前記第１の押上げ部１８３が開放作動部２０３を押し上げることなく第２の作動部材２０１を閉鎖保持位置で保持し得るよう構成されている。
【０１２５】
(閉鎖保持部２０４)
前記閉鎖保持部２０４は、図１８、図１９、図２１〜図２３に示すように、前記第２基体部２０２の軸方向の端部に、当該第２基体部２０２から径方向外方へ突出するよう形成されている。実施例では、第２基体部２０２の軸方向の左右両端部に閉鎖保持部２０４が左右対称に形成されているが、当該第２基体部２０２の軸方向の左端部に設けられた閉鎖保持部２０４が対応する始動口開閉部材１６５,１６６を閉鎖位置に保持するよう構成され、第２基体部２０２の軸方向の右端部に設けられた閉鎖保持部２０４は始動口開閉部材１６５,１６６の閉鎖位置への保持に対して実質的に寄与していない。なお実施例では、第２基体部２０２の軸方向の両端部に前記閉鎖保持部２０４が左右対称に形成されているが、対応の始動口開閉部材１６５,１６６側に位置する端部だけに閉鎖保持部２０４を形成してもよく、また閉鎖保持部２０４の形成位置としては、第２基体部２０２の軸方向端部である必要はない。
【０１２６】
前記閉鎖保持部２０４は、図１８、図１９、図２１〜図２３に示すように、前記第２の作動部材２０１(第２基体部２０２)の回転方向(周方向)へ所定角度範囲に亘って延在する平板状に形成されている。そして、前記第２の作動部材２０１が閉鎖保持位置にある状態では、各可変始動入賞部１６１,１６２に対応する取込口１１５ａ,１１６ａを介して取込通路１１５,１１６へ閉鎖保持部２０４が突出し、第２の作動部材２０１が第１または第２入球作動位置にある状態では、各可変始動入賞部１６１,１６２に対応する取込口１１５ａ,１１６ａの後方に退避して取込通路１１５,１１６へ閉鎖保持部２０４が突出しないようよう構成されている。ここで、前記閉鎖保持部２０４は、対応する取込口１１５ａ,１１６ａの開口側縁(開口左側縁)に近接位置するよう形成されて、前記第２の作動部材２０１が閉鎖保持位置にある状態において、前記閉鎖位置および開放位置の間で始動口開閉部材１６５,１６６が変位する際に係合片１６７が移動する移動軌跡内に、各始動口開閉部材１６５,１６６に対応した可変始動入賞部１６１,１６２の閉鎖保持部２０４が臨むよう形成される。
【０１２７】
すなわち、前記第２の作動部材２０１が閉鎖保持位置にある状態では、前記閉鎖保持部２０４の側面(左側面)に対応の始動口開閉部材１６５,１６６の係合片１６７が当接して、当該各始動口開閉部材１６５,１６６の自重による開放位置への揺動が規制され、これにより始動口開閉部材１６５,１６６が閉鎖位置に保持されるようになっている。そして、前記第２の作動部材２０１が第１入球作動位置に変位した状態では、前記各始動口開閉部材１６５,１６６の開閉変位に伴う係合片１６７の移動軌跡から各対応の閉鎖保持部２０４が離脱して閉鎖保持部２０４による係合片１６７の当接規制が解除され、第１入球作動位置へ変位した第２の作動部材２０１に対応した始動口開閉部材１６５,１６６が、自重により閉鎖位置から開放位置へ開放変位するようになっている。
【０１２８】
(閉鎖作動部２０５について)
図１８、図１９、図２１〜図２３に示すように、前記閉鎖保持部２０４における前記第２の作動部材２０１の順回転方向の前側に位置する端部に、前記閉鎖作動部２０５が設けられている。すなわち、第２の作動部材２０１が第２入球作動位置から閉鎖保持位置へ回転変位する際に、当該第２の作動部材２０１に対応した始動口開閉部材１６５,１６６の係合片１６７に対して閉鎖作動部２０５が上方から当接して押し下げることにより、当該始動口開閉部材１６５,１６６を強制的に開放位置から閉鎖位置へ変位させるようになっている。そして、前記第２の作動部材２０１が第２入球作動位置から閉鎖保持位置に変位した際には、前述のように当該閉鎖保持位置に保持された第２の作動部材２０１の閉鎖保持部２０４により係合片１６７が当接規制されて、対応する始動口開閉部材１６５,１６６が閉鎖位置に保持されるようになっている。ここで、前記閉鎖作動部２０５は、前記第２の作動部材２０１の第２基体部２０２から径方向外方に離間する端部が前記第２の作動部材２０１の順回転方向前側へ延出する鉤状に屈曲形成されており、第２入球作動位置から閉鎖保持位置に第２の作動部材２０１が回転変位した際に、閉鎖作動部２０５の屈曲部が対応の始動口開閉部材１６５,１６６の係合片１６７に引っ掛かることで、閉鎖作動部２０５と係合片１６７との係合が解除されるのを防止するようになっている。
【０１２９】
(入球作動部２０６,２０７について)
前記入球作動部２０６,２０７は、図１８、図１９、図２１〜図２３に示すように、前記第２基体部２０２から径方向外方へ突出するよう形成されている。実施例の第２の作動部材２０１には、前記第２基体部２０２の周方向に離間する複数箇所(実施例では２箇所)に前記入球作動部２０６,２０７が突出するよう形成され、当該第２の作動部材２０１の回転変位位置(第１または第２入球作動位置)に応じて、各可変始動入賞部１６１,１６２に対応する可変始動口１０２,１０３に連通した取込通路１１５,１１６に入球作動部２０６,２０７が突出するようになっている。また、前記各入球作動部２０６,２０７は、前記第２基体部２０２の軸方向の中間位置に設けられて、対応する取込口１１５ａ,１１６ａの取込通路１１５,１１６に対して左右幅方向の略中央に位置するようになっており、前記第１または第２入球作動位置に第２の作動部材２０１がある状態で、当該取込通路１１５,１１６を通過するパチンコ球が入球作動部２０６,２０７に対して確実に接触し得るようになっている。
【０１３０】
具体的に、前記第２の作動部材２０１には、前記第２の作動部材２０１が第１入球作動位置に回転変位した状態で対応する取込口１１５ａ,１１６ａを介して取込通路１１５,１１６に突出する第１入球作動部２０６と、第２の作動部材２０１が第２入球作動位置に回転変位した状態で対応する取込口１１５ａ,１１６ａを介して取込通路１１５,１１６に突出する第２入球作動部２０７とが設けられている。すなわち、第１入球作動位置では、前記第１入球作動部２０６に接触したパチンコ球が第２の作動部材２０１を順回転方向へ付勢して、当該第２の作動部材２０１を第２入球作動位置へ回転変位させ、第２入球作動位置では、前記第２入球作動部２０７に接触したパチンコ球が第２の作動部材２０１を順回転方向へ付勢して、当該第２の作動部材２０１を閉鎖保持位置へ回転変位させるようになっている。
【０１３１】
また、図２１〜図２４に示すように、前記第２の作動部材２０１の回転変位に伴う前記第１および入球作動部２０６,２０７の移動軌跡に、前記制止部材１９０の回転制止部１９３が延出するよう構成されている。具体的に、前記第２の作動部材２０１が閉鎖保持位置にある状態で、当該第２の作動部材２０１が順回転方向に変位する際に前記第２入球作動部２０７が移動する移動方向前側に回転制止部１９３が位置している(図２４参照)。また、前記第２の作動部材２０１が第２入球作動位置にある状態で、第２の作動部材２０１が順回転方向に変位する際に前記第１入球作動部２０６が移動する移動方向前側に回転制止部１９３が位置するようになっている(図２４参照)。すなわち、パチンコ機１０に発生する振動等により、前記第２の作動部材２０１が自然に揺動した場合に、前記第１入球作動部２０６や第２入球作動部２０７が制止部材１９０の回転制止部１９３に当接することで、当該制止部材１９０の重みが第２の作動部材２０１の回転抵抗となり、第２の作動部材２０１の順回転方向への回転変位を防止し得るようになっている。一方で、前記第１の作動部材１７６の球受け部１７９にパチンコ球が落下して作動位置に変位した第１の作動部材１７６が前記制止部材１９０を強制的に揺動させた際に、前記第２の作動部材２０１の回転変位に伴う第１および入球作動部２０６,２０７の移動軌跡から回転制止部１９３が退避するよう構成されている。従って、前記第１の作動部材１７６の作動位置への変位に伴って前記第１の押上げ部１８３が開放作動部２０３を押し上げることで、第２入球作動部２０７が制止部材１９０の回転制止部１９３に当接することなく前記第２の作動部材２０１の順回転方向への回転変位が許容されるようになっている。
【０１３２】
このように、可変始動入賞部１６１,１６２は、閉鎖位置にある始動口開閉部材１６５,１６６に対して対応する第１の作動部材１７６が間接的に接続(すなわち第２の作動部材２０１を介して接続)し得るよう構成されると共に、始動口開閉部材１６５,１６６および第１の作動部材１７６の接続状態において第１ソレノイド２６１の駆動に伴い開放した作動口１０１に入球したパチンコ球との接触に伴い作動位置に変位された第１の作動部材１７６が、当該始動口開閉部材１６５,１６６を閉鎖位置から開放位置に変位させるよう構成されている。そして、開放位置にある始動口開閉部材１６５,１６６に対して対応の第２の作動部材１７６が接続し得るよう構成され、始動口開閉部材１６５,１６６との接続状態において可変始動口１０２,１０２に入賞したパチンコ球との接触に伴い閉鎖保持位置に変位した第２の作動部材１７６が、当該始動口開閉部材１６５,１６６を開放位置から閉鎖位置に変位させるようになっている。
【０１３３】
(回転規制部２１０について)
前記回転規制部２１０は、前記ケース体１７０に枢支された係止アーム２１１と、前記第２の作動部材２０１に設けられて係止アーム２１１と係脱可能に係合する係止受け部２１３とから構成され、当該係止アーム２１１と係止受け部２１３との係合により第２の作動部材２０１の逆回転方向への回転変位を規制するようになっている。前記係止アーム２１１は、前後方向に長尺な棒状に形成されて、当該係止アーム２１１の一端部(実施例では後端部)が前記ケース体１７０の左壁部に揺動可能に枢支されている。そして、前記係止アーム２１１の他端部(実施例では前端部)に、第２作動部材側へ向けて突出する係止突部２１１ａが設けられており、当該係止突部２１１ａが前記係止受け部２１３に係脱可能に係合するようになっている。また、前記係止アーム２１１は、付勢手段２１２により前記係止突部２１１ａを下方へ向けて付勢されている。なお、実施例では、付勢手段として係止アーム２１１の軸部１９１ａにねじりバネ２１２を巻き掛けて係止突部２１１ａを下方へ向けて付勢するよう構成されているが、付勢手段としては従来公知の各種手段を採用可能である。
【０１３４】
前記係止受け部２１３は、図１８に示すように、前記第２の作動部材２０１における第２基体部２０２の左端部に設けられている。前記係止受け部２１３は、前記ケース体１７０の左壁部側に開口する筒状に形成され、当該係止受け部２１３の内部に、前記係止アーム２１１の係止突部２１１ａが挿入されている。すなわち、前記ねじりバネ２１２の付勢により常には前記係止アーム２１１の係止突部２１１ａが前記係止受け部２１３の内周面を摺動するよう構成されている。そして、前記係止受け部２１３には、前記内周面から内方に突出する係止爪２１３ａが第２の作動部材２０１の回転方向へ離間する複数箇所(実施例では３箇所)に形成されており、当該係止受け部２１３の内周面を摺動する前記係止突部２１１ａが係止爪２１３ａに係合することで、当該第２の作動部材２０１の回転が規制されるようになっている。ここで、前記係止爪２１３ａは、前記第２の作動部材２０１が順回転方向に回転した際に前記係止突部２１１ａが係合することなく摺動し得るよう形成される一方、第２の作動部材２０１が逆回転方向に回転した際に係止突部２１１ａが係合して第２の作動部材２０１の回転を規制するよう傾斜状に形成されている。すなわち、前記係止受け部２１３に設けた係止爪２１３ａの傾斜により、前記第２の作動部材２０１の順回転方向への回転が許容される一方で、逆回転方向への回転を規制している。
【０１３５】
ここで、前記係止受け部２１３の各係止爪２１３ａは、図２０に示すように、前記第２の作動部材２０１が閉鎖保持位置、第１および第２入球作動位置にある状態で、前記係止アーム２１１の係止突部２１１ａと係合するよう形成されている。従って、前記第２の作動部材２０１が閉鎖保持位置にある状態では、前記球受け部１７９へのパチンコ球の落下により前記第１の作動部材１７６が作動された場合に、第２の作動部材２０１が逆回転方向に回転変位することなく閉鎖保持位置から第１入球作動位置に回転変位され、第２の作動部材２０１が第１入球作動位置にある状態では、各可変始動入賞部１６１,１６２に対応する可変始動口１０２,１０３に入賞したパチンコ球との接触により第１入球作動部２０６が作動された場合に、第２の作動部材２０１が逆回転方向に回転変位することなく第１入球作動位置から第２入球作動位置に回転変位され、第２の作動部材２０１が第２入球作動位置にある状態では、各可変始動入賞部１６１,１６２に対応する可変始動口１０２,１０３に入賞したパチンコ球との接触により第２入球作動部２０７が作動された場合に、第２の作動部材２０１が逆回転方向に回転変位することなく第２入球作動位置から閉鎖保持位置に回転変位されるようになっている。
【０１３６】
(特図表示部について)
図２に示すように、前記遊技盤２０の所定位置(実施例では、遊技領域２１の外側右下部位置)には、前記固定始動口３２、第１または第２可変始動口１０２,１０３への入賞(各始動口に対応の検出センサ７５,７７,７８による球検出)を契機として作動する特図表示部(特図表示手段)５０Ａ,５０Ｂが設けられている。ここで、特図表示部５０Ａ,５０Ｂは、前記固定始動口３２または第１可変始動口１０２への入賞を契機として変動表示を開始する第１特図表示部５０Ａと、第２可変始動口１０３への入賞を契機として変動表示を開始する第２特図表示部５０Ｂとからなり、各特図表示部５０Ａ,５０Ｂの何れも複数個(実施例では８個ずつ)のＬＥＤランプにより構成されている。そして、前記固定始動口３２または第１可変始動口１０２へのパチンコ球の入賞を契機として、第１特図表示部５０ＡのＬＥＤランプが順次点灯・消灯する点滅変動する特図変動表示が行われ、最終的にＬＥＤランプが確定的に点灯した点灯位置(点灯パターン)により複数種類の特別図柄(以下、特図という)を表示するようになっている。また、第２可変始動口１０３へのパチンコ球の入賞を契機として、第２特図表示部５０ＢのＬＥＤランプが点灯・消灯する点滅変動する変動表示が行われて、最終的に発光部が確定的に点灯した点灯位置(点灯パターン)により特図を表示するよう構成されている。
【０１３７】
ここで、前記特図は、特図当り判定の結果が当り(大当り)か否かなどの内部抽選の結果を示す報知用の図柄とされて、前記各特図表示部では、ＬＥＤランプの点灯位置により大当りを認識し得る当り表示(大当り図柄)としての特図と、はずれを認識し得るはずれ表示結果としての特図とが表示可能に構成されて、特図当り判定の結果に応じて１つの特図が特図表示部５０Ａ,５０Ｂに確定停止表示される。なお、以下の説明では、第１特図表示部５０Ａで行われる特図変動表示を「第１特図変動表示」と称し、該第１特図変動表示の結果、第１特図表示部５０Ａに確定停止表示される特図を特図１と称する場合がある。同様に、第２特図表示部５０Ｂで行われる特図変動表示を「第２特図変動表示」と称し、該第２特図変動表示の結果、第２特図表示部５０Ｂに確定停止表示される特図を特図２と称する場合がある。
【０１３８】
(特図保留表示部５２,５３について)
前記特図保留表示部５２,５３は、前記固定始動口３２、可変始動口１０２,１０３にパチンコ球が入賞した際に取得される入賞情報(各種乱数情報)を、機内部の記憶手段(実施例では、メイン制御ＲＡＭ６０ｃ)に特図始動保留情報として記憶する場合に、当該特図始動保留情報の保留数を特定可能に表示する表示部である。ここで、図２に示すように、前記特図保留表示部５２,５３は、前記固定始動口３２または第１可変始動口１０２にパチンコ球が入賞した際に取得される入賞情報(各種乱数情報)をメイン制御ＲＡＭ６０ｃが第１特図始動保留情報として記憶した保留数を表示する第１特図保留表示部５２と、第２可変始動口１０３にパチンコ球が入賞した際に取得される入賞情報(各種乱数情報)をメイン制御ＲＡＭ６０ｃが第２特図始動保留情報として記憶した保留数を表示する第２特図保留表示部５３とからなり、各特図保留表示部５２,５３の何れも複数個(実施例では２個ずつ)の発光表示部により構成されている。この第１特図始動保留情報の保留数を表示する複数のＬＥＤ(実施例では２個)から発光表示部が構成された第１特図保留表示部５２が設けられると共に、該第２特図始動保留情報の保留数を表示する複数のＬＥＤ(実施例では２個)から発光表示部が構成された第２特図保留表示部５３が設けられている。すなわち、前記第１および第２特図保留表示部５２,５３の表示内容によって、保留されている第１特図変動表示および第２特図変動表示の回数(図柄組合せ演出の回数)が報知される。
【０１３９】
ここで、前記第１特図保留表示部５２で表示される第１特図始動保留情報の保留数は、固定始動口３２または第１可変始動口１０２へパチンコ球が入賞することで１加算されると共に、第１特図変動表示(図柄組合せ演出)が行われる毎に１減算される。また、前記第２特図保留表示部５３で表示される第２特図始動保留情報の保留数は、第２可変始動口１０３の何れかへパチンコ球が入賞することで１加算されると共に、第２特図変動表示(図柄組合せ演出)が行われる毎に１減算される。なお、第１および第２特図始動保留情報の保留数には所定の上限数(実施例では何れに対しても「４」)が設定されており、該上限数まで第１および第２特図始動保留情報の保留数を夫々加算し得るよう設定されている。なお、前記第１および第２特図保留表示部５２,５３の夫々は、左右に並んだ複数(実施例では２つ)のＬＥＤから構成されており、各始動保留記憶数が「１」〜「２」の場合には対応の特図保留表示部５２,５３が左から順に点灯し、各始動保留記憶数が「３」〜「４」の場合には対応の特図保留表示部５２,５３が左から順に点滅することで、保留情報の保留数を遊技者が把握し得るようになっている。
【０１４０】
ここで、実施例のパチンコ機１０では、第２可変始動口１０３への入賞を契機として取得される第２特図始動保留情報がメイン制御ＲＡＭ６０ｃに記憶されている場合には、固定始動口３２または第１可変始動口１０２への入賞を契機として取得される第１特図始動保留情報がメイン制御ＲＡＭ６０ｃに記憶されていたとしても、該第２特図始動保留情報に基づく特図当り判定をメイン制御ＣＰＵ６０ａが優先的に実行して、当該特図当り判定の判定結果に基づく図柄変動演出(特図変動表示)が図柄表示装置１７で実行されるよう構成される。
【０１４１】
(普図表示部５５について)
また、図２に示すように、前記遊技盤２０には、前記遊技領域２１の外側右下部位置に、複数のＬＥＤ(実施例では２個)からＬＥＤランプが構成された普図表示部５５が配設されている。この普図表示部５５では、ゲートセンサ７６のパチンコ球の検出(ゲート部３４のパチンコ球の通過)を契機として、複数種類の普通図柄(以下、「普図」と示す場合がある)を変動させて１つの普図を導出する普図変動表示が行われるようになっている。実施例では、２つのＬＥＤの発光態様にて普図当り判定の結果を表示するようになっている。そして、前記普図表示部５５の最終的な表示結果から普図当りまたははずれを認識できるようになっている。
【０１４２】
(普図保留表示部５６について)
前記普図保留表示部５６は、前記ゲート部３４をパチンコ球が通過した際に取得される通過検出情報(普図当り判定用乱数等の各種乱数情報)を、機内部の記憶手段(実施例では、メイン制御ＲＡＭ６０ｃ)に普図始動保留情報として記憶する場合に、当該普図始動保留情報の保留数を特定可能に表示する表示部である。ここで、前記普図保留表示部５６は、図２に示すように、複数個(実施例では２個)の発光表示部により構成されており、該普図保留表示部５６の表示内容によって保留されている普図の変動回数が報知される。前記普図保留表示部５６で表示される普図始動保留記憶数は、ゲート部３４をパチンコ球が通過すると１加算され、普図変動表示が開始されることにより１減算される。なお、普図始動保留記憶数には所定の上限数(実施例では「４」)が設定されており、該上限数まで普図始動保留記憶数を加算し得るよう設定されている。
【０１４３】
(確変について)
また、実施例のパチンコ機１０は、大当り遊技終了後に遊技者に有利な遊技状態として第１特典遊技状態を付与する機能を備えている。ここで、第１特典遊技状態としては、前記特別入賞口４１へのパチンコ球の入賞契機が、当該第１特典遊技状態が付与されていない状態に較べて増加する状態である。具体的には、第１特典遊技状態では、特図当り判定に当選する確率を低確率から高確率に変動することにより特別入賞口４１へのパチンコ球の入賞契機の発生割合を高くすることができる。以下の説明では、第１特典遊技状態が付与された遊技状態を、便宜的に「確変状態」というものとする。
【０１４４】
確変機能は、確定停止表示された大当り図柄(特図１または特図２)の種類が予め定めた図柄(特定図柄)であることを条件として、大当り遊技の終了後に特図当り判定が当りの結果となる確率(大当り確率)が低確率(例えば、１／３９９)から高確率(例えば、１／６０)に変動させる確変状態を付与する機能である。なお、確変状態が付与されていない遊技状態を非確変状態というものとする。実施例では、大当り遊技終了後に確変状態が付与される大当りが確変大当りであり、確変状態が付与されない大当りが非確変大当りとなる。このように、確変状態が付与されると、特図当り判定が当りの結果となる確率が高確率に変動して大当りが生起され易くなるため、確変状態は遊技者にとって有利であり、遊技者は確変大当りになることを期待しつつ遊技を行っている。また、実施例では、確変状態が付与される大当りの場合には、大当り遊技終了後、次回の大当り遊技に当選するまでの間継続して確変状態が付与される。なお、確変状態が付与される図柄変動演出(特図変動)の実行回数(変動回数)を所定回数(例えば７０回等)に区切ることも可能である。
【０１４５】
(変短状態について)
また、実施例のパチンコ機１０は、大当り遊技終了後に遊技者に有利な遊技状態として第２特典遊技状態(第２の遊技状態)を付与する機能を備えている。ここで、第２特典遊技状態としては、作動口開閉部材２６０により開閉される前記作動口１０１へのパチンコ球の入賞契機が、当該第２特典遊技状態が付与されていない状態(第１の遊技状態)と較べて増加する入賞容易状態である。具体的には、第２特典遊技状態では、(1)普図変動表示の変動時間の短縮、(2)普図当り確率を低確率から高確率に変動、(3)普図当り１回についての作動口１０１を開放する作動口開閉部材２６０の開放時間を増やすこと、により作動口１０１へのパチンコ球の入賞契機を増加することができる。なお、第２特典遊技状態では、上記(1)〜(3)を単独または複数を組み合わせることができる。なお普図当り１回についての作動口１０１を開放する作動口開閉部材２６０の開放時間を増やすに際しては、作動口開閉部材２６０の開放時間を単純に延長することで実現してもよく、また作動口開閉部材２６０の開放回数を増やすことで実現することもでき、またこれらを複合させてもよい。なお、実施例では、第２特典遊技状態として上記(1)〜(3)を組み合わせており、以下の説明では、これら(1)〜(3)を組み合わせた状態を便宜的に「変短状態」というものとする。すなわち、変短状態は、作動口１０１へのパチンコ球の入賞率が向上した入賞容易状態である。なお、実施例の変短状態では、大当り遊技終了後の前記普図表示部５５で行われる普図変動表示の変動時間を短縮すると共に、普図当り確率を低確率低確率(実施例では、１／６５５３６)から高確率(実施例では、６５５３５／６５５３６)に変動させるよう設定してある。ここで、変短状態の付与条件は、後述するように大当り図柄の種類に応じて定められている。
【０１４６】
(大当り遊技について)
次に、実施例のパチンコ機１０で付与される大当り遊技について説明する。大当り遊技は、特図変動表示の結果として特図表示部に大当り図柄が停止表示された後に開始されるよう設定されており、当選した大当り図柄の種類に応じて特別入賞部４０の開閉部材４３が開閉動作される。なお実施例の大当り遊技では、特別入賞部４０の開閉部材４３を開放するラウンド遊技を規定ラウンド数実行することで、大当り遊技が終了するようになっている。１回のラウンド遊技は、特別入賞口４１に規定個数(例えば１０個)のパチンコ球が入賞(特別入賞検出センサ７９が規定個数のパチンコ球を検出)するか、あるいは各ラウンド遊技の開始から規定時間(ラウンド遊技時間)が経過することで終了する。なお、大当り遊技における各ラウンド遊技の間は、所定時間(実施例では１秒)だけ開閉部材４３が閉鎖状態で保持されるラウンド間インターバル時間が設定されている。
【０１４７】
(大当り遊技の種類について)
実施例のパチンコ機１０では、図２６、図２７に示すように、特図当り判定に当選した場合に、遊技者に与える価値(遊技価値)が異なる複数種類の大当り遊技の中から１つの大当り遊技が決定され、その決定された大当り遊技が付与される。ここで、複数種類の大当り遊技の内で何れの大当り遊技が付与されるかは、特図当り判定が当りの結果になることを契機として決定される大当り図柄(特図１および特図２)の種類に基づいて決定されるようになっている。
【０１４８】
(固定始動口３２または第１可変始動口１０２への入賞に基づく大当り図柄について)
前記固定始動口３２または第１可変始動口１０２へのパチンコ球の入賞に基づく大当り判定の判定結果が肯定判定の場合には、前記メイン制御ＣＰＵ６０ａは、予め定められた複数種類の大当り図柄の中から１つの大当り図柄を決定するよう設定されている。具体的に、実施例では、固定始動口３２または第１可変始動口１０２へパチンコ球が入賞した際に取得された特図決定用乱数に基づいて、５種類の大当り図柄(図柄Ａ〜図柄Ｄ、図柄Ｘ)の中から１つの大当り図柄を決定するようになっている。実施例のパチンコ機１０では、固定始動口３２または第１可変始動口１０２へのパチンコ球の入賞に基づく大当り判定の判定結果が肯定判定の場合に、４９％の割合で大当り図柄としての図柄Ａが選択され、２２％の割合で大当り図柄としての図柄Ｂが選択され、６％の割合で大当り図柄としての図柄Ｃが選択され、５％の割合で大当り図柄としての図柄Ｄが選択され、１８％の割合で大当り図柄としての図柄Ｃが選択されるよう特図決定用判定値が割り当てられている。なお、前述した大当り図柄の振分割合は一例であり、これに限られるものではない。
【０１４９】
前記図柄Ａに対応した第１の大当り遊技は、第１の大当り遊技の終了後に次の大当り遊技に当選するまで確変状態が継続して付与されると共に、該確変状態が継続する間、変短状態が付与される大当り図柄として設定されている。また、前記図柄Ａに対応した第１の大当り遊技は、第１の大当り遊技の終了後に次の大当り遊技に当選するまでの間、普図当りに当選した際に前記可変作動入球部２４０の作動口開閉部材２６０を第１開閉動作パターンＰ１で動作させる大当り図柄として設定される。また、前記第１の大当り遊技は、規定ラウンド数が「１３回」に設定された大当り遊技である。この第１の大当り遊技では、１ラウンド目〜４ラウンド目のラウンド遊技は、ラウンド遊技の開始から終了まで継続して特別入賞口を開放する長時間開放動作を開閉部材４３に行わせるよう設定されている。一方で、第１の大当り遊技における５ラウンド目〜１３ラウンド目のラウンド遊技は、ラウンド遊技の開始から終了まで継続して特別入賞口４１を開放させるものの、４ラウンド目までに開閉部材４３に行わせる前記長時間開放動作よりも特別入賞口４１の開放時間が短くなる短時間開放動作を開閉部材４３に行わせるよう設定されている。ここで、第１の大当り遊技における１ラウンド目〜４ラウンド目のラウンド遊技は、１回のラウンド遊技において入賞が許容される規定個数(例えば１０個)のパチンコ球が入賞可能な開放時間で開閉部材４３が開放動作するよう設定され、５ラウンド目〜１３ラウンド目のラウンド遊技は、パチンコ球が略入賞不能な開放時間で開閉部材４３が開放動作するよう設定されている。
【０１５０】
具体的に、第１の大当り遊技では、図２６に示すように、１ラウンド目(１Ｒ)〜４ラウンド目(４Ｒ)の１回のラウンド遊技のラウンド遊技時間として「２５．０(秒)」が設定されており、各ラウンド遊技において前記開閉部材４３が最大で「２５．０(秒)」の長時間に亘って開放動作するようになっている。一方で、５ラウンド目(５Ｒ)〜１２ラウンド目(１２Ｒ)の１回のラウンド遊技のラウンド遊技時間として「０．４(秒)」が設定されている。なお、第１の大当り遊技では、ラウンド間インターバル時間(Ｉｎｔ)が「１．０(秒)」に設定されている。すなわち実施例において、第１の大当り遊技は、１ラウンド目〜４ラウンド目のラウンド遊技におけるパチンコ球の入賞により５００個前後の賞球を獲得し得る形態で特別入賞部４０の開閉部材４３を開閉させるよう構成されている。
【０１５１】
前記図柄Ｂに対応した第２の大当り遊技、図柄Ｃに対応した第３の大当り遊技および図柄Ｄに対応した第４の大当り遊技は、各第２〜第４の大当り遊技の終了後に次の大当り遊技に当選するまで確変状態が継続して付与されると共に、該確変状態が継続する間、変短状態が付与される大当り図柄として設定されている。また、第２〜第４の大当り遊技は、各第２〜第４の大当り遊技の終了後に次の大当り遊技に当選するまでの間、普図当りに当選した際に前記可変作動入球部２４０の作動口開閉部材２６０を第２開閉動作パターンＰ２で動作させる大当り図柄として設定される。また、第２〜第４の大当り遊技は、規定ラウンド数が「１２回」に設定されたラウンド大当り遊技である。この第２〜第４の大当り遊技の各ラウンド遊技における開閉部材４３の開閉動作は、前述した第１の大当り遊技と同じに設定されていることから、その詳細は省略する。すなわち、第２〜第４の大当り遊技は、１ラウンド目〜４ラウンド目のラウンド遊技は、１回のラウンド遊技において入賞が許容される規定個数(例えば１０個)のパチンコ球が入賞可能な開放時間で開閉部材４３が開放動作するよう設定され、５ラウンド目〜１２ラウンド目のラウンド遊技は、パチンコ球が略入賞不能な開放時間で開閉部材４３が開放動作するよう設定されている。このように、実施例の第２〜第４の大当り遊技は、第１の大当り遊技と同様に５００個前後の賞球を獲得し得る形態で前記特別入賞部４０の開閉部材４３を開閉させるよう構成されている。このように、図柄Ａと図柄Ｂ〜図柄Ｄは、対応する大当り遊技終了後の普図当りの当選に伴う前記可変作動入球部２４０の作動口開閉部材２６０の開閉動作態様が異なった大当り図柄として設定されている。
【０１５２】
前記図柄Ｘに対応した第５の大当り遊技は、第５の大当り遊技の終了後に確変状態が付与されない一方で変短状態が付与される大当り遊技として設定されている。具体的に、実施例では、図柄Ｘ(第５の大当り遊技)が決定された場合に付与される変短状態の付与期間として、当該第５の大当り遊技終了後に７回の図柄変動演出(第１特図変動表示または第２特図変動表示)が実行される期間に設定されている。また、前記図柄Ｘに対応した第５の大当り遊技は、第５の大当り遊技の終了後に７回の図柄変動演出(第１特図変動表示または第２特図変動表示)が実行されるまでの間、普図当りに当選した際に前記可変作動入球部２４０の作動口開閉部材２６０を第２開閉動作パターンＰ２で動作させるよう設定される。なお、前記図柄Ｘに対応した第５の大当り遊技は、第５の大当り遊技の終了後に８回目以降の図柄変動演出(第１特図変動表示または第２特図変動表示)が実行される際に、普図当りに当選した際に前記可変作動入球部２４０の作動口開閉部材２６０を第３開閉動作パターンＰ３で動作させるよう設定される。また、前記第５の大当り遊技は、規定ラウンド数が「１２回」に設定されたラウンド大当り遊技である。この第５の大当り遊技の各ラウンド遊技における開閉部材４３の開閉動作は、前述した第１の大当り遊技と同じに設定されていることから、その詳細は省略する。すなわち、第５の大当り遊技は、１ラウンド目〜４ラウンド目のラウンド遊技は、１回のラウンド遊技において入賞が許容される規定個数(例えば１０個)のパチンコ球が入賞可能な開放時間で開閉部材４３が開放動作するよう設定され、５ラウンド目〜１２ラウンド目のラウンド遊技は、パチンコ球が略入賞不能な開放時間で開閉部材４３が開放動作するよう設定されている。このように、実施例の第５の大当り遊技は、第１の大当り遊技と同様に当該第５の大当り遊技において５００個前後の賞球を獲得し得る形態で前記特別入賞部４０の開閉部材４３を開閉させるよう構成されている。
【０１５３】
(第２可変始動口１０３への入賞に基づく大当り図柄について)
前記第２可変始動口１０３へのパチンコ球の入賞に基づく大当り判定の判定結果が肯定判定の場合には、前記メイン制御ＣＰＵ６０ａは、予め定められた複数種類の大当り図柄の中から１つの大当り図柄を決定するよう設定されている。具体的に、実施例では、第２可変始動口１０３へパチンコ球が入賞した際に取得された特図決定用乱数に基づいて、３種類の大当り図柄(図柄Ｏ〜図柄Ｙ)の中から１つの大当り図柄を決定するよう設定される。更に、実施例のパチンコ機１０では、７７％の割合で大当り図柄としての図柄Ｏが選択され、３％の割合で大当り図柄としての図柄Ｐが選択され、２％の割合で大当り図柄としての図柄Ｑが選択され、１８％の割合で大当り図柄としての図柄Ｙが選択されるよう特図決定用判定値が割り当てられている。なお、前述した大当り図柄の振分割合は一例であり、これに限られるものではない。
【０１５４】
前記図柄Ｏに対応した第６の大当り遊技は、第６の大当り遊技の終了後に次の大当り遊技に当選するまで確変状態が継続して付与されると共に、該確変状態が継続する間、変短状態が付与される大当り図柄として設定されている。また、図柄Ｏに対応した第６の大当り遊技は、第６の大当り遊技の終了後に次の大当り遊技に当選するまでの間、普図当りに当選した際に前記可変作動入球部２４０の作動口開閉部材２６０を第２開閉動作パターンＰ２で動作させる大当り図柄として設定される。また、前記第６の大当り遊技は、規定ラウンド数が「１５回」に設定されたラウンド大当り遊技である。この第６の大当り遊技では、１ラウンド目〜１５ラウンド目のラウンド遊技はラウンド遊技の開始から終了まで継続して特別入賞口を開放する長時間開放動作を開閉部材４３に行わせるよう設定されている。ここで、第６の大当り遊技における１ラウンド目〜１５ラウンド目のラウンド遊技は、１回のラウンド遊技に定められた規定個数(例えば１０個)のパチンコ球が入賞可能な開放時間で開閉部材４３が開放動作するよう設定されている。
【０１５５】
具体的に、第６の大当り遊技では、図２７に示すように、１ラウンド目(１Ｒ)〜１５ラウンド目(１５Ｒ)の１回のラウンド遊技のラウンド遊技時間として「２５．０(秒)」が設定されており、各ラウンド遊技において前記開閉部材４３が最大で「２５．０(秒)」の長時間に亘って開放動作するようになっている。すなわち実施例において、第６の大当り遊技は、１ラウンド目〜１５ラウンド目のラウンド遊技におけるパチンコ球の入賞により２０００個前後の賞球を獲得し得る形態で特別入賞部４０の開閉部材４３を開閉させるよう構成されている。
【０１５６】
前記図柄Ｐに対応した第７の大当り遊技および図柄Ｑに対応した第８の大当り遊技は、第７〜第８の大当り遊技の終了後に次の大当り遊技に当選するまで確変状態が継続して付与されると共に、該確変状態が継続する間、変短状態が付与される大当り図柄として設定されている。また、第７〜第８の大当り遊技は、大当り遊技の終了後に次の大当り遊技に当選するまでの間、普図当りに当選した際に前記可変作動入球部２４０の作動口開閉部材２６０を第２開閉動作パターンＰ２で動作させる大当り図柄として設定される。また、前記第７〜第８の大当り遊技は、規定ラウンド数が「２回」に設定されたラウンド大当り遊技である。この第７〜第８の大当り遊技では、１ラウンド目〜２ラウンド目のラウンド遊技はラウンド遊技の開始から終了まで継続して特別入賞口を開放する短時間開放動作を開閉部材４３に行わせるよう設定されている。第７〜第８の大当り遊技における１ラウンド目〜２ラウンド目のラウンド遊技は、パチンコ球が略入賞不能な開放時間で開閉部材４３が開放動作するよう設定されている。具体的に、第７〜第８の大当り遊技では、図２７に示すように、１ラウンド目(１Ｒ)〜２ラウンド目(２Ｒ)の１回のラウンド遊技のラウンド遊技時間として「０．４(秒)」が設定されている。すなわち実施例において、第７〜第８の大当り遊技は、各ラウンド遊技においてパチンコ球が略入賞が不可能で賞球を殆ど獲得し得ない形態(例えば０〜５０個程度)で特別入賞部４０の開閉部材４３を開閉させるよう構成される。
【０１５７】
前記図柄Ｙに対応した第９の大当り遊技は、第９の大当り遊技の終了後に確変状態が付与されない一方で変短状態が付与される大当り遊技として設定されている。具体的に、実施例では、図柄Ｙ(第９の大当り遊技)が決定された場合に付与される変短状態の付与期間として、当該第９の大当り遊技終了後に７回の図柄変動演出(第１特図変動表示または第２特図変動表示)が実行される期間に設定されている。また、前記図柄Ｙに対応した第９の大当り遊技は、第９の大当り遊技の終了後に７回の図柄変動演出(第１特図変動表示または第２特図変動表示)が実行されるまでの間、普図当りに当選した際に前記可変作動入球部２４０の作動口開閉部材２６０を第２開閉動作パターンＰ２で動作させるよう設定される。なお、前記図柄Ｙに対応した第９の大当り遊技は、第９の大当り遊技の終了後に８回目以降の図柄変動演出(第１特図変動表示または第２特図変動表示)が実行される際に、普図当りに当選した際に前記可変作動入球部２４０の作動口開閉部材２６０を第３開閉動作パターンＰ３で動作させるよう設定される。また、前記第９の大当り遊技は、規定ラウンド数が「２回」に設定されたラウンド大当り遊技である。この第９の大当り遊技の各ラウンド遊技における開閉部材４３の開閉動作は、前述した第７〜第８の大当り遊技と同じに設定されていることから、その詳細は省略する。すなわち、第９の大当り遊技は、１ラウンド目〜２ラウンド目のラウンド遊技は、パチンコ球が略入賞不能な開放時間で開閉部材４３が開放動作するよう設定されている。このように、実施例の第９の大当り遊技は、第７〜第８の大当り遊技と同様に当該第９の大当り遊技において賞球を殆ど獲得し得ない形態(例えば０〜５０個程度)で特別入賞部４０の開閉部材４３を開閉させるよう構成される。
【０１５８】
ここで、前記第１開閉動作パターンＰ１および第３開閉動作パターンＰ３は、後述するように、普図当り判定が普図当りの結果となることを条件に当該開閉動作パターンＰ１,Ｐ３に基づいて可変作動入球部２４０の作動口開閉部材２６０が動作された際に前記作動口１０１に入球したパチンコ球が前記第１分岐通路(第１の分岐流入通路３４５)に振り分けられて、前記第１可変始動入賞部１６１の第１始動口開閉部材１６５を開放すると共に、前記第２開閉動作パターンＰ２は、後述するように、当該開閉動作パターンＰ２に基づいて可変作動入球部２４０の作動口開閉部材２６０が動作された際に前記作動口１０１に入球したパチンコ球が前記第２分岐通路(第２の分岐流入通路３４６)に振り分けられて、前記第２可変始動入賞部１６２の第２始動口開閉部材１６６を開放するよう構成される。すなわち、実施例のパチンコ機１０は、大当り遊技に当選することを契機に、大当り遊技後の遊技状態として、前記第１可変始動入賞部１６１の第１始動口開閉部材１６５を開放する第１遊技状態および前記第２可変始動入賞部１６２の第２始動口開閉部材１６６を開放する第２遊技状態の何れかを付与し得るよう構成されている。より具体的には、前記第１可変始動入賞部１６１の第１可変始動口１０２への入賞を契機とした特図当り判定で当りの判定結果となる場合に、大当り遊技後の遊技状態として前記第１遊技状態または第２遊技状態の何れかを付与し得るよう構成され、前記第２可変始動入賞部１６２の第２可変始動口１０３への入賞を契機とした特図当り判定で当りの判定結果となる場合に、大当り遊技後の遊技状態として前記第２遊技状態を付与し得るよう構成されている。
【０１５９】
このように、前記第２可変始動入賞部１６２の第２可変始動口１０３への入賞を契機とした特図当り判定で当りとなる場合に、前記第１可変始動入賞部１６１の第１可変始動口１０２への入賞を契機とした特図当り判定で当りとなる場合に比べて、大当り遊技で獲得可能な賞球数が多い大当り遊技(遊技価値の高い当り遊技)を決定し易く設定されている。また、前記第２可変始動入賞部１６２の第２可変始動口１０３への入賞を契機とした特図当り判定で当りとなる場合に、前記第１可変始動入賞部１６１の第１可変始動口１０２への入賞を契機とした特図当り判定で当りとなる場合に比べて、大当り遊技後に第２遊技状態に移行し易い大当り遊技(遊技価値の高い当り遊技)を決定し易く設定されている。
【０１６０】
(大当り遊技演出について)
また、前記第１の大当り遊技がメイン制御基板６０(メイン制御ＣＰＵ６０ａ)により決定された場合には、図柄表示装置１７において大当り遊技中に実行する大当り遊技演出として、大当り遊技後に第１遊技状態に移行することを識別可能な演出を後述する演出制御基板６５が決定するよう構成される。前記第２または第６の大当り遊技がメイン制御基板６０(メイン制御ＣＰＵ６０ａ)により決定された場合には、図柄表示装置１７において大当り遊技中に実行する大当り遊技演出として、大当り遊技後に第２遊技状態に移行すると共に次の大当り遊技に当選するまでの間第２遊技状態が継続することを識別可能な演出を演出制御基板６５が決定するよう構成される。すなわち、第１の大当り遊技、第２の大当り遊技および第６の大当り遊技では、大当り遊技中に行われる大当り遊技演出において、大当り遊技後の遊技状態を確定的に遊技者が識別し得るようになっている。
【０１６１】
また、前記第３〜第５の大当り遊技および第７〜第９の大当り遊技がメイン制御基板６０(メイン制御ＣＰＵ６０ａ)により決定された場合には、大当り遊技中に図柄表示装置１７において実行する大当り遊技演出として、大当り遊技後に第２遊技状態に移行する共に次の大当り遊技に当選するまでの間第２遊技状態が継続することを識別不能な演出を演出制御基板６５が決定するよう構成される。そして、第３または第７の大当り遊技がメイン制御基板６０(メイン制御ＣＰＵ６０ａ)により決定された場合には、大当り遊技後に行われる所定変動回数目(例えば３変動目)の図柄変動演出において、次の大当り遊技に当選するまでの間第２遊技状態が継続することを識別可能な演出の実行を演出制御基板６５が決定するよう構成される。また、第４または第８の大当り遊技がメイン制御基板６０(メイン制御ＣＰＵ６０ａ)により決定された場合には、大当り遊技後に行われる所定変動回数目(例えば７変動目)の図柄変動演出において、次の大当り遊技に当選するまでの間第２遊技状態が継続することを識別可能な演出の実行を演出制御基板６５が決定するよう構成される。一方で、第５または第９の大当り遊技がメイン制御基板６０(メイン制御ＣＰＵ６０ａ)により決定された場合には、大当り遊技後に変短状態が付与される最終の変動回数目(実施例では７変動目)の図柄変動演出において、第２遊技状態が終了する(第１遊技状態に移行する)ことを識別可能な演出の実行を演出制御基板６５が決定するよう構成される。このように、前記第３〜第５の大当り遊技および第７〜第９の大当り遊技がメイン制御基板６０(メイン制御ＣＰＵ６０ａ)により決定された場合には、大当り遊技後の図柄変動演出において、遊技価値の高い第２遊技状態が継続する続くか否かを報知するよう構成されて、大当り遊技後の図柄変動演出に対する遊技者の関心を高めるようになっている。
【０１６２】
(可変作動入球部２４０および通路振分部３５０の駆動制御について)
前記メイン制御ＣＰＵ６０ａは、普図当りに伴って作動口１０１に入球したパチンコ球を通出させる分岐通路(第１または第２の分岐流入通路３４５,３４６)を決定するよう構成されている。具体的には、普図当りに伴う可変作動入球部２４０の作動口開閉部材２６０の動作態様(開閉動作パターンＰ１〜Ｐ３)をメイン制御ＣＰＵ６０ａが決定することで、前記作動口１０１に入球したパチンコ球が第１分岐通路(第１の分岐流入通路３４５)または第２分岐通路(第２の分岐流入通路３４６)の何れかに振り分けられるよう構成されている。ここで、作動口１０１に入球したパチンコ球が第１分岐通路(第１の分岐流入通路３４５)または第２分岐通路(第２の分岐流入通路３４６)の何れの通路に振り分けられるかは、前記第２の複合入球部１００の前記振分位置にパチンコ球が到来するタイミングと、そのタイミングにおける通路振分部３５０の振分体３５１の動作位置とにより定まる。そこで、通路振分部３５０の振分体３５１の動作態様と、メイン制御ＣＰＵ６０ａが決定する可変作動入球部２４０の作動口開閉部材２６０の動作態様との関係について、説明する。
【０１６３】
(通路振分部３５０における振分体３５１の動作について)
前記通路振分部３５０は、普図当り判定が当りの判定結果(当選)となるのに伴って一定の動作パターンで第１振分位置および第２振分位置に振分体３５１が変位するよう前記メイン制御ＣＰＵ６０ａにより駆動制御される。具体的に、図２８に示すように、普図当り判定に当選した場合には、普図当り判定に当選してから所定の作動タイミングにおいて振分体３５１を第１振分位置から第２振分位置に変位させ、第２振分位置への変位から所定の時間(第１振分時間ＴＺ１)の経過後に、当該振分体３５１を第２振分位置から第１振分位置に変位させ、普図当り判定に当選してから所定の時間(第２振分時間ＴＺ２)の経過後に、当該振分体３５１を第１振分位置から第２振分位置に変位させると共に、普図当り判定に当選してから所定の時間(第３振分時間ＴＺ３)の経過後に、当該振分体３５１を第２振分位置から第１振分位置に変位させる前記第２ソレノイド３５２が駆動制御されるようになっている。すなわち、振分体３５１が第１振分位置にある状態で分岐領域に到来したパチンコ球が、第１分岐通路(第１の分岐流入通路３４５)へ振り分けられて第１可変始動入賞部１６１の第１作動機構１７５へ向けて移動し、通路振分部３５０の振分体３５１が第２振分位置にある状態で第２の複合入球部１００の分岐領域に到来したパチンコ球が、第２分岐通路(第２の分岐流入通路３４６)へ振り分けられて第２可変始動入賞部１６２の第１作動機構１７５へ向けて移動するようになっている。ここで、実施例では、普図当り判定に当選した場合に普図変動表示が終了してから所定の開放待機時間(例えば５００ミリ秒)が経過したタイミングが、作動タイミングに設定されている。
【０１６４】
また、前記第１振分時間ＴＺ１は、第１振分位置から第２振分位置への振分体３５１の変位(作動タイミング)と同時に作動口１０１に入球したパチンコ球が振分体３５１による振分位置まで移動するのに必要な時間よりも短い時間に設定されている。このように、実施例の通路振分部３５０は、実質的に、普図当り判定に当選するのに伴って第１分岐通路(第１の分岐流入通路３４５)へのパチンコ球の振分動作を行った後に、第２分岐通路(第２の分岐流入通路３４６)へのパチンコ球の振分動作を行うよう前記メイン制御ＣＰＵ６０ａにより駆動制御される。すなわち、振分体３５１の作動タイミングと同時に作動口１０１に入球したパチンコ球は、実質的に前記第２分岐通路(第２の分岐流入通路３４６)へ移動不能となっており、第１振分時間ＴＺ１の経過に伴って第１位置に変位した振分体３５１により第１分岐通路(第２の分岐流入通路３４５)へ振り分けられるよう構成されている。
【０１６５】
(可変作動入球部２４０における作動口開閉部材２６０の動作について)
前記メイン制御ＣＰＵ６０ａは、前述のように、決定された大当り図柄の種類(大当り遊技の種類)に応じて、可変作動入球部２４０の作動口開閉部材２６０の動作態様を定めた開閉動作パターンＰ１〜Ｐ３を決定するよう構成されている。すなわち、大当り遊技後に普図当り判定に当選した際には、前回大当り時に決定された開閉動作パターンＰ１〜Ｐ３に基づいて可変作動入球部２４０の作動口開閉部材２６０が動作されるようになっている。ここで、前記可変作動入球部２４０の作動口開閉部材２６０を開閉動作させる開閉動作パターンＰ１〜Ｐ３として、作動口１０１に入球したパチンコ球が前記第１分岐通路(具体的には第１の分岐流入通路３４５)および第２分岐通路(具体的には第２の分岐流入通路３４６)に振り分けられる割合(可能性)が異なる複数種類の開閉動作パターンＰ１〜Ｐ３が設定されている。
【０１６６】
実施例では、作動口開閉部材２６０の開放動作に伴い作動口１０１に入球したパチンコ球が第１の分岐流入通路３４５に振り分けられる割合の高い第１開閉動作パターンＰ１および第３開閉動作パターンＰ３と、作動口開閉部材２６０の開放動作に伴い作動口１０１に入球したパチンコ球が第２の分岐流入通路３４６に振り分けられる割合の高い第２開閉動作パターンＰ２とが設定されている。すなわち、実施例のメイン制御ＣＰＵ６０ａは、作動口１０１に入球したパチンコ球を通出させる分岐通路を決定する通出通路決定手段としての機能を備えている。なお、第１開閉動作パターンＰ１および第３開閉動作パターンＰ３に基づいて作動口開閉部材２６０が開閉動作した場合に作動口１０１に入球した全てのパチンコ球が、第１の分岐流入通路３４５に振り分けられるようにしてもよく、また作動口１０１へのパチンコ球の入球タイミングによって第１および第２の分岐流入通路３４５,３４６の何れかに振り分けられると共に第１の分岐流入通路３４５へ振り分けられる可能性が高くなるようにしてもよい。同様に、第２開閉動作パターンＰ２に基づいて作動口開閉部材２６０が開閉動作した場合に作動口１０１に入球した全てのパチンコ球が、第２の分岐流入通路３４６に振り分けられるようにしてもよく、また作動口１０１へのパチンコ球の入球タイミングによって第１および第２の分岐流入通路３４５,３４６の何れかに振り分けられると共に第２の分岐流入通路３４６へ振り分けられる可能性が高くなるようにしてもよい。
【０１６７】
(第１開閉動作パターンＰ１について)
前記第１開閉動作パターンＰ１は、図２８に示すように、普図当り判定に当選した場合には、普図当り判定に当選してから所定の作動タイミングにおいて前記作動口開閉部材１３１を閉鎖位置から開放位置に変位させ、開放位置への変位から第１作動口開放時間ＴＡ１の経過後に作動口開閉部材１３１を開放位置から閉鎖位置に変位させる動作をメイン制御ＣＰＵ６０ａが行わせるよう設定されている。ここで、第１開閉動作パターンＰ１における前記作動タイミングは、普図当り判定に当選してから前記通路振分部３５０の振分体３５１を、第１振分位置から第２振分位置に変位させるタイミングと同じタイミングに設定されている。
【０１６８】
前記第１作動口開放時間ＴＡ１は、前記第１振分時間ＴＺ１よりも長く、かつ第２振分時間ＴＺ２よりも短く設定されて、第１作動口開放時間ＴＡ１の経過した時点において、当該振分体３５１が第１振分位置に変位しているようになっている。そして、第２振分時間ＴＺ２と第１作動口開放時間ＴＡ１との時間差ＴＲは、第１作動口開放時間ＴＡ１が経過する直前に作動口１０１に入球したパチンコ球が分岐領域まで移動するのに必要な時間よりも長い時間に設定されている。すなわち、実施例では、第１開閉動作パターンＰ１に基づいて可変作動入球部２４０の作動口開閉部材２６０が開閉動作した際に、作動口１０１に入球したパチンコ球が分岐領域まで移動した時点で前記振分体３５１が第１振分位置に位置するよう可変作動入球部２４０および通路振分部３５０が駆動制御される。このように、第１開閉動作パターンＰ１は、前記作動口１０１に入球したパチンコ球が前記第１分岐通路および第２分岐通路の振分位置まで移動した際に前記振分体３５１を第１振分位置に位置させて、当該作動口１０１に入球したパチンコ球を第１の分岐流入通路３４５に振り分けるよう作動口開閉部材２６０を作動させる第１の開放動作態様となっている。なお、第１作動口開放時間ＴＡ１は、所定の打ち出し間隔で連続して遊技領域２１(第２球流下経路２１ｂ)に打ち出されたパチンコ球が作動口１０１に入球可能な時間に設定され、実施例では第１作動口開放時間ＴＡ１を「２．０秒」に設定してある。
【０１６９】
(第２開閉動作パターンＰ２について)
前記第２開閉動作パターンＰ２は、図２８に示すように、普図当り判定に当選した場合には、普図当り判定に当選してから所定の作動タイミングにおいて前記作動口開閉部材２６０を閉鎖位置から開放位置に変位させ、開放位置への変位から第２作動口開放時間ＴＢ１の経過後に作動口開閉部材２６０を開放位置から閉鎖位置に変位させ、普図当りに当選してから第２作動口開放時間ＴＢ２の経過後に作動口開閉部材２６０を閉鎖位置から開放位置に変位させ、普図当りに当選してから第３作動口開放時間ＴＢ３の経過後に作動口開閉部材２６０を閉鎖位置から開放位置に変位させる動作をメイン制御ＣＰＵ６０ａが行わせるよう設定されている。ここで、実施例では、普図当りに当選してから第２作動口開放時間ＴＢ２の経過後に、所定の打ち出し間隔で連続して遊技領域２１(第２球流下経路２１ｂ)に打ち出されたパチンコ球が作動口１０１に入球可能な第４作動口開放時間ＴＢ４となる複数回(実施例では３回)の開閉動作を作動口開閉部材２６０に行わせるようになっている。すなわち、第２開閉動作パターンＰ２では、普図当りに当選した際に、第２作動口開放時間ＴＢ１の開放動作を作動口開閉部材２６０が１回行うと共に、第４作動口開放時間ＴＢ４の開放動作を作動口開閉部材２６０が３回行うよう設定されている。ここで、第２開閉動作パターンＰ２における前記作動タイミングは、普図当りに当選してから前記通路振分部３５０の振分体３５１を、第１振分位置から第２振分位置に変位させるタイミングと同じタイミングに設定されている。
【０１７０】
前記第２作動口開放時間ＴＢ１は、前記第１振分時間ＴＺ１と同じ時間に設定されており、作動口１０１の開放と同時に入球したパチンコ球は、実質的に前記第２の分岐流入通路３４６へ振り分けられることなく第１の分岐流入通路３４５へ振り分けられるようになっている。また、第２作動口開放時間ＴＢ２は、前記第２振分時間ＴＺ２と同じ時間に設定されており、第２作動口開放時間ＴＢ２の経過に伴う作動口１０１の開放と同時に入球したパチンコ球が、前記第２の分岐流入通路３４６へ振り分けられるようになっている。すなわち、実施例では、第２開閉動作パターンＰ２に基づいて可変作動入球部２４０の作動口開閉部材２６０が開閉動作した際に、作動口１０１に入球したパチンコ球が分岐領域まで移動した時点の多くで前記振分体３５１が第２振分位置に位置するよう可変作動入球部２４０および通路振分部３５０が駆動制御され、作動口１０１に入球した殆どのパチンコ球が、第２の分岐流入通路３４６に振り分けられるようになっている。なお、第４作動口開放時間ＴＢ４は、所定の打ち出し間隔で連続して遊技領域２１(第２球流下経路２１ｂ)に打ち出されたパチンコ球が作動口１０１に入球可能な時間に設定され、実施例では第４作動口開放時間ＴＢ４を「１．６秒」に設定してある。すなわち、第２開閉動作パターンＰ２は、前記作動口１０１に入球したパチンコ球が前記振分位置まで移動した際に前記振分体３５１を第２振分位置に位置させて、当該作動口１０１に入球したパチンコ球を第２の分岐流入通路３４６に振り分けるよう作動口開閉部材２６０を作動させる第２の開放動作態様とされている。
【０１７１】
(第３開閉動作パターンＰ３について)
前記第３開閉動作パターンＰ３は、図２８に示すように、普図当り判定に当選した場合には、普図当り判定に当選してから所定の作動タイミングにおいて前記作動口開閉部材２６０を閉鎖位置から開放位置に変位させ、開放位置への変位から第５作動口開放時間ＴＣ１の経過後に作動口開閉部材２６０を開放位置から閉鎖位置に変位させる動作をメイン制御ＣＰＵ６０ａが行わせるよう設定されている。すなわち、第３開閉動作パターンＰ３では、普図当りに当選した際に、第５作動口開放時間ＴＣ１の開放動作を作動口開閉部材２６０に１回行わせるよう設定されている。ここで、第３開閉動作パターンＰ３における前記作動タイミングは、普図当り判定に当選してから前記通路振分部３５０の振分体３５１を、第１振分位置から第２振分位置に変位させるタイミングと同じタイミングに設定されている。ここで、前記第５作動口開放時間ＴＣ１は、前記第１振分時間ＴＺ１(第２作動口開放時間ＴＢ１)と同じ時間に設定されている。従って、作動口１０１の開放と同時に入球したパチンコ球は、実質的に前記第２の分岐流入通路３４６へ振り分けられることなく第１の分岐流入通路３４５へ振り分けられるようになっている。すなわち、第３開閉動作パターンＰ３は、前記作動口１０１に入球したパチンコ球が前記第１分岐通路および第２分岐通路の振分位置まで移動した際に前記振分体３５１を第１振分位置に位置させて、当該作動口１０１に入球したパチンコ球を第１の分岐流入通路３４５に振り分けるよう作動口開閉部材２６０を作動させる第１の開放動作態様となっている。
【０１７２】
すなわち、実施例のパチンコ機１０では、大当り判定の肯定判定(大当りの当選)に伴って大当り図柄として図柄Ａが決定された場合には、前記第１の大当り遊技後の遊技において第１可変始動口１０２へのパチンコ球の入賞に基づく大当り遊技(すなわち第１〜第５の大当り遊技)が発生する可能性が高く、大当り図柄として図柄Ｂ〜図柄Ｄが決定された場合には、前記第２の大当り遊技後の遊技において第２可変始動口１０３へのパチンコ球の入賞に基づく大当り遊技(すなわち第６〜第９の大当り遊技)が発生する可能性が高くなるよう構成されている。また、大当り判定の肯定判定(大当りの当選)に伴って大当り図柄として図柄Ｘが決定された場合には、前記第５の大当り遊技後の遊技において変短状態が付与されている間(第５の大当り遊技の終了後の７回の図柄変動演出が行われるまでの間)は、第２可変始動口１０３へのパチンコ球の入賞に基づく大当り遊技(すなわち第６〜第９の大当り遊技)が発生する可能性が高く、変短状態の付与が終了した後は、固定始動口３２へのパチンコ球の入賞に基づく大当り遊技(すなわち第１〜第５の大当り遊技)が発生する可能性が高くなるようになっている。
【０１７３】
更に、大当り判定の肯定判定(大当りの当選)に伴って大当り図柄として図柄Ｏ〜図柄Ｑが決定された場合には、前記第６〜第８の大当り遊技後の遊技において第２可変始動口１０３へのパチンコ球の入賞に基づく大当り遊技(すなわち第６〜第９の大当り遊技)が発生する可能性が高くなるよう構成されている。また、大当り判定の肯定判定(大当りの当選)に伴って大当り図柄として図柄Ｙが決定された場合には、前記第９の大当り遊技後の遊技において変短状態が付与されている間(第５の大当り遊技の終了後の７回の図柄変動演出が行われるまでの間)は、第２可変始動口１０３へのパチンコ球の入賞に基づく大当り遊技(すなわち第６〜第９の大当り遊技)が発生する可能性が高く、変短状態の付与が終了した後は、固定始動口３２へのパチンコ球の入賞に基づく大当り遊技(すなわち第１〜第５の大当り遊技)が発生する可能性が高くなるようになっている。すなわち、大当り判定の肯定判定(大当りの当選)に伴って決定される大当り図柄の種類によって、当該大当り遊技後の遊技においてパチンコ球が固定始動口３２、第１および第２可変始動口１０２,１０３へ入賞する入賞割合を変化させることで、次に発生する大当り遊技の種類が変動するようになっている。
【０１７４】
(パチンコ機１０の制御構成について)
次に、パチンコ機１０の制御構成について説明する。実施例のパチンコ機１０には、図２５に示す如く、パチンコ機１０を全体的に制御するメイン制御基板６０(メイン制御手段)と、該メイン制御基板６０からの制御信号に基づいて各制御対象を制御するサブ制御基板(サブ制御手段)とが設けられている。すなわち、メイン制御基板６０では、パチンコ機１０に備えられた各種検出センサ(検出手段)からの検出信号に基づいて各種処理が実行され、その処理結果に応じた各種の制御信号(制御コマンド)がサブ制御基板に出力されるようになっている。
【０１７５】
また、実施例のパチンコ機１０には、サブ制御基板として、遊技演出を全体的に制御する演出制御基板６５と、図柄表示装置１７での表示内容を制御する表示制御基板７０と、パチンコ機１０が備える各種発光演出手段(ランプ装置等)の発光制御を行うランプ制御基板７２と、パチンコ機１０が備えるスピーカの音出力制御を行う音制御基板７３とを備えている。すなわち、メイン制御基板６０が出力した制御信号(制御コマンド)に基づいて、前記演出制御基板６５が表示制御基板７０、ランプ制御基板７２および音制御基板７３を制御するよう構成されており、パチンコ機１０で実行される各種遊技演出(図柄変動演出や発光演出、音声演出)を統括的にコントロールし得るようになっている。ここで、表示制御基板７０は、演出制御基板６５から出力された制御信号(制御コマンド)に基づいて、図柄表示装置１７に表示される図柄(飾図)や背景画像等の図柄変動演出の表示内容を制御するよう構成される。また、ランプ制御基板７２は、演出制御基板６５から出力された制御信号(制御コマンド)に基づいて、パチンコ機１０が備える各種発光演出手段の点灯・消灯のタイミングや、発光強度等を制御するものである。そして、音制御基板７３は、演出制御基板６５から出力された制御信号(制御コマンド)に基づき、パチンコ機１０が備える各種スピーカからの音声出力のタイミングや大きさ等を制御するものである。
【０１７６】
(メイン制御基板６０について)
前記メイン制御基板６０は、図２５に示に示す如く、制御処理を実行するメイン制御ＣＰＵ６０ａ、該メイン制御ＣＰＵ６０ａが実行する制御プログラムを記憶するメイン制御ＲＯＭ６０ｂ、当該メイン制御ＣＰＵ６０ａの処理に必要なデータの書込み・読出しが可能なメイン制御ＲＡＭ６０ｃ等が備えられている。そして、前記固定始動検出センサ７５、第１可変始動検出センサ７７、第２可変始動検出センサ７８、特別入賞検出センサ７９、ゲートセンサ７６等の各種センサが前記メイン制御ＣＰＵ６０ａに接続されている。また、メイン制御ＣＰＵ６０ａには、入球検出センサ２４７、第１通過検出センサ８５、第２通過検出センサ８６の各センサも接続されている。また、メイン制御ＣＰＵ６０ａには、第１および第２特図表示部５０Ａ,５０Ｂ、普図表示部５５等の各表示部が接続されて、各センサの検出を契機としてメイン制御ＣＰＵ６０ａで実行された制御処理に基づいて、各表示部の表示制御が実行されるようになっている。また、メイン制御ＣＰＵ６０ａ(開放制御手段)には、前記可変作動入球部２４０の第１ソレノイド２６１、通路振分部３５０の第２ソレノイド３５２および特別入賞部４０に設けられた特別入賞ソレノイド４２が接続されており、該メイン制御ＣＰＵ６０ａでの制御処理結果に基づいて各ソレノイドの駆動制御が行われるようになっている。
【０１７７】
メイン制御ＣＰＵ６０ａは、固定始動口３２、第１可変始動口１０２、第２可変始動口１０３へパチンコ球が入賞したこと(より具体的には固定始動検出センサ７５、第１または可変始動検出センサ７７,７８がパチンコ球を検出したこと)を契機として取得する判定用乱数(入賞情報)としての大当り判定用乱数、特図決定用乱数等の各種乱数の値や、ゲート部３４をパチンコ球が通過したこと(より具体的にはゲートセンサ７６がパチンコ球を検出したこと)を契機として取得する判定用乱数(通過検出情報)としての普図当り判定用乱数、普図決定用乱数等の各種乱数の値を、所定の周期(実施例では４ミリ秒)で更新し、更新後の値をメイン制御ＲＡＭ６０ｃに一時的に記憶して更新前の値を書き換えている。また、メイン制御ＣＰＵ６０ａは、時間を計測するタイマ更新処理を実行する。メイン制御ＲＡＭ６０ｃには、パチンコ機１０の動作中に適宜書き換えられる各種入賞情報(乱数値、タイマ値、フラグなど)が記憶(設定)されるようになっている。
【０１７８】
大当り判定用乱数は、図柄変動演出の結果として大当りを発生するか否かの大当り判定(当り判定)で用いる乱数である。実施例では、大当り判定用乱数として、「０」〜「６５５３５」の全６５５３６通りの整数値が設定されており、所定の周期(４ミリ秒)で１ずつ更新されるようになっている。また、特図決定用乱数は、大当り判定の結果に応じて第１特図表示部５０Ａに確定停止表示させる特図１または第２特図表示部５０Ｂに確定停止表示させる特図２を決定する際に用いる乱数である。ここで、実施例では、特図決定用乱数として、「０」〜「２００」の全２０１通りの整数値が設定されており、所定の周期(４ミリ秒)で１ずつ更新されるようになっている。特図決定用乱数の各値には、前述したはずれを示す１種類の特図表示に対応する乱数と、大当りを示す２００種類の特図表示に対応する乱数とが設定されており、該特図決定用乱数の値により、第１特図表示部５０Ａに確定停止表示される特図１または第２特図表示部５０Ｂに確定停止表示される特図２が特定されるようになっている。また、前記大当り図柄としての特図１および特図２が特定されることで、図柄変動演出の終了後に付与される大当りの種類が特定されるようになっている。また、大当りの種類毎に大当り遊技後に確変状態および変短状態が付与されるか否かが対応して定められており、特図決定用乱数が確変状態および変短状態を付与するか否かを決定する乱数としての機能も有している。また、大当りの種類毎に、大当り遊技後の可変作動入球部２４０の作動口開閉部材２６０の開閉動作パターンＰ１〜Ｐ３が対応して定められており、特図決定用乱数が開閉動作パターンＰ１〜Ｐ３を決定する乱数としても機能する。
【０１７９】
実施例のパチンコ機１０では、大当り判定用乱数および特図決定用乱数は、固定始動口３２、第１および第２可変始動口１０２,１０３の何れかにパチンコ球が入賞したこと(より具体的には固定始動検出センサ７５、第１および第２可変始動検出センサ７７,７８の何れかがパチンコ球を検出したこと)を契機として、メイン制御ＲＡＭ６０ｃに一時的に記憶されている各乱数を同じタイミングで前記メイン制御ＣＰＵ６０ａが取得し、取得した各種入賞情報をメイン制御ＲＡＭ６０ｃに第１特図始動保留情報または第２特図始動保留情報として記憶するようになっている。そして、所定の特図変動表示を開始するタイミングで、メイン制御ＲＡＭ６０ｃに記憶した第１特図始動保留情報または第２特図始動保留情報に基づいてメイン制御ＣＰＵ６０ａが特図当り判定(当り判定)を実行するよう構成されている
【０１８０】
普図当り判定用乱数は、作動口１０１を開放(普図当り)するか否かの普図当り判定(開放判定)で用いられる乱数である。実施例では、普図当り判定用乱数として、「０」〜「６５５３５」の全６５５３６通りの整数値が設定されており、所定の周期(４ミリ秒)で１ずつ更新されるようになっている。また、普図決定用乱数は、普図当り判定の結果に応じて普図表示部５５に確定停止表示させる普図を決定する際に用いる乱数である。ここで、実施例では、普図決定用乱数として、「０」〜「１００」の全１０１通りの整数値が設定されており、所定の周期(４ミリ秒)で１ずつ更新されるようになっている。普図決定用乱数の各値には、普図はずれを示す１種類の普図表示に対応する乱数と、普図当りを示す１００種類の普図表示に対応する乱数とが設定されており、該普図決定用乱数の値により、普図表示部５５に確定停止表示される普図が特定されるようになっている。そして、ゲート部３４をパチンコ球が通過したこと(より具体的にはゲートセンサ７６がパチンコ球を検出したこと)を契機として、メイン制御ＲＡＭ６０ｃに一時的に記憶されている通過検出情報(普図当り判定用乱数および普図決定用乱数等)を同じタイミングで前記メイン制御ＣＰＵ６０ａが取得し、取得した各種通過検出情報をメイン制御ＲＡＭ６０ｃに普図保留情報として記憶するようになっている。そして、所定の普図変動表示を開始するタイミングでメイン制御ＲＡＭ６０ｃに記憶した普図保留情報に基づいてメイン制御ＣＰＵ６０ａが普図当り判定を実行するよう構成されている
【０１８１】
(判定値について)
一方、メイン制御ＲＯＭ６０ｂには、図柄変動演出の結果、大当りを発生させることを示す大当り判定値が記憶されている。大当り判定値は、前記大当り判定用乱数を用いて大当りか否かの判定(特図当り判定)で用いる判定値であり、大当り判定用乱数の取り得る「０」〜「６５５３５」までの全６５５３６通りの整数の中から所定数の判定値が定められている。そして、特図当り判定において、固定始動口３２または第１可変始動口１０２、第２可変始動口１０３の何れかにパチンコ球が入賞した際に取得した大当り判定用乱数が大当り判定値と一致した場合に、図柄変動演出の終了後に大当り遊技を付与することが決定される一方、大当り判定用乱数が大当り判定値と一致しない場合に、図柄変動演出の終了後に大当り遊技を付与しないことが決定される。ここで、大当り判定値は、大当り判定を行う時点で前述した確変状態が付与されているか否かで判定値の設定数が異なっており、非確変状態よりも確変状態の場合の大当り確率(大当り判定用乱数と大当り判定値との一致確率)が高くなるよう設定される。
【０１８２】
また、メイン制御ＲＯＭ６０ｂには、特図決定用判定値が記憶されている。特図決定用判定値は、特図当り判定の結果が肯定の場合に、第１特図表示部５０Ａに確定停止表示させる大当り図柄としての特図１または第２特図表示部５０Ｂに確定停止表示させる大当り図柄としての特図２を、特図決定用乱数を用いて決定する判定値である。ここで、実施例では、特図決定用判定値には、前述した大当りを示す２００種類の特図決定用乱数に対応した「１」〜「２００」の整数値が設定されており、特図決定用判定値の夫々に個別に特図１および特図２が対応付けられている(図２６、図２７参照)。
【０１８３】
また、メイン制御ＲＯＭ６０ｂには、普図変動演出の結果、普図当りを発生させることを示す普図当り判定値が記憶されている。普図当り判定値は、前記普図当り判定用乱数を用いて普図当りか否かの判定(普図当り判定)で用いる判定値であり、普図当り判定用乱数の取り得る「０」〜「６５５３５」までの全６５５３６通りの整数の中から所定数の判定値が定められている。そして、普図当り判定において、ゲート部３４をパチンコ球が通過した際に取得した普図当り判定用乱数が普図当り判定値と一致した場合に、普図変動表示の終了後に普図当りを付与(大当り遊技に伴い決定された開放動作パターンＰ１〜Ｐ３で作動入球部２４０を作動して作動口１０１を開放することおよび通路振分部３５０を作動すること)が決定される一方、普図当り判定用乱数が普図当り判定値と一致しない場合に、普図変動表示の終了後に普図当りを付与しない(作動口１０１を開放しない)ことが決定される。ここで、普図当り判定値は、普図当り判定を行う時点で前述した変短状態が付与されているか否かで判定値の設定数が異なっている。具体的には、変短状態の場合に設定される普図当り判定値の数(実施例では６５５３５個)は、非変短状態の場合に設定される普図当り判定値の数(実施例では１個)よりも多く設定されている。すなわち、変短状態における普図当り判定値の設定数を多くすることで、普図当りが発生し易くなっている。また、メイン制御ＲＯＭ６０ｂには、普図決定用判定値が記憶されている。普図決定用判定値は、普図当り判定の結果が肯定の場合に、普図表示部５５に確定停止表示させる普図を、普図決定用乱数を用いて決定する判定値である。ここで、実施例では、普図決定用判定値には、前述した普図当りを示す１００種類の普図決定用乱数に対応した「０」〜「１００」の整数値が設定されており、普図決定用判定値の夫々に個別に普図が対応付けられている。
【０１８４】
すなわち、固定始動口３２、第１または第２可変始動口１０２,１０３への入賞を契機として当りか否かを判定する当り判定手段、複数種類の当り遊技の中から付与する当り遊技の種類を決定する当り遊技決定手段および決定した種類の当り遊技を特図変動表示終了後(図柄変動演出終了後)に付与する当り遊技付与手段としての夫々の機能を前記メイン制御ＣＰＵ６０ａが備えている。また、前記メイン制御ＣＰＵ６０ａは、大当りが発生する場合(当り判定手段の判定結果が肯定の場合)に、決定した当り遊技の種類に応じて、大当りが発生する確率(当り判定手段による判定結果が肯定となる確率)が通常よりも高確率となる確変状態を付与することを決定する確変付与決定手段として機能するよう構成されている。
【０１８５】
更に、前記メイン制御ＣＰＵ６０ａは、大当りが発生する場合(当り判定手段の判定結果が肯定の場合)に、決定した当り遊技の種類に応じて、作動口１０１へパチンコ球が入賞する確率が高確率となる変短状態(入賞容易状態)を付与することを決定する入賞容易状態付与決定手段として機能し、入賞容易状態を付与する場合に変短状態を付与する期間を決定する入賞容易状態付与期間決定手段として機能すると共に、大当り遊技終了後に決定された入賞容易状態を付与する期間だけ変短状態を付与する変短状態付与手段としても機能している。このように、前記メイン制御ＣＰＵ６０ａは、当り判定が肯定判定の場合に、始動入賞装置への入賞に基づいて当り遊技後に遊技者に有利な特典状態(確変状態、変短状態)を付与するか否かを決定する特典状態決定手段としての機能を備えている。更に、前記メイン制御ＣＰＵ６０ａは、可変入球部(可変作動入球部２４０)の開閉部材(作動口開閉部材２６０を開放する契機となる所定条件が成立したかの条件成立判定を実行する条件成立判定手段としての機能を有している。また、前記メイン制御ＲＡＭ６０ｃは、固定始動口３２または第１可変始動口１０２への入賞を契機として取得した入賞情報を第１始動保留情報として記憶する第１記憶手段および前記第２可変始動口１０３への入賞を契機として取得した入賞情報を第２始動保留情報として記憶する第２記憶手段として機能する。また、実施例のメイン制御ＣＰＵ６０ａは、前記記憶手段(メイン制御ＲＡＭ６０ｃ)に記憶されている入賞情報(入球情報)に基づいて図柄変動を表示手段で実行させる変動表示実行制御手段として機能している。更に、メイン制御ＣＰＵ６０ａは、前記可変作動入球部２４０の開閉部材２６０の動作態様を特定する複数種類の開閉動作パターンから開閉動作パターンを決定する動作パターン決定手段としての機能を有している。
【０１８６】
(実施例の作用)
次に、実施例に係るパチンコ機１０の作用について説明する。
【０１８７】
前記遊技盤２０の遊技領域２１(第１球流下経路２１ａ)に打ち出されたパチンコ球が固定始動入賞部３１の固定始動口３２へ入賞することを契機とした特図当り判定の当選、および遊技盤２０の遊技領域２１(第２球流下経路２１ａ)に打ち出されたパチンコ球が第１可変始動入賞部１６１の第１可変始動口１０２へ入賞することを契機とした特図当り判定の当選に伴って、第１〜第５の大当り遊技の何れかがメイン制御ＣＰＵ６０ａにより決定され、大当り遊技の終了後に、決定された大当り遊技(第１〜第５の大当り遊技)の種類に応じて変短状態が付与される。また、遊技盤２０の遊技領域２１(第２球流下経路２１ｂ)に打ち出されたパチンコ球が第２可変始動入賞部１６２の第２可変始動口１０３へ入賞することを契機とした特図当り判定の当選に伴って、第６〜第９の大当り遊技の何れかがメイン制御ＣＰＵ６０ａにより決定され、大当り遊技の終了後に、決定された大当り遊技(第６〜第９の大当り遊技)の種類に応じて変短状態が付与される。そして、この大当り遊技の種類に応じて、大当り遊技後の遊技において普図当り判定に当選した場合に可変作動入球部２４０の作動口開閉部材２６０を開閉動作させる開閉動作パターンＰ１〜Ｐ３が決定される。遊技盤２０の遊技領域２１(第２球流下経路２１ｂ)に打ち出されたパチンコ球がゲート部３４を通過すると、ゲートセンサ７６によるパチンコ球の検出を契機として通過検出情報としての各種乱数がメイン制御ＣＰＵ６０ａにより取得される。そして、取得した普図当り判定用乱数に基づいて普図当りを生起するか否かをメイン制御ＣＰＵ６０ａが決定すると共に、普図変動表示が行われた結果、当該普図当り判定の結果に応じた普図が普図表示部５５に確定停止表示される。普図当り判定が肯定判定の場合には、通路振分部３５０の振分体３５１が作動されると共に、大当り遊技の当選に伴って決定された開閉動作パターンＰ１〜Ｐ３に基づいて前記第２の複合入球部１００の可変作動入球部２４０の作動口開閉部材２６０が開閉動作される。
【０１８８】
ここで、パチンコ球の入球を契機として特図当り判定条件が成立する固定始動入賞部３１およびパチンコ球の入球を契機として開放判定条件が成立するゲート部３４を第１の複合入球部３０に設けたから、当該固定始動入賞部３１およびゲート部３４の設置スペースを省スペース化し得る。また、第１球流下経路２１ａをパチンコ球が流下することで固定始動入賞部３１に対してパチンコ球を入賞させ得ると共に、第２球流下経路２１ｂをパチンコ球が流下することでゲート部３４に対してパチンコ球を入球させ得るよう構成されている。すなわち、固定始動入賞部３１とゲート部３４とで入球し易い球流下経路２１ａ,２１ｂが異なるように第１の複合入球部３０を遊技盤２０に配置することで、第１の複合入球部３０に固定始動入賞部３１およびゲート部３４を設けながらも、パチンコ球を流下させる球流下経路２１ａ,２１ｂを切り替える遊技を実現できる。
【０１８９】
更に、実施例でのパチンコ機１０では、前記第２球流下経路２１ｂの下流に位置するよう前記ゲート部３４が配置されると共に、前記ゲート部３４が位置する第２球流下経路２１ｂから外れた位置(第１球流下経路２１ａ)に前記固定始動入賞部３１を配置することで、パチンコ球を打ち出す球流下経路２１ａ,２１ｂによって固定始動入賞部３１に対するパチンコ球の入賞割合(入賞率)およびゲート部３４へのパチンコ球の入球割合(入球率)を変えることができ、遊技状態に合致するパチンコ球の打ち出しを行うよう遊技者に強く促すことができるから、受動的になりがちな遊技に対して遊技者を積極的に遊技参加させて遊技の興趣を高めることが可能となる。また、前記第１の複合入球部３０には、前記ゲート部３４の配置側と反対側に、ゲート部３４の配置位置へのパチンコ球の移動を規制する規制壁部４２０を設けることで、第１球流下経路２１ａを流下するパチンコ球がゲート部３４に入球するのを防止することで、ゲート部３４に入球可能な球流下経路を制限することができる。これにより、パチンコ球を打ち出す球流下経路２１ａ,２１ｂによる固定始動入賞部３１およびゲート部３４への入賞割合(入球割合)を顕著に異ならせることができ、遊技者の能動的な遊技参加をより強く促し遊技の興趣を高めることが可能となる。また、実施例のように、左打ちの遊技形態の場合にゲート部３４への入球がほぼ期待できず、同様に右打ちの遊技形態の場合に固定始動入賞部３１への入賞がほぼ期待できないようにすることで、遊技状態に合致するパチンコ球の打ち出しか否かを遊技者に早期に気づかせることができる。
【０１９０】
また、第１の複合入球部３０には、前記ゲート部３４へ向けて案内する第１球通路４１２および当該ゲート部３４とは異なる位置へ案内する第２球通路４１６が設けられて、当該第１球通路４１２の入口(ゲート入口３５)および第２案内通路４１６の入口４１７が、同じ第２球流下経路２１ｂ内で開口するよう形成してあるから、第２球流下経路２１ｂを流下するパチンコ球がゲート部３４へ集中するのを防ぐことができ、該ゲート部３４に対する所定の入球率を維持できる。
【０１９１】
そして、同じ第１の複合入球部３０に固定始動入賞部３１およびゲート部３４を設けたので、各入球部３１,３４を配設するための加工を遊技盤２０に個別に施す必要はなく、遊技盤２０に施す加工工数を低減して製造コストを低廉に抑えることができる。また、第１の複合入球部３０を配設するだけで固定始動入賞部３１およびゲート部３４を遊技盤２０に設けることができるので、各入球部３１,３４を個別に配設する構成よりも組み立て工数を低減して手間を軽減し得る利点がある。このように、第１の複合入球部３０に固定始動入賞部３１およびゲート部３４設けることにより、遊技盤２０に対する固定始動入賞部３１およびゲート部３４の配置を改善することが可能になる。
【０１９２】
ここで、前記第２の複合入球部１００の可変作動入球部２４０は、開閉動作パターンＰ１〜Ｐ３に基づいて第１ソレノイド２６１が励磁制御されてプランジャ２８６が最前進位置から最後退位置へ移動することにより、第１連繋部２６２の姿勢変位に伴って作動口開閉部材２６０が図１３に示す閉鎖位置から図１４に示す開放位置へ移動する。また、第１連繋部２６２の姿勢変位に伴って作動部材２６４が最前進位置から最後退位置に向けて移動することで、規制部材２６３が図１３に示す規制位置から図１４に示す許容位置へ姿勢変位する。これにより、作動口開閉部材２６０が作動口１０１から遊技領域２１(第２球流下経路２１ｂ)に突出すると共に、該作動口１０１がパチンコ球の入賞が可能な開口サイズとなる。
【０１９３】
従って、第１ソレノイド２６１の励磁に伴って作動口開閉部材２６０が開放位置に停止することで、第２球流下経路２１ｂを流下して側壁部３１１ａ,３１１ａ間へ案内されたパチンコ球が、作動口開閉部材２６０の球誘導片２７３および球受け面２７４で受け止められる(図１４(b))。そして、球受け面２７４で受け止められたパチンコ球は、球誘導片２７３に接触することで、該球受け面２７４上を作動口１０１側へ移動して該作動口１０１へ入賞し、空間２４８内へ案内される。空間２４８内へ案内されたパチンコ球は、作動口開閉部材２６０の球通過孔２７５から下方へ移動して、入球検出センサ２４７で検出された後に通路振分部３５０へ導かれる。そして、入球検出センサ２４７の検出信号がメイン制御ＣＰＵ６０ａに入力されることで賞球の払出条件が成立して、所定数(実施例では２個)の賞球が払い出される。
【０１９４】
メイン制御基板６０が第１ソレノイド２６１の励磁を停止すると、該第１ソレノイド２６１のプランジャ２８６が最後退位置から最前進位置へ移動し、これに伴って第１連繋部２６２が姿勢変位することで、作動口開閉部材２６０が図１４に示す開放位置から図１３に示す閉鎖位置へ移動する。一方、第１連繋部２６２の姿勢変位に伴って作動部材２６４が最後退位置から最前進位置に向けて移動し、作動口開閉部材２６０が閉鎖位置に向けて移動開始してから所定のタイミングで、規制部材２６３が許容位置から規制位置に向けて姿勢変位するようになる。従って、開放位置から移動位置に向けて移動途中の作動口開閉部材２６０にパチンコ球が受け止められた場合(図１５(a)参照)には、規制位置に向けて姿勢変位する規制部材２６３の球当て部３１３が当該パチンコ球に当たるようになり(図１５(b)参照)、このパチンコ球は作動口１０１側への入賞が規制されて、作動口開閉部材２６０の球誘導片２７３と作動口１０１の開口上縁との間にパチンコ球が挟まれることが防止される。
【０１９５】
また、開放位置から閉鎖位置に向けて移動途中の作動口開閉部材２６０の球受け面２７４に受け止められ、該球受け面２７４上に載った状態で作動口１０１を通過したパチンコ球は、規制位置に向けて姿勢変位する規制部材２６３における規制部３１０の下端３１５が前方から当たることで空間２４８の後方に向けて押され、入球検出センサ２４７で迅速に検出される。従って、規制部材２６３は、規制位置に姿勢変位することで空間２４８内に留まるパチンコ球を迅速に取り込むよう機能する。
【０１９６】
従って、実施例の可変作動入球部２４０によれば、ゲート部３４をパチンコ球が通過することを契機として普図表示部５５の最終的な表示結果が普図当りとなった場合には、作動口１０１の下縁を進退移動可能に配設された作動口開閉部材２６０が開放位置に変位すると共に規制部材２６３が許容位置に切り換わるので、遊技領域２１の第２球流下経路２１ｂを流下したパチンコ球が作動口１０１へ入賞することが許容される。また、作動口開閉部材２６０が開放位置から閉鎖位置へ変位する際に、規制部材２６３が許容位置から規制位置へ切り換わることで、作動口１０１へのパチンコ球の入賞が該規制部材２６３により規制される。これにより、作動口開閉部材２６０と作動口１０１との間にパチンコ球が噛み込まれることが防止され、作動口開閉部材２６０を作動させる第１ソレノイド２６１に負荷がかかることが回避されると共に、第１連繋部２６２が破損することも防止され、可変作動入球部２４０が故障することを防止し得る。また、作動口開閉部材２６０が開放位置から閉鎖位置へ移動する際にパチンコ球が作動口１０１へ入賞することが防止されるので、作動口１０１に規定数以上のパチンコ球が入賞することも防止し得る。
【０１９７】
そして、作動口開閉部材２６０が開放位置に移動した際には、規制部材２６３が許容位置に切り換わっているので、開放位置に停止した直後の開閉部材の球受け面で受け止められた遊技球を、作動口１０１へ適切に入賞するようにし得る。また、作動口開閉部材２６０が開放位置から閉鎖位置に向けて移動途中に、第１連繋部２６２および作動部材２６４を介して規制部材２６３が許容位置から規制位置へ切り換わるようになるので、作動口開閉部材２６０の球受け面２７４に受け止められたパチンコ球が該作動口開閉部材２６０の球誘導片２７３の上縁と作動口１０１の開口上縁との間に挟まれることを確実に防止し得る。
【０１９８】
また、作動口１０１を挟んで設けられた左右一対の側壁部３１１ａ,３１１ａにより、複数のパチンコ球が該作動口１０１(通出通路１１０の球流入口１００ａ)へ同時に集まることを防止でき、該パチンコ球が作動口１０１に引っ掛かって球詰まりが発生することを防止し得る。また、側壁部３１１ａ,３１１ａの上面３１１ａａが作動口１０１に向けて下方傾斜しているので、パチンコ球を作動口１０１へ円滑に案内することが可能である。また、前記第２の複合入球部１００は、前記第２球流下経路２１ｂにおける上側流路ＲＡの球出口Ｓの鉛直下方に、前記通出通路１１０の球流入口１００ａが位置するよう配置されているから、第２球流下経路２１ｂに打ち出されて上側流路ＲＡを流下したパチンコ球が通出通路１１０の球流入口１００ａに集まり、作動口開閉部材２６０の作動に伴って作動口１０１にパチンコ球を高い割合で入球させることができる。このため、第２球流下経路２１ｂに打ち出して遊技が行われる変短状態において、作動口１０１にパチンコ球を連続的に入球させて前記第２の複合入球部１００に設けた第１可変始動入賞部１６１や第２可変始動入賞部１６２を作動することができ、遊技の進行速度を高めることができる。
【０１９９】
ここで、第１の可変入球部より下流側に特定入球部を配置したので、可変作動入球部２４０の作動口１０１に入球することなく流下したパチンコ球をゲート部３４に入球させることができる。このため、パチンコ球を打ち出す球流下経路２１ａ,２１ｂを変更することなくゲート部３４にパチンコ球を入球させつつ、作動口開閉部材２６０の開放に伴って可変作動入球部２４０の作動口１０１にパチンコ球を入球させることができる。また、第１および第２可変始動入賞部１６１,１６２より下流側にゲート部３４を配置してあるから、前記可変作動入球部２４０が開放する契機となるゲート部３４にパチンコ球を入球させる場合に、可変始動入賞部１６１,１６２へパチンコ球が入賞(入球)することを回避することができない。このため、ゲート部３４へのパチンコ球の入球を契機として開放される可変作動入球部２４０への入球だけを狙った変則的な遊技が行われることを防止できる。すなわち、ゲート部３４へのパチンコ球の入球に伴って開放する可変作動入球部２４０にパチンコ球を入球させて、当該可変作動入球部２４０への入球による賞球獲得だけを狙った変則遊技を効果的に防止できる。
【０２００】
第１の大当り遊技後の遊技では、前記可変作動入球部２４０の作動口開閉部材２６０が第１開閉動作パターンＰ１に基づいて開閉動作するようメイン制御ＣＰＵ６０ａにより駆動制御されるから、作動口１０１に入球したパチンコ球が通路振分部３５０の振分体３５１により第１の分岐流入通路３４５に振り分けられる。なお、第５および第９の大当り遊技後の変短状態が終了した後(７回の図柄変動演出が行われた後)の遊技では、変短状態が付与されておらず作動口１０１は開放され難いものの、前記可変作動入球部２４０の作動口開閉部材２６０が第３開閉動作パターンＰ３に基づいて開閉動作するようメイン制御ＣＰＵ６０ａにより駆動制御されるから、第１開閉動作パターンＰ１で動作される場合と同様に作動口１０１に入球したパチンコ球が通路振分部３５０の振分体３５１により第１の分岐流入通路３４５に振り分けられる。
【０２０１】
そして、第１の分岐流入通路３４５に振り分けられて前記第１可変始動入賞部１６１へ導かれたパチンコ球が第１可変始動入賞部１６１が備える第１の作動部材１７６に接触することで、第１始動口開閉部材１６５が閉鎖位置から開放位置へ自重により揺動して第１可変始動口１０２が開放され、第１可変始動口１０２に入賞した２個のパチンコ球が第１可変始動入賞部１６１における第２の作動部材２０１にパチンコ球が接触することで、当該第１始動口開閉部材１６５が閉鎖位置に変位される。このように、第１可変始動入賞部１６１は、前記作動口１０１に入球して第１分岐通路を通過するパチンコ球との物理的な接触により作動されることで第１始動口開閉部材１６５が閉鎖位置から開放位置へ変位すると共に、第１可変始動口１０２に入賞して第１取込通路１１５を通過する所定個数(実施例では２個)のパチンコ球との物理的な接触により作動されることにより第１始動口開閉部材１６５が開放位置から閉鎖位置へ変位される。
【０２０２】
また、第２〜第９の大当り遊技後の変短状態が付与された遊技では、前記可変作動入球部２４０の作動口開閉部材２６０が第２開閉動作パターンＰ２に基づいて開閉動作するようメイン制御ＣＰＵ６０ａにより駆動制御されて、作動口１０１に入球した殆どのパチンコ球が通路振分部３５０の振分体３５１により第２の分岐流入通路３４６に振り分けられる。そして、前述した第１可変始動入賞部１６１と同様に、第２の分岐流入通路３４６に振り分けられて前記第２可変始動入賞部１６２へ導かれたパチンコ球が、当該第２可変始動入賞部１６２における第１の作動部材１７６に接触することで、記第２始動口開閉部材１６６が閉鎖位置から開放位置へ自重により揺動して第２可変始動口１０３が開放され、第２可変始動口１０３に入賞した２個のパチンコ球が第２可変始動入賞部１６２における第２の作動部材２０１にパチンコ球が接触することで、当該第２始動口開閉部材１６６が閉鎖位置に変位される。
【０２０３】
このように、普図当りに際して、第１ソレノイド２６１の駆動により可変作動入球部２４０の作動口開閉部材２６０が開放動作するのに伴って作動口１０１に入球したパチンコ球が、当該作動口１０１に連通する第１分岐通路または第２分岐通路を通過する過程で、各分岐通路に対応する可変始動入賞部１６１,１６２の第１の作動部材１７６に接触することにより、当該可変始動入賞部１６１,１６２の始動口開閉部材１６５,１６６の開閉状態が閉鎖状態から開放状態に切り替わる。そして、第１始動口開閉部材１６５や第２始動口開閉部材１６６が開放位置にある状態では、所定数(実施例では２個)のパチンコ球が開放した第１可変始動口１０２や第２可変始動口１０３に入賞することで、当該始動口開閉部材１６５,１６６を閉鎖動作することにより、可変作動入球部１３０や第１可変始動入賞部１６１、第２可変始動入賞部１６２に対する遊技者の関心を高めることができる。すなわち、前記第１始動口開閉部材１６５や第２始動口開閉部材１６６が閉鎖位置にある状態では、普図当りに伴って開放した作動口１０１にパチンコ球が入球した際に、当該作動口１０１に入球したパチンコ球が振り分けられる経路に応じて、第１始動口開閉部材１６５や第２始動口開閉部材１６６を開放動作させ得るから、当該可変作動入球部１３０と、当該可変作動入球部１３０の開閉動作に関連して作動される可変始動入賞部１６１,１６２とによって新たな遊技性を創出して、遊技の興趣を高めることが可能となる。
【０２０４】
そして、第１ソレノイド２６１により作動される作動口開閉部材２６０により開閉される作動口１０１に入球した後のパチンコ球をそのまま排出するだけでなく、第１または第２可変始動入賞部１６１,１６２の始動口開閉部材１６５,１６６の開閉状態を切り替え得るようにすることで、可変作動入球部２４０および各可変始動入賞部１６１,１６２に対する遊技者の関心を高められる。
【０２０５】
また、実施例の可変入球装置では、複数の分岐通路(第１および第２分岐通路)の夫々に、複数の可変始動入賞部(第１および第２可変始動入賞部１６１,１６２)の何れかの第１の作動部材１７６を臨ませるよう構成したから、可変作動入球部１３０の作動に伴い作動口１０１に入球したパチンコ球により、少なくとも何れかの可変始動入賞部１６１,１６２の始動口開閉部材１６５,１６６を開放させることができる。また、作動口１０１に入球したパチンコ球が通過する分岐通路(第１および第２分岐通路)に応じて作動する可変始動入賞部１６１,１６２が変化し、作動口１０１に入球したパチンコ球に対する関心を高めることができる。作動口１０１にパチンコ球が入球した際に、当該パチンコ球により開放される可変始動口１０２,１０３(作動する可変始動入賞部１６１,１６２)によって、その後の遊技において発生し得る大当り遊技の価値に差が生ずることで、作動口１０１に入球したパチンコ球に対する関心をより一層高めることができる。
【０２０６】
また、実施例では、大当り遊技の種類に応じて可変作動入球部２４０を駆動制御する開閉動作パターンＰ１〜Ｐ２を決定することで、大当り遊技後に作動口１０１に入球したパチンコ球が通過する分岐通路が切り替わるよう構成したことで、発生する大当り遊技の種類に対する遊技者の関心を一段と高めて、遊技の興趣を向上することに繋がる。このように、大当り遊技の種類に応じて、作動口開閉部材２６０を第１開閉動作パターンＰ１(第１の開放動作態様)および第２開閉動作パターンＰ２(第２の開放動作態様)により動作させることで、作動口１０１に入球したパチンコ球が通出する分岐通路を適宜に調整することができる。
【０２０７】
ここで、実施例の第２の複合入球部１００に設けた桁第１可変始動入賞部１６１の第１可変始動口１０２への入賞を契機とした特図当り判定で当りの判定結果となる場合に、大当り遊技後の遊技状態として第１遊技状態または第２遊技状態の何れかを付与し得るよう構成され、第２可変始動入賞部１６２の第２可変始動口１０３への入球を契機とした特図当り判定で当りの判定結果となる場合に、大当り遊技後の遊技状態として第２遊技状態を付与し得るようになっている。実施例において、前記第１遊技状態は、前記ゲート部３４へのパチンコ球の入球を契機として行われる普図当り判定が普図当りの結果となることを開放条件として、前記第１可変始動入賞部１６１の第１始動口開閉部材１６５が開放される遊技状態として設定され、前記第２遊技状態は、ゲート部３４へのパチンコ球の入球を契機として行われる普図当り判定が普図当りの結果となることを開放条件として、前記第２可変始動入賞部１６２の第２始動口開閉部材１６６が開放される遊技状態として設定されている。すなわち、第１可変始動入賞部１６１への入賞を契機として大当り遊技が生起される場合は、当該大当り遊技後に普図当り判定に当選することで第１可変始動入賞部１６１または第２可変始動入賞部１６２が開放されるのに対し、第２可変始動入賞部１６２への入賞を契機として大当り遊技が生起される場合は、当該大当り遊技後に普図当り判定に当選することで第２可変始動入賞部１６２が開放される。このように、特図当り判定が行われる契機となる可変始動入賞部１６１,１６２の種類によって、大当り遊技の変短状態で開放され得る可変始動入賞部１６１,１６２が変化することで、従来にない新たな遊技性を創出して遊技の興趣を高めることが可能となる。
【０２０８】
また、第２の複合入球部１００には、第１可変始動入賞部１６１の上流側に第２可変始動入賞部１６２を配置して、第２球流下経路２１ｂを流下するパチンコ球が第１可変始動入賞部１６１に至る前に第２可変始動入賞部１６２の配設位置を通過するよう構成してある。すなわち、第１可変始動入賞部１６１よりも優先して第２可変始動入賞部１６２にパチンコ球が入賞し得るから、第１可変始動入賞部１６１が開放した状態でも第２可変始動入賞部１６２にパチンコ球を入賞させることが可能となるから、第２可変始動入賞部１６２への入賞を契機とした特図当り判定に基づいて大当り遊技を継続して生起することが可能となり、第２遊技状態に移行した後は第２遊技状態が継続する期待感を高めることができる。言い換えると、第１可変始動入賞部１６１が開放した状態で第２遊技状態に移行した場合でも、第２可変始動入賞部１６２への入賞を契機とした特図当り判定を優先して実行させ得るようにすることができる。また、第２遊技状態から第１遊技状態に移行した場合でも、第２可変始動入賞部１６２への入賞可能な状態(２個のパチンコ球が入賞する前の状態)では第２可変始動入賞部１６２への入賞を契機とした特図当り判定を優先して生起させ得るから、当該特図当り判定に伴って第２遊技状態に復帰する期待感を持たせることができる。
【０２０９】
特に、実施例のように、開放した可変始動入賞部１６１,１６２の可変始動口１０２,１０３に複数個(実施例では２個)のパチンコ球が入賞することで、当該可変始動入賞部１６１,１６２の始動口開閉部材１６５,１６６が閉鎖位置に変位するよう構成することで、第１遊技状態および第２遊技状態の間で状態が遷移する際に、可変始動入賞部１６１,１６２が開放した状態で保持され得るから、第２球流下経路２１ｂを流下するパチンコ球が入賞する可変始動入賞部１６１,１６２に対する関心を一層高めることができる。また、実施例では、第１特図始動保留情報および第２特図始動保留情報の夫々がメイン制御ＲＡＭ６０ｃに記憶されている状態で、第１特図始動保留情報よりも第２特図始動保留情報に基づいて特図当り判定が優先して実行されるようにすることで、第２遊技状態が生起されること(第２遊技状態が継続すること)への期待感を高めることができる。特に、実施例のように第２特図始動保留情報に基づいて行われる特図当り判定当りの判定結果となる場合に、第１特図始動保留情報に基づいて行われる特図当り判定当りの判定結果となる場合よりも、遊技価値(獲得可能な賞球数の期待値や第２遊技状態が決定される割合等)が高い大当り遊技を決定し易く設定すると共に、遊技者に与える遊技価値が高い大当り遊技が付与され易い第２可変始動入賞部１６２を第１可変始動入賞部１６１より上流側に配置し、当該第２可変始動入賞部１６２への入賞する機会を高めるようにすることで、遊技の興趣を向上し得る。
【０２１０】
ここで、大当り遊技後に第１遊技状態が付与される第１当り遊技(第１の大当り遊技)が決定された際には、前作動口１０１に入球したパチンコ球が第１分岐通路および第２分岐通路の振分位置まで移動した際に通路振分部３５０の振分体３５１が第１振分位置に位置するよう可変作動入球部２４０の作動口開閉部材２６０を開放動作する第１開閉動作パターンＰ１を決定すると共に、大当り遊技後に第２遊技状態が付与される第２当り遊技(第２〜第９の大当り遊技)が決定された際には、作動口１０１に入球したパチンコ球が振分位置まで移動した際に当該振分体３５１が第２振分位置に位置するよう可変作動入球部２４０の作動口開閉部材２６０を開放動作する第２開閉動作パターンＰ２を決定するよう構成したことで、大当り遊技の種類に応じた開閉動作パターンＰ１,Ｐ２で作動口開閉部材２６０を動作させて作動口１０１に入球したパチンコ球を適切な分岐通路に確実に振り分けることができる。
【０２１１】
また、実施例のパチンコ機１０は、始動口３２,１０２,１０３への入賞を契機として大当り遊技が付与された際に開放する特別入賞部４０を、前記遊技盤２０において第２の複合入球部１００(第２可変始動入賞部１６２)より上流側に配置することで、大当り遊技が付与された場合には第２の複合入球部１００(可変始動入球部１６１,１６２)よりも特別入賞部４０に対してパチンコ球を優先的に入賞させ得るようになり、大当り遊技の進行を速めることができる。そして、パチンコ球が一列で通過し得る通路幅で形成された整列流路ＲＡ１の下流部に設けた拡大流路ＲＡ２に位置するよう特別入賞部４０を配置したから、第２球流下経路２１ｂに打ち出されたパチンコ球を特別入賞部４０に連続的に入賞させることができる。また、第１可変始動入賞部１６１、第２可変始動入賞部１６２および特別入賞部４０を同じ球流下経路２１ｂに設けたので、パチンコ球を打ち出す球流下経路を変えることなく第１可変始動口１０２、第２可変始動口１０３および特別入賞口４１にパチンコ球を入賞させることができる。そして、前述のように、同じ第２球流下経路２１ｂに可変作動入球部２４０が配置されるから、変短状態および大当り遊技の夫々においてパチンコ球を打ち出す球流下経路を変える必要がなく、可変作動入球部１３０と、当該可変作動入球部１３０の開閉動作に関連して作動される可変始動入賞部１６１,１６２と、可変始動入賞部１６１,１６２の入賞を契機として作動される特別入賞部４０とによる遊技の変化に対して遊技者の関心を高めることができる。
【０２１２】
また、前記第２の複合入球部１００は、可変作動入球部２４０、第１および第２の可変始動入賞部１６１,１６２、通路振分部３５０を本体部材１０５に備えた単一のユニット部材として遊技盤２０に着脱し得るよう構成したから、遊技盤２０に対する可変作動入球部２４０、第１および第２の可変始動入賞部１６１,１６２、通路振分部３５０の組み付け工数を減らすことができ、作業性向上を図り得る。また、可変作動入球部２４０や各可変始動入賞部１６１,１６２、通路振分部３５０、普通入賞部２２０を個別に遊技盤２０に設置する構成に比べて、これらの各構成を相対的な配置関係を一定に保つことができ、遊技盤２０毎の個体差がなくなるから、可変作動入球部２４０や可変始動入賞部１６１,１６２を利用した遊技性を適切に維持することができる。また、可変作動入球部２４０、第１および第２の可変始動入賞部１６１,１６２、通路振分部３５０をユニット化した第２の複合入球部１００と、作動口１０１や可変始動口１０２,１０３へ入球したパチンコ球の通路が形成された球通路ユニット８０を別構成として遊技盤２０に個別に配設するよう構成したことで、可動機構を有し損傷し易い可変作動入球部２４０、第１および第２の可変始動入賞部１６１,１６２、通路振分部３５０に不具合が生じた際には、第２の複合入球部１００のみを単独で交換することができる。
【０２１３】
（変更例）
なお、遊技機としては、前述したものに限らず、種々の変更が可能である。
【０２１４】
(１)  遊技領域に対して入球口(作動口)を閉鎖する閉鎖位置および該入球口(作動口)を開放する開放位置に変位可能な開閉部材を有する可変入球部(可変作動入球部)を１つ備える構成を示したが、これに限られるものではなく、当該可変入球部(可変作動入球部)を２つ以上備えるよう構成してもよい。
(２)  遊技領域に対して入球口(始動口)を閉鎖する閉鎖位置および該入球口(始動口)を開放する開放位置に変位可能な開閉部材を有する可変入球部(可変始動入賞部)を２つ備える構成を示したが、これに限られるものではなく、当該可変入球部(可変始動入賞部)を１つ或いは３つ以上備えるようにしてもよい。
(３)  電動式駆動手段の駆動に伴い開放した入球口(作動口)に入球した遊技球との接触に伴い作動位置に変位された作動部材(第１の作動部材)が、可変入球部(可変始動入賞部)の開閉部材を開放させるよう構成したが、作動位置に変位された作動部材(第１の作動部材)が可変入球部(可変始動入賞部)の開閉部材を閉鎖するよう構成することも可能である。
(４)  実施例では、入球口(作動口)に連通した球通路を２つの分岐通路に分岐させたが、３つ以上に分岐させてもよい。また、実施例では、分岐通路の夫々に、可変入球部(可変始動入賞部)の作動部材(第１の作動部材)が臨んで、各分岐通路を通過する遊技球との接触により作動されるよう構成したが、少なくとも１つの分岐通路に作動部材(第１の作動部材)を臨ませるようにことも可能である。
(５)  実施例では、入球口(作動口)に入球した遊技球を何れかの分岐通路に振り分ける振分手段として、電動式駆動手段の駆動により振分体が作動する通路振分部を設けたが、これに限られるものではなく、球転動部を転動する遊技球の勢いや転動方向により自然に何れかの分岐通路に振り分けられる構成を採用することもできる。例えば、すり鉢状に形成した球転動部の底面に複数の通孔を形成した所謂クルーンとも称される球転動部を振分手段として採用したり、一定方向に延在すると共に延在方向に離間する複数箇所に球排出部を設けた所謂ステージ状の球転動部を振分手段として採用することも可能であり、その他遊技球の流下方向を複数に振分可能な従来公知の振分手段を採用可能である。
(６)  実施例では、複数の可変入球部(第１および第２可変始動入賞部)に遊技球が入球した際に付与され得る遊技価値(具体的には大当り遊技における賞球数の期待値)を異ならせたが、複数の可変入球部(可変始動入賞部)に遊技球が入球した際に同じ遊技価値を付与することも可能である。
(７)  実施例では、可変入球部(可変作動入球部)および可変入球部(可変始動入賞部)を備えたユニット(第２の複合入球部)を遊技盤に配設するようにしたが、各可変入球部を個別に遊技盤に配設するようにしてもよい。
(８)  また実施例の可変入球装置において、下流側に位置する可変始動入賞部を第１可変始動入賞部とし、上流側に位置する可変始動入賞部を第２可変始動入賞部としたが、これに限られるものではない。すなわち、実施例の可変入球装置において、上流側に位置する可変始動入賞部を第１可変始動入賞部とし、下流側に位置する可変始動入賞部を第２可変始動入賞部としてもよい。
(９)  実施例では、可変入球部(可変作動入球部)の開閉部材(作動口開閉部材)を動作させる作動手段により規制部材(規制手段)を規制状態および許容状態に切り換えるよう構成したが、開閉部材を動作させる作動手段とは別の作動手段によって規制部材を規制状態および許容状態に切り換えるよう構成してもよい。
(１０)  規制部材(規制手段)は、実施例のように入球口(作動口)の上側に配設した形態に限らず、入球口(作動口)の側方(左側、右側)、または下側に配設するようにしてもよい。
(１１)  規制部材(規制手段)の許容状態および規制状態の姿勢変位は、実施例のような回転によるものに限らず、入球口(作動口)に対して直線状または曲線状にスライドして姿勢変位するものであってもよい。
(１２)  実施例では、規制係合部が係合するガイド部の形状(ガイド面の長さや傾斜角度等)を変更することで、可変入球部(可変作動入球部)の開閉部材(作動口開閉部材)の閉鎖状態および開放状態の間の移動に対する規制部材(規制手段)の許容状態および規制状態の間の姿勢変位のタイミングを多様に設定することが可能である。例えば、作動部材の移動方向(実施例では前後方向)における第１ガイド面の長さを短くすることで、開閉部材が開放状態から閉鎖状態に向けた移動開始に対する規制部材の許容状態から規制状態に向けた移動開始のタイミングを早めることが可能となる。また、第２ガイド面の傾斜角度を変えることで、規制部材が許容状態および規制状態の間を姿勢変位する際の速度を変更し得る。またガイド部は、作動部材の移動方向(実施例では前後方向)で湾曲する曲面状とすることで、許容状態および規制状態の間を姿勢変位する際の姿勢変位速度を変化させ得る。
(１３)  実施例では、可変入球部(可変作動入球部)の開閉部材(作動口開閉部材)が開放位置から閉鎖位置に向けて動作開始してから所定時間後に規制部材(規制手段)が許容位置から規制位置に向けて姿勢変位を開始するようにしたが、開閉部材が動作を開始する前に規制部材を許容位置から規制位置に向けて姿勢変位を開始するようにしてもよい。
(１４)  実施例では、遊技球との接触により開閉部材が開閉作動する可変始動入賞部を設けるようにしたが、可変始動入賞部の開閉部材を電動式駆動手段の駆動に伴い開閉動作するよう構成することも可能である。この場合は、遊技球の入球を契機として可変始動入賞部の開閉部材を開放動作させるかを判定する開放判定条件が成立する入球部を設けることが好ましい。また、各可変始動入賞部の開閉部材を電動式駆動手段の駆動に伴い開閉動作するよう構成する場合には、遊技球の入球を契機として可変始動入賞部の開閉部材を開放動作させるかを判定する開放判定条件が成立する入球部を、各可変始動入賞部毎に設けることが好ましい。
(１５)  実施例では、２つの入球部(固定始動部およびゲート部)を有する複合入球部(第１の複合入球部)を枠状装飾体の下方に設けたが、３つ以上の入球部を設けるようにしてもよい。
(１６)  実施例では、枠状装飾体の下方に設けた複合入球部(第１の複合入球部)に、当り判定条件が成立する入球部として固定始動部を設けるようにしたが、当該入球部として可変始動入賞部とすることもできる。
(１７)  実施例では、２つの入球部(固定始動部およびゲート部)を有する複合入球部(第１の複合入球部)を枠状装飾体の下方に設けたが、各入球部に対して入球し易い球流下経路が異なるよう遊技盤に配設すれば、当該複合入球部(第１の複合入球部)を枠状装飾体の上方や左右側方に排泄することも可能である。また、枠状装飾体に２つの入球部(固定始動部およびゲート部)を設けて複合入球部(第１の複合入球部)とすることもできる。
(１８)  実施例では、第２球流下経路の下流に位置するよう入球部としてのゲート部を配置したが、第１球流下経路の下流に位置するようゲート部を配置してもよい。同様に、第１球流下経路に位置するよう入球部としての固定始動部を配置したが、第２球流下経路に位置するよう固定始動部を配置してもよい。また、複合入球部(第１の複合入球部)の２つの入球部(固定始動部およびゲート部)に対して、同じ球流下経路を流下する遊技球が入球し得るよう構成することできる。例えば、複合入球部(第１の複合入球部)の一方の入球部(例えば固定始動部)を第１球流下経路側に偏って配置し、複合入球部(第１の複合入球部)の他方の入球部(例えばゲート部)を第２球流下経路側に偏って配置することで、各入球部に対して入球し易い球流下経路を異ならせることができる。
(１９)  実施例では、可変始動入賞部の下流にゲート部を配置したが、可変作動入球部と可変始動入賞部との間にゲート部を配置するようにしてもよい。この場合は、ゲート部を通過した遊技球が可変始動入賞部に入賞し得ることで、変則的な遊技が行われるのを防止できる。
(２０)  メイン制御手段(メイン制御ＣＰＵ)が備える機能の全部または一部をサブ制御手段(演出制御ＣＰＵ)が備えるようにしてもよく、反対にサブ制御手段が備える機能の全部または一部をメイン制御手段が備えるようにしてもよい。そして実施例では、メイン制御基板とサブ制御基板(演出制御基板)とを分けて設けるようにしたが、単一の制御基板とすることもできる。すなわち、メイン制御手段およびサブ制御手段の機能を、単一の制御基板に設けた制御手段(ＣＰＵ)が備えるようにしてもよい。更に別途制御基板を備えて、実施例のメイン制御手段やサブ制御手段が備える機能の全部または一部を、別の制御手段に備えさせてもよい。
(２１)  また、演出制御手段(演出制御ＣＰＵ)が備える機能の全部または一部を、表示制御手段(表示制御ＣＰＵ)が備えるようにしてもよく、反対に表示制御手段(表示手段ＣＰＵ)が備える機能の全部または一部を演出制御手段(演出制御ＣＰＵ)が備えるようにしてもよい。そして、演出制御手段(演出制御ＣＰＵ)と表示制御基板(表示制御ＣＰＵ)とを分けて設けるようにしたが、単一の制御基板とすることもできる。すなわち、演出制御基板および表示制御基板の機能を、単一の制御基板に設けた制御手段(ＣＰＵ)が兼用するようにしてもよい。また、発光制御を行うランプ制御手段や音出力制御を行う音制御手段に関しても同様に、演出制御手段が兼用することができる。
(２２)  演出用の図柄(飾図)を表示する図柄表示手段(図柄表示装置)とは独立して、特図を表示する特図表示手段(特図表示器)を設けるようにしたが、これに限られるものではない。例えば、図柄表示手段において飾図および特図の両方を表示するようにしてもよい。また飾図と特図とを共用して、図柄表示手段に表示するようにしてもよい。
(２３)  実施例では、遊技機としてパチンコ機を例示して説明したが、これに限られるものではなく、アレンジボール機やピンボール機等の各種遊技機を採用し得る。すなわち、遊技領域を流下する遊技球が入球可能な入球口を備えた遊技機に対して好適に適用することができる。
【符号の説明】
【０２１５】
２０  遊技盤
２１  遊技領域
３４  ゲート部(特定入球部)
４０  特別入賞部
４１  特別入賞口
４３  開閉部材
６０ａ  メイン制御ＣＰＵ(当り判定手段、当り遊技決定手段)
８１  第１の分岐排出通路(第１分岐通路)
８３  第２の分岐排出通路(第２分岐通路)
１０１  作動口(入球口)
１０２  第１可変始動口(第１始動口)
１０３  第２可変始動口(第２始動口)
１０６  取付ベース部
１６１  第１可変始動入賞部(第１可変始動入球部)
１６２  第２可変始動入賞部(第２可変始動入球部)
１６５  第１始動口開閉部材(第２の開閉部材)
１６６  第２始動口開閉部材(第２の開閉部材)
１７６  第１の作動部材(作動部材)
２４０  可変作動入球部(可変入球部)
２６０  作動口開閉部材(開閉手段)
２６１  第１ソレノイド(電動式駆動手段)
２６２  第１連繋部(連繋部)
２６３  規制部材(規制手段)
２６４  作動部材
３０７  第２ガイド面(傾斜面)
３４５  第１の分岐流入通路(第１分岐通路)
３４６  第２の分岐流入通路(第２分岐通路)
３５０  通路振分部(振分手段)
Ｐ  パチンコ球(遊技球)
【図１】
0006317290.tif 000002
【図２】
0006317290.tif 000003
【図３】
0006317290.tif 000004
【図４】
0006317290.tif 000005
【図５】
0006317290.tif 000006
【図６】
0006317290.tif 000007
【図７】
0006317290.tif 000008
【図８】
0006317290.tif 000009
【図９】
0006317290.tif 000010
【図１０】
0006317290.tif 000011
【図１１】
0006317290.tif 000012
【図１２】
0006317290.tif 000013
【図１３】
0006317290.tif 000014
【図１４】
0006317290.tif 000015
【図１５】
0006317290.tif 000016
【図１６】
0006317290.tif 000017
【図１７】
0006317290.tif 000018
【図１８】
0006317290.tif 000019
【図１９】
0006317290.tif 000020
【図２０】
0006317290.tif 000021
【図２１】
0006317290.tif 000022
【図２２】
0006317290.tif 000023
【図２３】
0006317290.tif 000024
【図２４】
0006317290.tif 000025
【図２５】
0006317290.tif 000026
【図２６】
0006317290.tif 000027
【図２７】
0006317290.tif 000028
【図２８】
0006317290.tif 000029